(57)【要約】ワイヤレス送信／受信ユニット（ＷＴＲＵ）用の方法および装置が説明される。方法はエントリを含む時間ドメインリソース割り当て（ＴＤＲＡ）リストコンフィギュレーションを受信することを含み各々はスロットオフセット値を含むリソース割り当てを含む。最小スロットオフセット値を示すＬ１シグナリングが受信される。スロットにおける物理ダウンリンク制御チャネル上のダウンリンク制御情報（ＤＣＩ）がデコードされる。ＴＤＲＡリストにおけるエントリを識別するインデックスがデコードされたＤＣＩから取得される。インデックスによって識別される特定スロットオフセット値がＴＤＲＡリストから取り出され最小スロットオフセット値と比較される。特定スロットオフセット値が最小スロットオフセット値未満であるならばエントリは無効である。特定スロットオフセット値が最小スロットオフセット値以上であるならば物理ダウンリンク共有チャネルが受信される。
2022501874.tif 000002
【特許請求の範囲】
【請求項１】
ワイヤレス送信／受信ユニット（ＷＴＲＵ）において実装される方法であって、
複数のエントリを含む時間ドメインリソース割り当て（ＴＤＲＡ）リストコンフィギュレーションを受信するステップであって、前記複数のエントリの各々は、スロットオフセット値を含むリソース割り当てを含む、ステップと、
最小スロットオフセット値を示すレイヤー１（Ｌ１）シグナリングを受信するステップと、
スロットにおける物理ダウンリンク制御チャネル（ＰＤＣＣＨ）上の第１のダウンリンク制御情報（ＤＣＩ）をデコードするステップと、
前記デコードされた第１のＤＣＩから、前記ＴＤＲＡリストにおける前記複数のエントリのうちの１つを識別するインデックスを取得するステップと、
前記ＴＤＲＡリストから、前記インデックスによって識別される特定スロットオフセット値を取り出すステップと、
前記最小スロットオフセット値と前記特定スロットオフセット値を比較するステップと、
前記特定スロットオフセット値が前記最小スロットオフセット値未満であるという条件で、前記インデックスによって識別される前記エントリが無効であると決定するステップと、
前記特定スロットオフセット値が前記最小スロットオフセット値以上であるという条件で、前記第１のＤＣＩが前記特定スロットオフセット値によってデコードされた前記スロットからオフセットされるスロットにおいて物理ダウンリンク共有チャネル（ＰＤＳＣＨ）を受信するステップと
備えることを特徴とする方法。
【請求項２】
前記インデックスによって識別される前記エントリが、決定された無効であるという条件で、前記第１のＤＣＩが前記特定スロットオフセット値によってデコードされた前記スロットからオフセットされる前記スロットにおいて前記ＰＤＳＣＨを受信しないステップをさらに備えることを特徴とする請求項１に記載の方法。
【請求項３】
前記特定スロットオフセット値が前記最小スロットオフセット値未満であるという条件で、デフォルト値および前記特定スロットオフセット値のうちの１つに等しい前記最小スロットオフセット値に対して新しい値を設定するステップをさらに備えることを特徴とする請求項１に記載の方法。
【請求項４】
前記デフォルト値は、ゼロスロットであることを特徴とする請求項３に記載の方法。
【請求項５】
非周期的チャネル状態情報（ＣＳＩ）報告に関連付けられた非零電力ＣＳＩ参照信号（ＮＺＰ−ＣＳＩ−ＲＳ）リソースセットに対する最小非周期的ＣＳＩオフセットが、バンド幅部分（ＢＷＰ）に対する前記Ｌ１シグナリングにおいて受信された前記最小スロットオフセット値に等しいと決定するステップをさらに備えることを特徴とする請求項１に記載の方法。
【請求項６】
第２のＤＣＩをデコードし、前記デコードされた第２のＤＣＩからＣＳＩ報告トリガーを取得するステップであって、前記ＣＳＩ報告トリガーは、ＮＺＰ−ＣＳＩ−ＲＳリソースセットに対する特定トリガーオフセットによって構成される前記ＮＺＰ−ＣＳＩ−ＲＳリソースセットを識別する、ステップと、
前記最小非周期的ＣＳＩオフセットと前記特定トリガーオフセットを比較するステップと、
前記特定トリガーオフセットが前記最小非周期的ＣＳＩオフセット未満であるという条件で、前記ＣＳＩ報告トリガーに応答して、前記識別されたＮＺＰ−ＣＳＩ−ＲＳリソースセットに関連付けられたＣＳＩを報告しないステップと、
前記特定トリガーオフセットが前記最小非周期的ＣＳＩオフセット以上であるという条件で、前記ＣＳＩ報告トリガーに応答して、前記識別されたＮＺＰ−ＣＳＩ−ＲＳリソースセットに関連付けられたＣＳＩを報告するステップと
をさらに備えることを特徴とする請求項５に記載の方法。
【請求項７】
前記ＷＴＲＵは、１つまたは複数のエントリを含むＣＳＩ報告トリガー状態リストによって構成され、前記１つまたは複数のエントリの各々は、１つまたは複数のＮＺＰ−ＣＳＩ−ＲＳリソースセットを含み、前記１つまたは複数のＮＺＰ−ＣＳＩ−ＲＳリソースセットの各々は、時間−周波数リソースのセットの識別と前記ＮＺＰ−ＣＳＩ−ＲＳリソースセットに対するトリガーオフセットとを含むことを特徴とする請求項６に記載の方法。
【請求項８】
前記Ｌ１シグナリングは、前記最小スロットオフセット値に対応する、前記ＷＴＲＵが動作することである電力モードを示すことを特徴とする請求項７に記載の方法。
【請求項９】
前記電力モードは、パワーセービングスモードであることを特徴とする請求項８に記載の方法。
【請求項１０】
通常電力モードを示すＬ１シグナリングを受信するステップと、
前記通常電力モードをアクティブ化するステップと、
前記通常電力モードがアクティブ化されるという条件で、前記ＴＤＲＡリストおよび前記ＣＳＩ報告トリガー状態リストにおけるすべてのエントリが有効であると決定するステップと
をさらに備えることを特徴とする請求項８に記載の方法。
【請求項１１】
トランシーバーと、
プロセッサーと
を備えたワイヤレス送信／受信ユニット（ＷＴＲＵ）であって、
前記トランシーバーおよび前記プロセッサーは、複数のエントリを含む時間ドメインリソース割り当て（ＴＤＲＡ）リストコンフィギュレーションを受信し、前記複数のエントリの各々は、スロットオフセット値を含むリソース割り当てを含むように構成され、
前記トランシーバーおよび前記プロセッサーは、最小スロットオフセット値を示すレイヤー１（Ｌ１）シグナリングを受信するようにさらに構成され、
前記トランシーバーおよび前記プロセッサーは、スロットにおける物理ダウンリンク制御チャネル（ＰＤＣＣＨ）上の第１のダウンリンク制御情報（ＤＣＩ）をデコードするようにさらに構成され、
前記トランシーバーおよび前記プロセッサーは、前記デコードされた第１のＤＣＩから、前記ＴＤＲＡリストにおける前記複数のエントリのうちの１つを識別するインデックスを取得するようにさらに構成され、
前記トランシーバーおよび前記プロセッサーは、前記ＴＤＲＡリストから、前記インデックスによって識別される特定スロットオフセット値を取り出すようにさらに構成され、
前記トランシーバーおよび前記プロセッサーは、前記最小スロットオフセット値と前記特定スロットオフセット値を比較するようにさらに構成され、
前記トランシーバーおよび前記プロセッサーは、前記特定スロットオフセット値が前記最小スロットオフセット値未満であるという条件で、前記インデックスによって識別される前記エントリが無効であると決定するようにさらに構成され、
前記トランシーバーおよび前記プロセッサーは、前記特定スロットオフセット値が前記最小スロットオフセット値以上であるという条件で、前記第１のＤＣＩが前記特定スロットオフセット値によってデコードされた前記スロットからオフセットされるスロットにおいて物理ダウンリンク共有チャネル（ＰＤＳＣＨ）を受信するようにさらに構成される
ことを特徴とするＷＴＲＵ。
【請求項１２】
前記トランシーバーおよび前記プロセッサーは、前記インデックスによって識別される前記エントリが、決定された無効であるという条件で、前記第１のＤＣＩが前記特定スロットオフセット値によってデコードされた前記スロットからオフセットされる前記スロットにおいて前記ＰＤＳＣＨを受信しないようにさらに構成されることを特徴とする請求項１１に記載のＷＴＲＵ。
【請求項１３】
前記トランシーバーおよび前記プロセッサーは、前記特定スロットオフセット値が前記最小スロットオフセット値未満であるという条件で、デフォルト値および前記特定スロットオフセット値のうちの１つに等しい前記最小スロットオフセット値に対して新しい値を設定するようにさらに構成されることを特徴とする請求項１１に記載のＷＴＲＵ。
【請求項１４】
前記デフォルト値は、ゼロスロットであることを特徴とする請求項１３に記載のＷＴＲＵ。
【請求項１５】
前記トランシーバーおよび前記プロセッサーは、非周期的チャネル状態情報（ＣＳＩ）報告に関連付けられた非零電力ＣＳＩ参照信号（ＮＺＰ−ＣＳＩ−ＲＳ）リソースセットに対する最小非周期的ＣＳＩオフセットが、バンド幅部分（ＢＷＰ）に対する前記Ｌ１シグナリングにおいて受信された前記最小スロットオフセット値に等しいと決定するようにさらに構成されることを特徴とする請求項１１に記載のＷＴＲＵ。
【請求項１６】
前記トランシーバーおよび前記プロセッサーは、第２のＤＣＩをデコードし、前記デコードされた第２のＤＣＩからＣＳＩ報告トリガーを取得するようにさらに構成され、前記ＣＳＩ報告トリガーは、ＮＺＰ−ＣＳＩ−ＲＳリソースセットに対する特定トリガーオフセットによって構成される前記ＮＺＰ−ＣＳＩ−ＲＳリソースセットを識別し、
前記トランシーバーおよび前記プロセッサーは、前記最小非周期的ＣＳＩオフセットと前記特定トリガーオフセットを比較するようにさらに構成され、
前記トランシーバーおよび前記プロセッサーは、前記特定トリガーオフセットが前記最小非周期的ＣＳＩオフセット未満であるという条件で、前記ＣＳＩ報告トリガーに応答して、前記識別されたＮＺＰ−ＣＳＩ−ＲＳリソースセットに関連付けられたＣＳＩを報告しないようにさらに構成され、
前記トランシーバーおよび前記プロセッサーは、前記特定トリガーオフセットが前記最小非周期的ＣＳＩオフセット以上であるという条件で、前記ＣＳＩ報告トリガーに応答して、前記識別されたＮＺＰ−ＣＳＩ−ＲＳリソースセットに関連付けられたＣＳＩを報告するようにさらに構成される
ことを特徴とする請求項１５に記載のＷＴＲＵ。
【請求項１７】
前記ＷＴＲＵは、１つまたは複数のエントリを含むＣＳＩ報告トリガー状態リストによって構成され、前記１つまたは複数のエントリの各々は、１つまたは複数のＮＺＰ−ＣＳＩ−ＲＳリソースセットを含み、前記１つまたは複数のＮＺＰ−ＣＳＩ−ＲＳリソースセットの各々は、時間−周波数リソースのセットの識別と前記ＮＺＰ−ＣＳＩ−ＲＳリソースセットに対するトリガーオフセットとを含むことを特徴とする請求項１６に記載のＷＴＲＵ。
【請求項１８】
前記Ｌ１シグナリングは、前記最小スロットオフセット値に対応する、前記ＷＴＲＵが動作することである電力モードを示すことを特徴とする請求項１７に記載のＷＴＲＵ。
【請求項１９】
前記電力モードは、パワーセービングスモードであることを特徴とする請求項１８に記載のＷＴＲＵ。
【請求項２０】
前記トランシーバーおよび前記プロセッサーは、通常電力モードを示すＬ１シグナリングを受信するようにさらに構成され、
前記トランシーバーおよび前記プロセッサーは、前記通常電力モードをアクティブ化するようにさらに構成され、
前記トランシーバーおよび前記プロセッサーは、前記通常電力モードがアクティブ化されるという条件で、前記ＴＤＲＡリストおよび前記ＣＳＩ報告トリガー状態リストにおけるすべてのエントリが有効であると決定するようにさらに構成される
ことを特徴とする請求項８に記載のＷＴＲＵ。
【発明の詳細な説明】
【技術分野】
【０００１】
本発明は、ワイヤレス送信／受信ユニット（ＷＴＲＵ）の電力制御のための方法および装置に関する。
【背景技術】
【０００２】
関連出願の相互参照
本出願は、２０１８年８月２１日に出願された米国特許仮出願第６２／７２０５４７号、２０１８年９月２５日に出願された米国特許仮出願第６２／７３５３９号、２０１８年１０月３０日に出願された米国特許仮出願第６２／７５２７９７号、２０１８年１０月３１日に出願された米国特許仮出願第６２／７５３５９７号、および２０１９年４月３０日に出願された米国特許仮出願第６２／８４０９３５号の利益を主張するものであり、それらの内容は、参照によって本明細書に組み込まれている。
【０００３】
ＬＴＥアドバンストプロおよび新無線（ＮＲ）のさらなる進化を含む次世代のエアインターフェースは、広範囲の使用事例をサポートすることを期待されている。そのような使用事例は、低電力低バンド幅、非常に広いバンド幅（たとえば、８０Ｍｈｚ）、および高い周波数（たとえば、＞６Ｇｈｚ）など、多様なＷＴＲＵ能力に関して、低オーバーヘッド低データレートの電力効率のよいサービス（ｍＭＴＣ）、超高信頼低遅延サービス（ＵＲＬＬＣ）、および高データレートのモバイルブロードバンドサービス（ｅＭＢＢ））など、さまざまなサービス要件を有することがある。そのような使用事例は、ライセンス供与されているまたはライセンス供与されていない／共有されている、といったさまざまなスペクトル使用モデルを有することがあり、スタンドアロンの、異なるエアインターフェースからの支援を伴った非スタンドアロンの、集中化されている、仮想化されている、または理想的な／非理想的なバックホールを介して分散されている、といった多様な展開シナリオに適合するのに十分な柔軟性を有するアーキテクチャーを使用して、静止している／固定されている、または高速列車など、さまざまなモビリティーシナリオのもとで動作することがある。
【発明の概要】
【０００４】
ワイヤレス送信／受信ユニット（ＷＴＲＵ）の電力制御のための方法および装置が説明される。方法は、エントリを含む時間ドメインリソース割り当て（ＴＤＲＡ；time domain resource allocation）リストコンフィギュレーション（list configuration）を受信するステップを含み、それぞれのエントリは、スロットオフセット値を含むリソース割り当てを含む。最小スロットオフセット値を示すＬ１シグナリングが受信される。ダウンリンク制御情報（ＤＣＩ）は、スロットにおける物理ダウンリンク制御チャネルについてデコードされる。ＴＤＲＡリストにおけるエントリを識別するインデックスは、デコードされたＤＣＩから取得される。インデックスによって識別された特定スロットオフセット値が、ＴＤＲＡリストから取り出され、最小スロットオフセット値と比較される。その特定スロットオフセット値が最小スロットオフセット値未満である場合には、エントリは無効である。その特定スロットオフセット値が最小スロットオフセット値以上である場合には、物理ダウンリンク共有チャネルが受信される。
【０００５】
例として添付の図面とともに与えられている下記の説明から、より詳細な理解が得られることが可能であり、図における同様の参照番号は、同様の要素を示している。
【図面の簡単な説明】
【０００６】
【図１Ａ】１つまたは複数の開示されている態様が実装され得る例示的な通信システムを示すシステム図である。
【図１Ｂ】態様に係る図１Ａにおいて示されている通信システム内で使用され得る例示的なワイヤレス送信／受信ユニット（ＷＴＲＵ）を示すシステム図である。
【図１Ｃ】態様に係る図１Ａにおいて示されている通信システム内で使用され得る例示的な無線アクセスネットワーク（ＲＡＮ）および例示的なコアネットワーク（ＣＮ）を示すシステム図である。
【図１Ｄ】態様に係る図１Ａにおいて示されている通信システム内で使用され得るさらなる例示的なＲＡＮおよびさらなる例示的なＣＮを示すシステム図である。
【図２】不連続受信（ＤＲＸ）の例の図である。
【図３】ウェイクアップおよびゴートゥースリープシグナリングを伴う例示的なＤＲＸサイクルの図である。
【図４】例示的なチャネル状態情報（ＣＳＩ）リソースコンフィギュレーションおよびＣＳＩ報告コンフィギュレーションの図である。
【図５】ＷＴＲＵの電力制御の例示的な方法のフロー図である。
【図６】別々の電力モードに対応し得る複数のレシーバーコンポーネントを伴って構成されている例示的なＷＴＲＵの図である。
【図７】別々のカバレッジシナリオにおける低電力モードレシーバーの例示的な使用を示すシステム図である。
【図８】２つの無線パフォーマンス状態の間における切り替えの例の図である。
【図９】電力モードに基づく複数のＤＲＸコンフィギュレーションの例の信号図である。
【図１０】別々のＤＲＸサイクルにおけるＯＮ持続時間の間における電力モード切り替えの例の信号図である。
【図１１】関連付けられているＰＤＣＣＨモニタリングの電力モードと、物理ダウンリンク制御チャネル（ＰＤＣＣＨ）モニタリングに関するアグリゲーションレベルのセットとを決定するウェイクアップ信号（ＷＵＳ）の例の信号図である。
【図１２】関連付けられている電力モード表示を伴う非周期的ＣＳＩ報告トリガリングの例の信号図である。
【図１３】周期的ＣＳＩ参照信号（ＣＳＩ−ＲＳ）および非周期的ＣＳＩ報告の例の信号図である。
【図１４】周期的ＣＳＩ−ＲＳおよび周期的ＣＳＩ報告の例の信号図である。
【図１５】タイマーを伴う例示的な最大ランク制限の信号図である。
【図１６】無線リンクモニタリング（ＲＬＭ）測定に基づいて減少する受信無線周波数（Ｒｘ  ＲＦ）チェーンの数の例を示すグラフである。
【図１７】ＲＬＭ測定に基づいて増大するＲｘ  ＲＦチェーンの数を示すグラフである。
【図１８】ＤＲＸ  ＯＮ持続時間タイムインターバルとともに再同期信号（ＲＳＳ）を処理することの例の信号図である。
【発明を実施するための形態】
【０００７】
図１Ａは、１つまたは複数の開示されている態様が実装され得る例示的な通信システム１００を示す図である。通信システム１００は、コンテンツ、たとえば、音声、データ、ビデオ、メッセージング、放送などを複数のワイヤレスユーザに提供するマルチプルアクセスシステムであり得る。通信システム１００は、複数のワイヤレスユーザに、ワイヤレスバンド幅を含むシステムリソースの共有を通じてそのようなコンテンツにアクセスできるようにすることがある。たとえば、通信システム１００は、１つまたは複数のチャネルアクセス方法、たとえば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワード離散フーリエ変換拡散ＯＦＤＭ（ＺＴ−ＵＷ−ＤＦＴ−Ｓ−ＯＦＤＭ）、ユニークワードＯＦＤＭ（ＵＷ−ＯＦＤＭ）、リソースブロックフィルタードＯＦＤＭ、フィルタバンクマルチキャリア（ＦＢＭＣ）などを採用することが可能である。
【０００８】
図１Ａにおいて示されているように、通信システム１００は、ワイヤレス送信／受信ユニット（ＷＴＲＵ）１０２ａ、１０２ｂ、１０２ｃ、１０２ｄ、無線アクセスネットワーク（ＲＡＮ）１０４、コアネットワーク（ＣＮ）１０６、公衆交換電話ネットワーク（ＰＳＴＮ）１０８、インターネット１１０、およびその他のネットワーク１１２を含み得るが、開示されている態様は、任意の数のＷＴＲＵ、基地局、ネットワーク、および／またはネットワーク要素を想定しているということが理解されるであろう。ＷＴＲＵ１０２ａ、１０２ｂ、１０２ｃ、１０２ｄのそれぞれは、ワイヤレス環境において動作および／または通信を行うように構成されている任意のタイプのデバイスであり得る。例として、ＷＴＲＵ１０２ａ、１０２ｂ、１０２ｃ、１０２ｄ（これらのいずれも、ステーション（ＳＴＡ）と呼ばれることが可能である）は、ワイヤレス信号を送信および／または受信するように構成されることが可能であり、ユーザ機器（ＵＥ）、移動局、固定式または移動式のサブスクライバーユニット、サブスクリプションベースのユニット、ページャー、セルラー電話、携帯情報端末（ＰＤＡ）、スマートフォン、ラップトップ、ネットブック、パーソナルコンピュータ、ワイヤレスセンサ、ホットスポットまたはＭｉ−Ｆｉデバイス、インターネットオブシングス（ＩｏＴ）デバイス、腕時計またはその他のウェアラブル、ヘッドマウントディスプレイ（ＨＭＤ）、乗り物、ドローン、医療デバイスおよびアプリケーション（たとえば、遠隔手術）、工業デバイスおよびアプリケーション（たとえば、工業および／または自動化された処理チェーンのコンテキストにおいて動作するロボットおよび／またはその他のワイヤレスデバイス）、家庭用電子機器、商業および／または工業ワイヤレスネットワーク上で動作するデバイスなどを含み得る。ＷＴＲＵ１０２ａ、１０２ｂ、１０２ｃ、および１０２ｄのいずれも、ＵＥと言い換え可能に呼ばれることが可能である。
【０００９】
通信システム１００は、基地局１１４ａおよび／または基地局１１４ｂを含むことも可能である。基地局１１４ａ、１１４ｂのそれぞれは、１つまたは複数の通信ネットワーク、たとえば、ＣＮ１０６、インターネット１１０、および／またはその他のネットワーク１１２へのアクセスを容易にするために、ＷＴＲＵ１０２ａ、１０２ｂ、１０２ｃ、１０２ｄのうちの少なくとも１つとワイヤレスにインターフェース接続するように構成されている任意のタイプのデバイスであり得る。例として、基地局１１４ａ、１１４ｂは、ベーストランシーバーステーション（ＢＴＳ）、ＮｏｄｅＢ、ｅＮｏｄｅ  Ｂ（ｅＮＢ）、ホームＮｏｄｅ  Ｂ、ホームｅＮｏｄｅ  Ｂ、ｇＮｏｄｅ  Ｂ（ｇＮＢ）などの次世代ＮｏｄｅＢ、新無線（ＮＲ）ＮｏｄｅＢ、サイトコントローラ、アクセスポイント（ＡＰ）、ワイヤレスルータなどであり得る。基地局１１４ａ、１１４ｂは、それぞれ単一の要素として示されているが、基地局１１４ａ、１１４ｂは、任意の数の相互接続された基地局および／またはネットワーク要素を含み得るということが理解されるであろう。
【００１０】
基地局１１４ａは、ＲＡＮ１０４の一部であることが可能であり、ＲＡＮ１０４は、その他の基地局および／またはネットワーク要素（図示せず）、たとえば、基地局コントローラ（ＢＳＣ）、無線ネットワークコントローラ（ＲＮＣ）、中継ノードなどを含むことも可能である。基地局１１４ａおよび／または基地局１１４ｂは、１つまたは複数のキャリア周波数上でワイヤレス信号を送信および／または受信するように構成されることが可能であり、それらのキャリア周波数は、セル（図示せず）と呼ばれることが可能である。これらの周波数は、ライセンス供与されているスペクトル、ライセンス供与されていないスペクトル、またはライセンス供与されているスペクトルと、ライセンス供与されていないスペクトルとの組合せであり得る。セルは、比較的固定されることが可能である、または時間とともに変わることが可能である特定の地理的エリアへのワイヤレスサービスのためのカバレッジを提供することが可能である。セルは、セルセクタへとさらに分割されることが可能である。たとえば、基地局１１４ａに関連付けられているセルは、３つのセクタへと分割されることが可能である。したがって、一態様においては、基地局１１４ａは、３つのトランシーバー、すなわち、セルのそれぞれのセクタごとに１つのトランシーバーを含み得る。態様においては、基地局１１４ａは、多入力多出力（ＭＩＭＯ）テクノロジーを採用することが可能であり、セルのそれぞれのセクタごとに複数のトランシーバーを利用することが可能である。たとえば、所望の空間方向において信号を送信および／または受信するためにビームフォーミングが使用され得る。
【００１１】
基地局１１４ａ、１１４ｂは、エアインターフェース１１６を介してＷＴＲＵ１０２ａ、１０２ｂ、１０２ｃ、１０２ｄのうちの１つまたは複数と通信することが可能であり、エアインターフェース１１６は、任意の適切なワイヤレス通信リンク（たとえば、無線周波数（ＲＦ）、マイクロ波、センチメートル波、マイクロメートル波、赤外線（ＩＲ）、紫外線（ＵＶ）、可視光など）であり得る。エアインターフェース１１６は、任意の適切な無線アクセステクノロジー（ＲＡＴ）を使用して確立されることが可能である。
【００１２】
より具体的には、上述されているように、通信システム１００は、マルチプルアクセスシステムであることが可能であり、１つまたは複数のチャネルアクセススキーム、たとえば、ＣＤＭＡ、ＴＤＭＡ、ＦＤＭＡ、ＯＦＤＭＡ、ＳＣ−ＦＤＭＡなどを採用することが可能である。たとえば、ＲＡＮ１０４における基地局１１４ａ、およびＷＴＲＵ１０２ａ、１０２ｂ、１０２ｃは、ユニバーサルモバイルテレコミュニケーションズシステム（ＵＭＴＳ）テレストリアルラジオアクセス（ＵＴＲＡ）などの無線テクノロジーを実装することが可能であり、この無線テクノロジーは、ワイドバンドＣＤＭＡ（ＷＣＤＭＡ）を使用してエアインターフェース１１６を確立することが可能である。ＷＣＤＭＡは、ハイスピードパケットアクセス（ＨＳＰＡ）および／またはエボルブドＨＳＰＡ（ＨＳＰＡ＋）などの通信プロトコルを含み得る。ＨＳＰＡは、ハイスピードダウンリンク（ＤＬ）パケットアクセス（ＨＳＤＰＡ）および／またはハイスピードアップリンク（ＵＬ）パケットアクセス（ＨＳＵＰＡ）を含み得る。
【００１３】
態様においては、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立することが可能であるエボルブドＵＭＴＳテレストリアルラジオアクセス（Ｅ−ＵＴＲＡ）などの無線テクノロジーを実装することが可能である。
【００１４】
態様においては、基地局１１４ａおよびＷＴＲＵ１０２ａ、１０２ｂ、１０２ｃは、ＮＲを使用してエアインターフェース１１６を確立することが可能であるＮＲ無線アクセスなどの無線テクノロジーを実装することが可能である。
【００１５】
態様においては、基地局１１４ａおよびＷＴＲＵ１０２ａ、１０２ｂ、１０２ｃは、複数の無線アクセステクノロジーを実装することが可能である。たとえば、基地局１１４ａおよびＷＴＲＵ１０２ａ、１０２ｂ、１０２ｃは、たとえばデュアル接続（ＤＣ）原理を使用して、ＬＴＥ無線アクセスおよびＮＲ無線アクセスをともに実装することが可能である。したがって、ＷＴＲＵ１０２ａ、１０２ｂ、１０２ｃによって利用されるエアインターフェースは、複数のタイプの無線アクセステクノロジー、および／または複数のタイプの基地局（たとえば、ｅＮＢおよびｇＮＢ）へ／から送られる送信によって特徴付けられることが可能である。
【００１６】
その他の態様においては、基地局１１４ａおよびＷＴＲＵ１０２ａ、１０２ｂ、１０２ｃは、無線テクノロジー、たとえば、ＩＥＥＥ８０２．１１（すなわち、ワイヤレスフィディリティー（ＷｉＦｉ）、ＩＥＥＥ８０２．１６（すなわち、ワールドワイドインターオペラビリティーフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、グローバルシステムフォーモバイルコミュニケーションズ（ＧＳＭ）、エンハンストデータレートフォーＧＳＭエボリューション（ＥＤＧＥ）、ＧＳＭ  ＥＤＧＥ（ＧＥＲＡＮ）などを実装することが可能である。
【００１７】
図１Ａにおける基地局１１４ｂは、たとえば、ワイヤレスルータ、ホームＮｏｄｅ  Ｂ、ホームｅＮｏｄｅ  Ｂ、またはアクセスポイントであることが可能であり、局所的なエリア、たとえば、事業所、家庭、乗り物、キャンパス、工業施設、空中回廊（たとえば、ドローンによる使用のための）、車道などにおけるワイヤレス接続を容易にするために、任意の適切なＲＡＴを利用することが可能である。一態様においては、基地局１１４ｂおよびＷＴＲＵ１０２ｃ、１０２ｄは、ワイヤレスローカルエリアネットワーク（ＷＬＡＮ）を確立するために、ＩＥＥＥ８０２．１１などの無線テクノロジーを実装することが可能である。態様においては、基地局１１４ｂおよびＷＴＲＵ１０２ｃ、１０２ｄは、ワイヤレスパーソナルエリアネットワーク（ＷＰＡＮ）を確立するために、ＩＥＥＥ８０２．１５などの無線テクノロジーを実装することが可能である。さらに別の態様においては、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することが可能である。図１Ａにおいて示されているように、基地局１１４ｂは、インターネット１１０への直接接続を有することが可能である。したがって基地局１１４ｂは、ＣＮ１０６を介してインターネット１１０にアクセスすることを求められないことが可能である。
【００１８】
ＲＡＮ１０４は、ＣＮ１０６と通信状態にあることが可能であり、ＣＮ１０６は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１つまたは複数に提供するように構成されている任意のタイプのネットワークであり得る。データは、さまざまなサービス品質（ＱｏＳ）要件、たとえば、別々のスループット要件、待ち時間要件、エラー許容範囲要件、信頼性要件、データスループット要件、モビリティー要件などを有することが可能である。ＣＮ１０６は、コール制御、料金請求サービス、モバイルロケーションベースサービス、プリペイドコーリング、インターネット接続、ビデオ配信などを提供すること、および／またはハイレベルセキュリティー機能、たとえばユーザ認証を実行することが可能である。図１Ａにおいては示されていないが、ＲＡＮ１０４および／またはＣＮ１０６は、ＲＡＮ１０４と同じＲＡＴまたは異なるＲＡＴを採用しているその他のＲＡＮと直接または間接の通信状態にあり得るということが理解されるであろう。たとえば、ＣＮ１０６は、ＮＲ無線テクノロジーを利用していることが可能であるＲＡＮ１０４に接続されていることに加えて、ＧＳＭ、ＵＭＴＳ、ＣＤＭＡ２０００、ＷｉＭＡＸ、Ｅ−ＵＴＲＡ、またはＷｉＦｉ無線テクノロジーを採用している別のＲＡＮ（図示せず）と通信状態にあることも可能である。
【００１９】
ＣＮ１０６は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしての役割を果たすことも可能である。ＰＳＴＮ１０８は、単純旧式電話サービス（ＰＯＴＳ）を提供する回線交換電話ネットワークを含み得る。インターネット１１０は、一般的な通信プロトコル、たとえば、トランスミッション制御プロトコル（ＴＣＰ）／インターネットプロトコル（ＩＰ）インターネットプロトコルスイートにおけるＴＣＰ、ユーザデータグラムプロトコル（ＵＤＰ）、および／またはＩＰを使用する相互接続されたコンピュータネットワークおよびデバイスからなるグローバルシステムを含み得る。ネットワーク１１２は、その他のサービスプロバイダによって所有および／または運営されている有線通信ネットワークおよび／またはワイヤレス通信ネットワークを含み得る。たとえば、ネットワーク１１２は、ＲＡＮ１０４と同じＲＡＴまたは異なるＲＡＴを採用することが可能である１つまたは複数のＲＡＮに接続されている別のＣＮを含み得る。
【００２０】
通信システム１００におけるＷＴＲＵ１０２ａ、１０２ｂ、１０２ｃ、１０２ｄのうちのいくつかまたはすべては、マルチモード機能を含み得る（たとえば、ＷＴＲＵ１０２ａ、１０２ｂ、１０２ｃ、１０２ｄは、別々のワイヤレスリンクを介して別々のワイヤレスネットワークと通信するために複数のトランシーバーを含み得る）。たとえば、図１Ａにおいて示されているＷＴＲＵ１０２ｃは、セルラーベースの無線テクノロジーを採用することが可能である基地局１１４ａと、およびＩＥＥＥ８０２無線テクノロジーを採用することが可能である基地局１１４ｂと通信するように構成されることが可能である。
【００２１】
図１Ｂは、例示的なＷＴＲＵ１０２を示すシステム図である。図１Ｂにおいて示されているように、ＷＴＲＵ１０２は、数ある中でも、プロセッサー１１８、トランシーバー１２０、送信／受信要素１２２、スピーカー／マイクロフォン１２４、キーパッド１２６、ディスプレイ／タッチパッド１２８、取り外し不可能なメモリー１３０、取り外し可能なメモリー１３２、電源１３４、グローバルポジショニングシステム（ＧＰＳ）チップセット１３６、および／またはその他の周辺機器１３８を含み得る。ＷＴＲＵ１０２は、態様との整合性を保持しながら、上述の要素の任意の下位組合せを含み得るということが理解されるであろう。
【００２２】
プロセッサー１１８は、汎用プロセッサー、専用プロセッサー、従来型プロセッサー、デジタルシグナルプロセッサー（ＤＳＰ）、複数のマイクロプロセッサー、ＤＳＰコアに関連付けられている１つもしくは複数のマイクロプロセッサー、コントローラ、マイクロコントローラ、特定用途向け集積回路（ＡＳＩＣ）、フィールドプログラマブルゲートアレイ（ＦＰＧＡ）、その他の任意のタイプの集積回路（ＩＣ）、状態マシンなどであり得る。プロセッサー１１８は、信号コーディング、データ処理、電力制御、入力／出力処理、および／またはＷＴＲＵ１０２に、ワイヤレス環境において動作できるようにするその他の任意の機能を実行することが可能である。プロセッサー１１８は、トランシーバー１２０に結合されることが可能であり、トランシーバー１２０は、送信／受信要素１２２に結合されることが可能である。図１Ｂは、プロセッサー１１８およびトランシーバー１２０を別々のコンポーネントとして示しているが、プロセッサー１１８およびトランシーバー１２０は、電子パッケージまたはチップにおいてともに統合されることが可能であるということが理解されるであろう。
【００２３】
送信／受信要素１２２は、エアインターフェース１１６を介して、基地局（たとえば、基地局１１４ａ）に信号を送信するように、または基地局（たとえば、基地局１１４ａ）から信号を受信するように構成されることが可能である。たとえば、一態様においては、送信／受信要素１２２は、ＲＦ信号を送信および／または受信するように構成されているアンテナであり得る。態様においては、送信／受信要素１２２は、たとえば、ＩＲ信号、ＵＶ信号、または可視光信号を送信および／または受信するように構成されているエミッタ／検知器であり得る。さらに別の態様においては、送信／受信要素１２２は、ＲＦ信号および光信号の両方を送信および／または受信するように構成されることが可能である。送信／受信要素１２２は、ワイヤレス信号の任意の組合せを送信および／または受信するように構成されることが可能であるということが理解されるであろう。
【００２４】
送信／受信要素１２２は、図１Ｂにおいては単一の要素として示されているが、ＷＴＲＵ１０２は、任意の数の送信／受信要素１２２を含み得る。より具体的には、ＷＴＲＵ１０２は、ＭＩＭＯテクノロジーを採用することが可能である。したがって、一態様においては、ＷＴＲＵ１０２は、エアインターフェース１１６を介してワイヤレス信号を送信および受信するために、２つ以上の送信／受信要素１２２（たとえば、複数のアンテナ）を含み得る。
【００２５】
トランシーバー１２０は、送信／受信要素１２２によって送信されることになる信号を変調するように、および送信／受信要素１２２によって受信される信号を復調するように構成されることが可能である。上述されているように、ＷＴＲＵ１０２は、マルチモード機能を有することが可能である。したがってトランシーバー１２０は、ＷＴＲＵ１０２が、たとえばＮＲおよびＩＥＥＥ８０２．１１などの複数のＲＡＴを介して通信することを可能にするために複数のトランシーバーを含み得る。
【００２６】
ＷＴＲＵ１０２のプロセッサー１１８は、スピーカー／マイクロフォン１２４、キーパッド１２６、および／またはディスプレイ／タッチパッド１２８（たとえば、液晶ディスプレイ（ＬＣＤ）ディスプレイユニットもしくは有機発光ダイオード（ＯＬＥＤ）ディスプレイユニット）に結合されることが可能であり、そこからユーザ入力データを受信することが可能である。プロセッサー１１８は、ユーザデータをスピーカー／マイクロフォン１２４、キーパッド１２６、および／またはディスプレイ／タッチパッド１２８へ出力することも可能である。加えて、プロセッサー１１８は、任意のタイプの適切なメモリー、たとえば、取り外し不可能なメモリー１３０および／または取り外し可能なメモリー１３２からの情報にアクセスすること、およびそれらのメモリーにデータを格納することが可能である。取り外し不可能なメモリー１３０は、ランダムアクセスメモリ（ＲＡＭ）、読み取り専用メモリー（ＲＯＭ）、ハードディスク、またはその他の任意のタイプのメモリストレージデバイスを含み得る。取り外し可能なメモリー１３２は、サブスクライバーアイデンティティーモジュール（ＳＩＭ）カード、メモリスティック、セキュアデジタル（ＳＤ）メモリカードなどを含み得る。その他の態様においては、プロセッサー１１８は、ＷＴＲＵ１０２上に物理的に配置されていない、たとえば、サーバまたはホームコンピュータ（図示せず）上のメモリーからの情報にアクセスすること、およびそのメモリーにデータを格納することが可能である。
【００２７】
プロセッサー１１８は、電源１３４から電力を受け取ることが可能であり、ＷＴＲＵ１０２におけるその他のコンポーネントへの電力を分配および／または制御するように構成されることが可能である。電源１３４は、ＷＴＲＵ１０２に電力供給するための任意の適切なデバイスであり得る。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００２８】
プロセッサー１１８は、ＧＰＳチップセット１３６に結合されることも可能であり、ＧＰＳチップセット１３６は、ＷＴＲＵ１０２の現在のロケーションに関するロケーション情報（たとえば、経度および緯度）を提供するように構成されることが可能である。ＷＴＲＵ１０２は、ＧＰＳチップセット１３６からの情報に加えて、またはその情報の代わりに、基地局（たとえば、基地局１１４ａ、１１４ｂ）からエアインターフェース１１６を介してロケーション情報を受信すること、および／または２つ以上の近隣の基地局から受信されている信号のタイミングに基づいてそれのロケーションを決定することが可能である。ＷＴＲＵ１０２は、態様との整合性を保持しながら、任意の適切なロケーション決定方法を通じてロケーション情報を習得することがあるということが理解されるであろう。
【００２９】
プロセッサー１１８は、その他の周辺機器１３８にさらに結合されることが可能であり、その他の周辺機器１３８は、さらなる特徴、機能性、および／または有線接続もしくはワイヤレス接続を提供する１つまたは複数のソフトウェアモジュールおよび／またはハードウェアモジュールを含み得る。たとえば、周辺機器１３８は、加速度計、ｅコンパス、衛星トランシーバー、デジタルカメラ（写真および／またはビデオ用）、ユニバーサルシリアルバス（ＵＳＢ）ポート、振動デバイス、テレビジョントランシーバー、ハンドフリーヘッドセット、Ｂｌｕｅｔｏｏｔｈ（登録商標）モジュール、周波数変調（ＦＭ）ラジオユニット、デジタルミュージックプレーヤ、メディアプレーヤ、ビデオゲームプレーヤモジュール、インターネットブラウザ、仮想現実および／または拡張現実（ＶＲ／ＡＲ）デバイス、アクティビティートラッカーなどを含み得る。周辺機器１３８は、１つまたは複数のセンサを含み得る。それらのセンサは、ジャイロスコープ、加速度計、ホール効果センサ、磁力計、方位センサ、プロキシミティーセンサ、温度センサ、時間センサ、ジオロケーションセンサ、高度計、光センサ、タッチセンサ、磁力計、バロメータ、ジェスチャーセンサ、バイオメトリックセンサ、湿度センサなどのうちの１つまたは複数であり得る。
【００３０】
ＷＴＲＵ１０２は、（たとえば、ＵＬ（たとえば、送信用）およびＤＬ（たとえば、受信用）の両方に関して特定のサブフレームに関連付けられている信号のうちのいくつかまたはすべての送信および受信が並列および／または同時であり得る全二重無線を含み得る。全二重無線は、ハードウェア（たとえば、チョーク）、またはプロセッサーを介した（たとえば、別個のプロセッサー（図示せず）もしくはプロセッサー１１８を介した）信号処理を介して自己干渉を減らすおよびまたは実質的になくすための干渉管理ユニットを含み得る。態様においては、ＷＴＲＵ１０２は、（たとえば、ＵＬ（たとえば、送信用）またはＤＬ（たとえば、受信用）のいずれかに関して特定のサブフレームに関連付けられている）信号のうちのいくつかまたはすべての送信および受信に対する半二重無線を含み得る。
【００３１】
図１Ｃは、態様に係るＲＡＮ１０４およびＣＮ１０６を示すシステム図である。上述されているように、ＲＡＮ１０４は、エアインターフェース１１６を介してＷＴＲＵ１０２ａ、１０２ｂ、１０２ｃと通信するためにＥ−ＵＴＲＡ無線テクノロジーを採用することが可能である。ＲＡＮ１０４は、ＣＮ１０６と通信状態にあることも可能である。
【００３２】
ＲＡＮ１０４は、ｅＮｏｄｅ−Ｂ１６０ａ、１６０ｂ、１６０ｃを含み得るが、ＲＡＮ１０４は、態様との整合性を保持しながら、任意の数のｅＮｏｄｅ−Ｂを含み得るということが理解されるであろう。ｅＮｏｄｅ−Ｂ１６０ａ、１６０ｂ、１６０ｃはそれぞれ、エアインターフェース１１６を介してＷＴＲＵ１０２ａ、１０２ｂ、１０２ｃと通信するために１つまたは複数のトランシーバーを含み得る。一態様においては、ｅＮｏｄｅ−Ｂ１６０ａ、１６０ｂ、１６０ｃは、ＭＩＭＯテクノロジーを実装することが可能である。したがって、ｅＮｏｄｅ−Ｂ１６０ａは、たとえば、ＷＴＲＵ１０２ａにワイヤレス信号を送信するために、および／またはＷＴＲＵ１０２ａからワイヤレス信号を受信するために、複数のアンテナを使用することが可能である。
【００３３】
ｅＮｏｄｅ−Ｂ１６０ａ、１６０ｂ、１６０ｃのそれぞれは、特定のセル（図示せず）に関連付けられることが可能であり、無線リソース管理の決定、ハンドオーバーの決定、ＵＬおよび／またはＤＬにおけるユーザのスケジューリングなどを取り扱うように構成されることが可能である。図１Ｃにおいて示されているように、ｅＮｏｄｅ−Ｂ１６０ａ、１６０ｂ、１６０ｃは、Ｘ２インターフェースを介して互いに通信することが可能である。
【００３４】
図１Ｃにおいて示されているＣＮ１０６は、モビリティー管理エンティティー（ＭＭＥ）１６２、サービングゲートウェイ（ＳＧＷ）１６４、およびパケットデータネットワーク（ＰＤＮ）ゲートウェイ（ＰＧＷ）１６６を含み得る。上述の要素は、ＣＮ１０６の一部として示されているが、これらの要素のうちのいずれかが、ＣＮオペレータ以外のエンティティーによって所有および／または運営されることが可能であるということが理解されるであろう。
【００３５】
ＭＭＥ１６２は、Ｓ１インターフェースを介してＲＡＮ１０４におけるｅＮｏｄｅ−Ｂ１６２ａ、１６２ｂ、１６２ｃのそれぞれに接続されることが可能であり、制御ノードとしての役割を果たすことが可能である。たとえば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの最初の接続中に特定のサービングゲートウェイを選択することなどを担当することが可能である。ＭＭＥ１６２は、ＲＡＮ１０４と、ＧＳＭおよび／またはＷＣＤＭＡなどのその他の無線テクノロジーを採用しているその他のＲＡＮ（図示せず）との間における切り替えを行うための制御プレーン機能を提供することが可能である。
【００３６】
ＳＧＷ１６４は、Ｓ１インターフェースを介してＲＡＮ１０４におけるｅＮｏｄｅ  Ｂ１６０ａ、１６０ｂ、１６０ｃのそれぞれに接続されることが可能である。ＳＧＷ１６４は一般に、ユーザデータパケットをＷＴＲＵ１０２ａ、１０２ｂ、１０２ｃへ／ＷＴＲＵ１０２ａ、１０２ｂ、１０２ｃからルーティングおよび転送することが可能である。ＳＧＷ１６４は、その他の機能、たとえば、ｅＮｏｄｅ  Ｂ間でのハンドオーバー中にユーザプレーンを固定すること、ＷＴＲＵ１０２ａ、１０２ｂ、１０２ｃにとってＤＬデータが利用可能である場合にページングをトリガーすること、ＷＴＲＵ１０２ａ、１０２ｂ、１０２ｃのコンテキストを管理および格納することなどを行うことがある。
【００３７】
ＳＧＷ１６４は、ＰＧＷ１６６に接続されることが可能であり、ＰＧＷ１６６は、ＷＴＲＵ１０２ａ、１０２ｂ、１０２ｃと、ＩＰ対応デバイスとの間における通信を容易にするために、インターネット１１０などのパケット交換ネットワークへのアクセスをＷＴＲＵ１０２ａ、１０２ｂ、１０２ｃに提供することが可能である。
【００３８】
ＣＮ１０６は、その他のネットワークとの通信を容易にすることが可能である。たとえば、ＣＮ１０６は、ＷＴＲＵ１０２ａ、１０２ｂ、１０２ｃと、従来の地上通信線通信デバイスとの間における通信を容易にするために、ＰＳＴＮ１０８などの回線交換ネットワークへのアクセスをＷＴＲＵ１０２ａ、１０２ｂ、１０２ｃに提供することが可能である。たとえば、ＣＮ１０６は、ＣＮ１０６とＰＳＴＮ１０８との間におけるインターフェースとしての役割を果たすＩＰゲートウェイ（たとえば、ＩＰマルチメディアサブシステム（ＩＭＳ）サーバ）を含むことが可能であり、またはそうしたＩＰゲートウェイと通信することが可能である。加えて、ＣＮ１０６は、その他のネットワーク１１２へのアクセスをＷＴＲＵ１０２ａ、１０２ｂ、１０２ｃに提供することが可能であり、その他のネットワーク１１２は、その他のサービスプロバイダによって所有および／または運営されているその他の有線ネットワークおよび／またはワイヤレスネットワークを含み得る。
【００３９】
ＷＴＲＵは、図１Ａ〜図１Ｄにてワイヤレス端末として説明されるが、特定の代表的な態様において、そのような端末は、通信ネットワークとの有線通信インターフェースを（たとえば、一時的にまたは永久に）使用することが可能であると想定される。
【００４０】
代表的な態様においては、その他のネットワーク１１２は、ＷＬＡＮであり得る。
【００４１】
インフラストラクチャーベーシックサービスセット（ＢＳＳ）モードにおけるＷＬＡＮは、ＢＳＳ用のアクセスポイント（ＡＰ）と、ＡＰに関連付けられている１つまたは複数のステーション（ＳＴＡ）とを有することが可能である。ＡＰは、ＢＳＳとの間で出入りするトラフィックを搬送する配信システム（ＤＳ）または別のタイプの有線／ワイヤレスネットワークへのアクセスまたはインターフェースを有することが可能である。ＢＳＳの外部から生じるＳＴＡへのトラフィックは、ＡＰを通じて着信することが可能であり、ＳＴＡへ配信されることが可能である。ＳＴＡからＢＳＳの外部の宛先へ生じるトラフィックは、ＡＰへ送られて、それぞれの宛先へ配信されることが可能である。ＢＳＳ内のＳＴＡ間におけるトラフィックは、たとえば、ソースＳＴＡがトラフィックをＡＰへ送ることが可能であり、ＡＰがそのトラフィックを宛先ＳＴＡへ配信することが可能である場合には、ＡＰを通じて送られることが可能である。ＢＳＳ内のＳＴＡ間におけるトラフィックは、ピアツーピアトラフィックとみなされること、および／または呼ばれることが可能である。ピアツーピアトラフィックは、ダイレクトリンクセットアップ（ＤＬＳ）を用いてソースＳＴＡと宛先ＳＴＡとの間において（たとえば、間において直接）送られることが可能である。特定の代表的な態様においては、ＤＬＳは、８０２．１１ｅ  ＤＬＳまたは８０２．１１ｚトンネルドＤＬＳ（ＴＤＬＳ）を使用することが可能である。独立ＢＳＳ（ＩＢＳＳ）モードを使用するＷＬＡＮは、ＡＰを有さないことが可能であり、ＩＢＳＳ内のまたはＩＢＳＳを使用するＳＴＡ（たとえば、ＳＴＡのうちのすべて）は、互いに直接通信することが可能である。通信のＩＢＳＳモードは、本明細書においては、時には通信の「アドホック」モードと呼ばれることが可能である。
【００４２】
オペレーションの８０２．１１ａｃインフラストラクチャーモードまたはオペレーションの同様のモードを使用する場合には、ＡＰは、プライマリーチャネルなどの固定されたチャネル上でビーコンを送信することが可能である。プライマリーチャネルは、固定された幅（たとえば、２０ＭＨｚの幅のバンド幅）または動的に設定される幅であり得る。プライマリーチャネルは、ＢＳＳの動作チャネルであることが可能であり、ＡＰとの接続を確立するためにＳＴＡによって使用され得る。特定の代表的な態様においては、たとえば８０２．１１システムにおいて、搬送波感知多重アクセス／衝突回避方式（ＣＳＭＡ／ＣＡ）が実装され得る。ＣＳＭＡ／ＣＡに関しては、ＡＰを含むＳＴＡ（たとえば、あらゆるＳＴＡ）は、プライマリーチャネルを感知することが可能である。特定のＳＴＡによってプライマリーチャネルが感知／検知され、および／またはビジーであると決定された場合には、その特定のＳＴＡは、引き下がることが可能である。１つのＳＴＡ（たとえば、１つのステーションのみ）が、所与のＢＳＳにおいて任意の所与の時点で送信を行うことが可能である。
【００４３】
高スループット（ＨＴ）ＳＴＡは、たとえば、プライマリー２０ＭＨｚチャネルと、隣り合っているまたは隣り合っていない２０ＭＨｚのチャネルとを組み合わせて４０ＭＨｚの幅のチャネルを形成することを介して、通信のために４０ＭＨｚの幅のチャネルを使用することが可能である。
【００４４】
超高スループット（ＶＨＴ）ＳＴＡは、２０ＭＨｚ、４０ＭＨｚ、８０ＭＨｚ、および／または１６０ＭＨｚの幅のチャネルをサポートすることが可能である。４０ＭＨｚのチャネル、および／または８０ＭＨｚのチャネルは、隣接している２０ＭＨｚのチャネルを組み合わせることによって形成されることが可能である。１６０ＭＨｚのチャネルは、８つの隣接している２０ＭＨｚのチャネルを組み合わせることによって、または２つの隣接していない８０ＭＨｚのチャネルを組み合わせること（これは、８０＋８０構成と呼ばれることが可能である）によって形成されることが可能である。８０＋８０構成に関しては、データは、チャネルエンコーディングの後に、セグメントパーサに通されることが可能であり、セグメントパーサは、そのデータを２つのストリームへと分割することが可能である。逆高速フーリエ変換（ＩＦＦＴ）処理、および時間ドメイン処理が、それぞれのストリーム上で別々に行われることが可能である。それらのストリームは、２つの８０ＭＨｚのチャネル上にマップされることが可能であり、データは、送信側ＳＴＡによって送信されることが可能である。受信側ＳＴＡのレシーバーにおいては、８０＋８０構成に関する上述のオペレーションは、逆にされることが可能であり、組み合わされたデータは、メディアアクセス制御（ＭＡＣ）へ送られることが可能である。
【００４５】
オペレーションのサブ１ＧＨｚモードが、８０２．１１ａｆおよび８０２．１１ａｈによってサポートされている。チャネル動作バンド幅、およびキャリアは、８０２．１１ａｆおよび８０２．１１ａｈにおいては、８０２．１１ｎおよび８０２．１１ａｃにおいて使用されるものに比べて低減される。８０２．１１ａｆは、ＴＶホワイトスペース（ＴＶＷＳ）スペクトルにおける５ＭＨｚ、１０ＭＨｚ、および２０ＭＨｚのバンド幅をサポートし、８０２．１１ａｈは、非ＴＶＷＳスペクトルを使用する１ＭＨｚ、２ＭＨｚ、４ＭＨｚ、８ＭＨｚ、および１６ＭＨｚのバンド幅をサポートする。代表的な態様によれば、８０２．１１ａｈは、マクロカバレッジエリアにおけるＭＴＣデバイスなど、メータタイプ制御／マシンタイプ通信（ＭＴＣ）をサポートすることが可能である。ＭＴＣデバイスは、特定の能力、たとえば、特定のおよび／または限られたバンド幅に関するサポートを（たとえば、それらに関するサポートのみを）含む限られた能力を有することが可能である。ＭＴＣデバイスは、（たとえば、非常に長いバッテリー寿命を保持するために）しきい値を上回るバッテリー寿命を有するバッテリーを含み得る。
【００４６】
複数のチャネル、およびチャネルバンド幅、たとえば、８０２．１１ｎ、８０２．１１ａｃ、８０２．１１ａｆ、および８０２．１１ａｈをサポートすることが可能であるＷＬＡＮシステムは、プライマリーチャネルとして指定されることが可能であるチャネルを含む。プライマリーチャネルは、ＢＳＳにおけるすべてのＳＴＡによってサポートされている最大の共通動作バンド幅に等しいバンド幅を有することが可能である。プライマリーチャネルのバンド幅は、ＢＳＳにおいて動作しているすべてのＳＴＡのうちで、最小のバンド幅動作モードをサポートしているＳＴＡによって設定および／または制限されることが可能である。８０２．１１ａｈの例においては、１ＭＨｚモードをサポートする（たとえば、サポートするだけである）ＳＴＡ（たとえば、ＭＴＣタイプデバイス）に関しては、たとえＡＰ、およびＢＳＳにおけるその他のＳＴＡが、２ＭＨｚ、４ＭＨｚ、８ＭＨｚ、１６ＭＨｚ、および／またはその他のチャネルバンド幅動作モードをサポートしていても、プライマリーチャネルは、１ＭＨｚの幅であり得る。キャリア感知および／またはネットワーク割り当てベクトル（ＮＡＶ）設定は、プライマリーチャネルのステータスに依存することがある。たとえば（１ＭＨｚの動作モードだけをサポートする）ＳＴＡがＡＰへの送信を行っていることに起因して、プライマリーチャネルがビジーである場合には、すべての利用可能な周波数バンドは、たとえそれらの利用可能な周波数バンドの大部分がアイドルのままであっても、ビジーとみなされることがある。
【００４７】
米国においては、８０２．１１ａｈによって使用され得る利用可能な周波数バンドは、９０２ＭＨｚから９２８ＭＨｚまでである。韓国においては、利用可能な周波数バンドは、９１７．５ＭＨｚから９２３．５ＭＨｚまでである。日本においては、利用可能な周波数バンドは、９１６．５ＭＨｚから９２７．５ＭＨｚまでである。８０２．１１ａｈにとって利用可能な合計のバンド幅は、国コードに応じて６ＭＨｚから２６ＭＨｚである。
【００４８】
図１Ｄは、態様に係るＲＡＮ１０４およびＣＮ１０６を示すシステム図である。上述されているように、ＲＡＮ１０４は、エアインターフェース１１６を介してＷＴＲＵ１０２ａ、１０２ｂ、１０２ｃと通信するためにＮＲ無線テクノロジーを採用することが可能である。ＲＡＮ１０４は、ＣＮ１０６と通信状態にあることも可能である。
【００４９】
ＲＡＮ１０４は、ｇＮＢ１８０ａ、１８０ｂ、１８０ｃを含み得るが、ＲＡＮ１０４は、態様との整合性を保持しながら、任意の数のｇＮＢを含み得るということが理解されるであろう。ｇＮＢ１８０ａ、１８０ｂ、１８０ｃはそれぞれ、エアインターフェース１１６を介してＷＴＲＵ１０２ａ、１０２ｂ、１０２ｃと通信するために１つまたは複数のトランシーバーを含み得る。一態様においては、ｇＮＢ１８０ａ、１８０ｂ、１８０ｃは、ＭＩＭＯテクノロジーを実装することが可能である。たとえば、ｇＮＢ１８０ａ、１０８ｂは、ｇＮＢ１８０ａ、１８０ｂ、１８０ｃへ信号を送信するために、および／またはｇＮＢ１８０ａ、１８０ｂ、１８０ｃから信号を受信するために、ビームフォーミングを利用することが可能である。したがって、ｇＮＢ１８０ａは、たとえば、ＷＴＲＵ１０２ａへワイヤレス信号を送信するために、および／またはＷＴＲＵ１０２ａからワイヤレス信号を受信するために、複数のアンテナを使用することが可能である。態様においては、ｇＮＢ１８０ａ、１８０ｂ、１８０ｃは、キャリアアグリゲーションテクノロジーを実装することが可能である。たとえば、ｇＮＢ１８０ａは、複数のコンポーネントキャリアをＷＴＲＵ１０２ａ（図示せず）へ送信することが可能である。これらのコンポーネントキャリアのサブセットが、ライセンス供与されていないスペクトル上にあることがあり、その一方で残りのコンポーネントキャリアは、ライセンス供与されているスペクトル上にあり得る。態様においては、ｇＮＢ１８０ａ、１８０ｂ、１８０ｃは、協調マルチポイント（ＣｏＭＰ）テクノロジーを実装することが可能である。たとえば、ＷＴＲＵ１０２ａは、ｇＮＢ１８０ａおよびｇＮＢ１８０ｂ（および／またはｇＮＢ１８０ｃ）から協調送信を受信することが可能である。
【００５０】
ＷＴＲＵ１０２ａ、１０２ｂ、１０２ｃは、スケーラブルなニューメロロジーに関連付けられている送信を使用して、ｇＮＢ１８０ａ、１８０ｂ、１８０ｃと通信することが可能である。たとえば、ＯＦＤＭシンボルスペーシングおよび／またはＯＦＤＭサブキャリアスペーシングは、別々の送信、別々のセル、および／またはワイヤレス送信スペクトルの別々の部分ごとに異なることが可能である。ＷＴＲＵ１０２ａ、１０２ｂ、１０２ｃは、（たとえば、さまざまな数のＯＦＤＭシンボルおよび／または持続するさまざまな長さの絶対時間を含む）さまざまなまたはスケーラブルな長さのサブフレームまたは送信タイムインターバル（ＴＴＩ）を使用して、ｇＮＢ１８０ａ、１８０ｂ、１８０ｃと通信することが可能である。
【００５１】
ｇＮＢ１８０ａ、１８０ｂ、１８０ｃは、スタンドアロンの構成および／またはスタンドアロンではない構成でＷＴＲＵ１０２ａ、１０２ｂ、１０２ｃと通信するように構成されることが可能である。スタンドアロンの構成においては、ＷＴＲＵ１０２ａ、１０２ｂ、１０２ｃは、その他のＲＡＮ（たとえば、ｅＮｏｄｅ−Ｂ１６０ａ、１６０ｂ、１６０ｃなど）にアクセスすることも伴わずに、ｇＮＢ１８０ａ、１８０ｂ、１８０ｃと通信することが可能である。スタンドアロンの構成においては、ＷＴＲＵ１０２ａ、１０２ｂ、１０２ｃは、ｇＮＢ１８０ａ、１８０ｂ、１８０ｃのうちの１つまたは複数をモビリティーアンカーポイントとして利用することが可能である。スタンドアロンの構成においては、ＷＴＲＵ１０２ａ、１０２ｂ、１０２ｃは、ライセンス供与されていないバンドにおける信号を使用してｇＮＢ１８０ａ、１８０ｂ、１８０ｃと通信することが可能である。スタンドアロンではない構成においては、ＷＴＲＵ１０２ａ、１０２ｂ、１０２ｃは、ｇＮＢ１８０ａ、１８０ｂ、１８０ｃと通信する／それらに接続する一方で、ｅＮｏｄｅ−Ｂ１６０ａ、１６０ｂ、１６０ｃなどの別のＲＡＮと通信すること／それらに接続することも可能である。たとえば、ＷＴＲＵ１０２ａ、１０２ｂ、１０２ｃは、ＤＣ原理を実装して、１つまたは複数のｇＮＢ１８０ａ、１８０ｂ、１８０ｃおよび１つまたは複数のｅＮｏｄｅ−Ｂ１６０ａ、１６０ｂ、１６０ｃと実質的に同時に通信することが可能である。スタンドアロンではない構成においては、ｅＮｏｄｅ−Ｂ１６０ａ、１６０ｂ、１６０ｃは、ＷＴＲＵ１０２ａ、１０２ｂ、１０２ｃのためのモビリティーアンカーとしての役割を果たすことが可能であり、ｇＮＢ１８０ａ、１８０ｂ、１８０ｃは、ＷＴＲＵ１０２ａ、１０２ｂ、１０２ｃにサービス提供するためのさらなるカバレッジおよび／またはスループットを提供することが可能である。
【００５２】
ｇＮＢ１８０ａ、１８０ｂ、１８０ｃのそれぞれは、特定のセル（図示せず）に関連付けられることが可能であり、無線リソース管理の決定、ハンドオーバーの決定、ＵＬおよび／またはＤＬにおけるユーザのスケジューリング、ネットワークスライシングのサポート、ＤＣ、ＮＲとＥ−ＵＴＲＡとの間におけるインターワーキング、ユーザプレーン機能（ＵＰＦ）１８４ａ、１８４ｂへのユーザプレーンデータのルーティング、アクセスおよびモビリティー管理機能（ＡＭＦ）１８２ａ、１８２ｂへの制御プレーン情報のルーティングなどを取り扱うように構成されることが可能である。図１Ｄにおいて示されているように、ｇＮＢ１８０ａ、１８０ｂ、１８０ｃは、Ｘｎインターフェースを介して互いに通信することが可能である。
【００５３】
図１Ｄにおいて示されているＣＮ１０６は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含み得る。上述の要素は、ＣＮ１０６の一部として示されているが、これらの要素のうちのいずれかが、ＣＮオペレータ以外のエンティティーによって所有および／または運営されることが可能であるということが理解されるであろう。
【００５４】
ＡＭＦ１８２ａ、１８２ｂは、Ｎ２インターフェースを介してＲＡＮ１０４におけるｇＮＢ１８０ａ、１８０ｂ、１８０ｃのうちの１つまたは複数に接続されることが可能であり、制御ノードとしての役割を果たすことが可能である。たとえば、ＡＭＦ１８２ａ、１８２ｂは、ＷＴＲＵ１０２ａ、１０２ｂ、１０２ｃのユーザを認証すること、ネットワークスライシングに関するサポート（たとえば、別々の要件を伴う別々のプロトコルデータユニット（ＰＤＵ）セッションを取り扱うこと）、特定のＳＭＦ１８３ａ、１８３ｂを選択すること、登録エリアの管理、非アクセス層（ＮＡＳ）シグナリングの終了、モビリティー管理などを担当することが可能である。ネットワークスライシングは、サービスのタイプが利用されているＷＴＲＵ１０２ａ、１０２ｂ、１０２であることに基づいてＷＴＲＵ１０２ａ、１０２ｂ、１０２ｃのためにＣＮサポートをカスタマイズするためにＡＭＦ１８２ａ、１８２ｂによって使用され得る。たとえば、超高信頼低遅延（ＵＲＬＬＣ）アクセスに依存するサービス、拡張大容量モバイルブロードバンド（ｅＭＢＢ）アクセスに依存するサービス、ＭＴＣアクセスに関するサービス等などの別々の使用事例に関して、別々のネットワークスライスが確立されることが可能である。ＡＭＦ１８２ａ、１８２ｂは、ＲＡＮ１０４と、ＬＴＥ、ＬＴＥ−Ａ、ＬＴＥ−Ａ  Ｐｒｏなどのその他の無線テクノロジー、および／またはＷｉＦｉなどの非３ＧＰＰアクセステクノロジーを採用しているその他のＲＡＮ（図示せず）との間において切り替えを行うための制御プレーン機能を提供することが可能である。
【００５５】
ＳＭＦ１８３ａ、１８３ｂは、Ｎ１１インターフェースを介してＣＮ１０６におけるＡＭＦ１８２ａ、１８２ｂに接続されることが可能である。ＳＭＦ１８３ａ、１８３ｂは、Ｎ４インターフェースを介してＣＮ１０６におけるＵＰＦ１８４ａ、１８４ｂに接続されることも可能である。ＳＭＦ１８３ａ、１８３ｂは、ＵＰＦ１８４ａ、１８４ｂを選択および制御すること、ならびにＵＰＦ１８４ａ、１８４ｂを通るトラフィックのルーティングを構成することが可能である。ＳＭＦ１８３ａ、１８３ｂは、その他の機能、たとえば、ＵＥ  ＩＰアドレスを管理することおよび割り当てること、ＰＤＵセッションを管理すること、ポリシー施行およびＱｏＳを制御すること、ＤＬデータ通知を提供することなどを実行することが可能である。ＰＤＵセッションタイプは、ＩＰベース、非ＩＰベース、イーサネットベースなどであり得る。
【００５６】
ＵＰＦ１８４ａ、１８４ｂは、Ｎ３インターフェースを介してＲＡＮ１０４におけるｇＮＢ１８０ａ、１８０ｂ、１８０ｃのうちの１つまたは複数に接続されることが可能であり、Ｎ３インターフェースは、ＷＴＲＵ１０２ａ、１０２ｂ、１０２ｃとＩＰ対応デバイスとの間における通信を容易にするために、インターネット１１０などのパケット交換ネットワークへのアクセスをＷＴＲＵ１０２ａ、１０２ｂ、１０２ｃに提供することが可能である。ＵＰＦ１８４、１８４ｂは、その他の機能、たとえば、パケットをルーティングおよび転送すること、ユーザプレーンポリシーを施行すること、マルチホームＰＤＵセッションをサポートすること、ユーザプレーンＱｏＳを取り扱うこと、ＤＬパケットをバッファリングすること、モビリティーアンカリングを提供することなどを実行することが可能である。
【００５７】
ＣＮ１０６は、その他のネットワークとの通信を容易にすることが可能である。たとえば、ＣＮ１０６は、ＣＮ１０６とＰＳＴＮ１０８との間におけるインターフェースとしての役割を果たすＩＰゲートウェイ（たとえば、ＩＰマルチメディアサブシステム（ＩＭＳ）サーバ）を含むことが可能であり、またはそうしたＩＰゲートウェイと通信することが可能である。加えて、ＣＮ１０６は、その他のネットワーク１１２へのアクセスをＷＴＲＵ１０２ａ、１０２ｂ、１０２ｃに提供することが可能であり、その他のネットワーク１１２は、その他のサービスプロバイダによって所有および／または運営されているその他の有線ネットワークおよび／またはワイヤレスネットワークを含み得る。一態様においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとローカルＤＮ１８５ａ、１８５ｂとの間におけるＮ６インターフェースを介して、ＵＰＦ１８４ａ、１８４ｂを通じてＤＮ１８５ａ、１８５ｂに接続されることが可能である。
【００５８】
図１Ａ〜図１Ｄ、および図１Ａ〜図１Ｄの対応する説明を考慮すると、ＷＴＲＵ１０２ａ〜ｄ、基地局１１４ａ〜ｂ、ｅＮｏｄｅ−Ｂ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書において説明されるその他の任意のデバイスのうちの１つまたは複数に関連して本明細書において説明される機能のうちの１つもしくは複数またはすべては、１つまたは複数のエミュレーションデバイス（図示せず）によって実行されることが可能である。エミュレーションデバイスは、本明細書において説明される機能のうちの１つもしくは複数またはすべてをエミュレートするように構成されている１つまたは複数のデバイスであり得る。たとえば、エミュレーションデバイスは、その他のデバイスをテストするために、ならびに／またはネットワーク機能および／もしくはＷＴＲＵ機能をシミュレートするために使用され得る。
【００５９】
エミュレーションデバイスは、ラボ環境において、および／またはオペレータネットワーク環境においてその他のデバイスの１つまたは複数のテストを実装するように設計されることが可能である。たとえば、１つまたは複数のエミュレーションデバイスは、有線および／またはワイヤレスの通信ネットワーク内のその他のデバイスをテストするためにその通信ネットワークの一部として全体的にまたは部分的に実装および／または展開されている間に、１つもしくは複数のまたはすべての機能を実行することが可能である。１つまたは複数のエミュレーションデバイスは、有線および／またはワイヤレスの通信ネットワークの一部として一時的に実装／展開されている間に、１つもしくは複数のまたはすべての機能を実行することが可能である。エミュレーションデバイスは、オーバージエアワイヤレス通信を使用したテスティングおよび／またはテスティングの実行のために別のデバイスに直接結合されることが可能である。
【００６０】
１つまたは複数のエミュレーションデバイスは、有線および／またはワイヤレスの通信ネットワークの一部として実装／展開されていない間に、すべての機能を含む１つまたは複数の機能を実行することが可能である。たとえば、エミュレーションデバイスは、１つまたは複数のコンポーネントのテスティングを実装するために、テスティングラボラトリーならびに／または展開されていない（たとえば、テスティングの）有線および／もしくはワイヤレスの通信ネットワークにおけるテスティングシナリオにおいて利用されることが可能である。１つまたは複数のエミュレーションデバイスは、テスト機器であり得る。直接ＲＦ結合、および／または、ＲＦ回路（たとえば、１つもしくは複数のアンテナを含み得る）を介したワイヤレス通信が、エミュレーションデバイスによってデータを送信および／または受信するために使用され得る。
【００６１】
１つまたは複数のネットワークが、本明細書において説明され、態様において、ＲＡＮにおける１つまたは複数の送信／受信ポイント（ＴＲＰ）またはその他の任意のノードにそれぞれ関連付けられ得る１つまたは複数のｇＮＢを指すことが可能である。
【００６２】
ＷＴＲＵのレシーバーは、送信機側で使用されるオシレータに合わせて調整されているそれのローカルオシレータの周波数を保持するために自動周波数制御（ＡＦＣ）を実装する必要があることがある。この機能は、さまざまな同期信号（ＳＳ）および／または参照信号（ＲＳ）によってサポートされることが可能である。物理ダウンリンク制御チャネル（ＰＤＣＣＨ）およびあらゆる入ってくるスケジュールされたＤＬ送信のコヒーレントな検知にとっては、粗いＡＦＣを保持することが必要であることがある。ＬＴＥにおいては、粗いＡＦＣは、５ｍｓごとに存在していることが可能であるＰＳＳ／ＳＳＳ同期コードと、１ｍｓのインターバルごとに少なくとも２つのＯＦＤＭシンボル上に存在していることが可能であるＣＲＳとを使用することが可能である。ＮＲにおいては、粗いＡＦＣは、同期信号ブロック（ＳＳＢ）を使用することが可能であり、そのＳＳＢは、少なくとも２０ｍｓの周期性を有することが可能である。ＮＲデバイスは、構成されアクティブ化されている場合にはＣＳＩ参照信号（ＣＳＩ−ＲＳ）を、またはＤＬ送信中にのみ存在していることが可能である復調参照信号（ＤＭＲＳ）を利用することも可能である。トラッキング参照信号（ＴＲＳ）という特別な信号が、粗いＡＦＣを容易にするためにＮＲデバイス用に構成されアクティブ化されることも可能である。ＴＲＳは、１０、２０、４０、または８０ｍｓの繰り返し周期を伴う非零電力（non-zero power）ＣＳＩ−ＲＳリソースセットとして構成されることが可能である。それは、リソースブロック（ＲＢ）における３つのリソース要素（ＲＥ）上に、および２つの連続したタイムスロットにおける１４個のうち２個のＯＦＤＭシンボルにおいて存在していることが可能である。第１のタイムスロットを使用するだけである低減された密度のＴＲＳが構成可能であることも可能である。
【００６３】
図２は、不連続受信（ＤＲＸ）の例の図２００である。図２は、完全なＤＲＸサイクル２０２ａおよび第２のＤＲＸサイクル２０２ｂの一部分を示している。図２において示されている例においては、それぞれのＤＲＸサイクル２０２ａ、２０２ｂは、ＯＮ持続時間２０４ａ、２０４ｂおよびＯＦＦ持続時間２０６ａ、２０６ｂを含む。ＷＴＲＵは、ＯＮ持続時間２０４ａ、２０４ｂの間にＰＤＣＣＨなどのＤＬ制御チャネルをモニタすること、およびＯＦＦ持続時間２０６ａ、２０６ｂの間にスリープ状態に入ること（たとえば、ＰＤＣＣＨをモニタしないこと）が可能である。２つのＤＲＸサイクル２０２ａ、２０２ｂのみが図２において示されているが、ＤＲＸ用に構成されているＷＴＲＵは、任意の数のサイクルにわたってＤＲＸサイクルを周期的に繰り返すことが可能である。
【００６４】
図２の例において示されているように、ＷＴＲＵは、ＯＮ持続時間でＤＲＸサイクルを開始することが可能である。ＤＲＸサイクルからのウェイクアップの後に、またはＤＲＸサイクルの始まりにおいてなど、ＷＴＲＵがモニタまたはデコードする必要がある可能性がある連続した数のＰＤＣＣＨオケージョン（PDCCH occasion）を決定するために、ＯＮ持続時間タイマーが使用され得る。いつＯＦＦ持続時間に切り替えるかを決定するために、ＤＲＸインアクティビティータイマーが使用され得る。ＷＴＲＵによって再送信が予想される場合にモニタするための連続した数のＰＤＣＣＨオケージョンを決定するために、ＤＲＸ再送信タイマーが使用され得る。ＤＬ再送信、またはＵＬ再送信のためのグラントが受信されることが可能になるまでの最大持続時間を決定するために、ＤＲＸ再送信タイマーが使用され得る。
【００６５】
ＯＦＦ持続時間２０６ａ、２０６ｂなどのＯＦＦ持続時間中に、ＰＤＣＣＨなどのＤＬチャネルをモニタしないことに加えて、ＷＴＲＵは、周期的ＣＳＩ報告を測定および／または報告するように構成されているサブフレームにおいてチャネル状態情報（ＣＳＩ）を測定または報告しないことが可能である。態様においては、ＷＴＲＵは、ＯＮ持続時間またはＯＦＦ持続時間中に発生する可能性があるアクティブ時間中のＰＤＣＣＨまたはＰＤＣＣＨオケージョン（PDCCH occasion）をモニタする必要があることがある。その他の態様においては、アクティブ時間は、ＯＮ持続時間中に開始して、ＯＦＦ持続時間中に継続することが可能である。アクティブ時間は、下記のうちの少なくとも１つが当てはまる時間を含み得る。ＯＮ持続時間タイマー、インアクティビティータイマー、再送信タイマー、またはランダムアクセス競合解決タイマーなど、いずれかのＤＲＸタイマーが稼働していること、スケジューリング要求が（たとえば、物理アップリンク制御チャネル（ＰＵＣＣＨ）上で）送られること、およびコンテンションベースのランダムアクセスプリアンブルのうちでＭＡＣエンティティーによって選択されていないランダムアクセスプリアンブルに関するランダムアクセス応答の受信が成功した後に、ＷＴＲＵのＭＡＣエンティティーのセル無線ネットワーク識別子（Ｃ−ＲＮＴＩ）に宛てられている新たな送信を示すＰＤＣＣＨが受信されていないこと。
【００６６】
ＤＲＸサイクル２０２ａ、２０２ｂなどのＤＲＸサイクルは、ショートＤＲＸサイクルまたはロングＤＲＸサイクルであり得る。態様においては、ＷＴＲＵは、時間のピリオドにわたってショートＤＲＸサイクルを使用し、次いでロングＤＲＸサイクルを使用することが可能である。成功裏にデコードされたＰＤＣＣＨがＵＬまたはＤＬユーザデータ送信を示すＰＤＣＣＨオケージョンの後の（たとえば、送信タイムインターバル（ＴＴＩ）の点での持続時間を決定するために、ＤＲＸインアクティビティータイマーが使用され得る。ＰＤＣＣＨオケージョンは、シンボル、シンボルのセット、スロット、またはサブフレームなどのＰＤＣＣＨを含み得るタイムピリオドであり得る。ＤＲＸショートサイクルは、ＤＲＸインアクティビティータイマーの満了後にＷＴＲＵが入る第１のＤＲＸサイクルであり得る。ＷＴＲＵは、ＤＲＸショートサイクルタイマーの満了まで、ショートＤＲＸサイクルにあり得る。ＤＲＸショートサイクルタイマーが満了した場合には、ＷＴＲＵは、ロングＤＲＸサイクルを使用することが可能である。ＤＲＸショートサイクルタイマーは、ＤＲＸインアクティビティータイマーが満了した後にショートＤＲＸサイクルに続くことが可能である連続したサブフレームの数を決定するために使用され得る。
【００６７】
ＲＲＣ接続モードにおいては、ＷＴＲＵは、接続モードＤＲＸ（Ｃ−ＤＲＸ）を使用することが可能である。ＬＴＥまたはＮＲデバイスがＣ−ＤＲＸにある場合には、それは、ＤＲＸサイクルを伴って構成されることが可能である。別々のショートＤＲＸサイクルおよびロングＤＲＸサイクルの構成が可能である。Ｃ−ＤＲＸサイクルは、数十ミリ秒から数百ミリ秒の範囲で設定されることが可能である。ＷＴＲＵは、ＤＲＸ  ＯＮ持続時間中など、決定された時刻でウェイクアップし、ＤＲＸ  ＯＮ持続時間の第１のタイムスロットにおいてＰＤＣＣＨをデコードすることを試みることが可能である。そのタイムスロットにおいてメッセージが受信またはデコードされない場合には、ＷＴＲＵは、構成可能なＯＮ持続時間カウンタを減らすことが可能であり、アクティブなＣＯＲＥＳＥＴ上での、および構成されている探索空間に関する次なるＰＤＣＣＨモニタリングの機会においてＰＤＣＣＨをデコードすることを再び試みることが可能である。カウンタが零に達した場合には、ＷＴＲＵは、スリープ状態に戻ることが可能であり、次なるＤＲＸ  ＯＮ持続時間まで、再びＰＤＣＣＨをデコードすることを試みることはない。
【００６８】
Ｃ−ＤＲＸ  ＯＮ持続時間の始まり（たとえば、第１のタイムスロット）においてＰＤＣＣＨをデコードすることが可能であるためには、ＷＴＲＵが、少なくとも粗いＡＦＣを達成している必要があることがある。デバイスに関するＰＤＣＣＨを搬送するアクティブなバンド幅部分（ＢＷＰ）のＲＢ内に含まれているＤＭＲＳは、そのＰＤＣＣＨの進行している受信中に、および後続のタイムスロットに関してＡＦＣを微調整するために利用されることのみが可能である。ＬＴＥにおいては、ＷＴＲＵは、ＤＲＸ  ＯＮ持続時間の始まりから時間の短いピリオドだけ前にウェイクアップして、ほとんどのサブフレームにおいて利用可能なセル固有の参照信号（ＣＲＳ）を測定することによって、粗いＡＦＣを達成することが可能である。
【００６９】
態様においては、ウェイクアップ信号（ＷＵＳ）およびゴートゥースリープ信号（ＧＯＳ）が、たとえば、ＤＲＸオペレーションとともに使用され得る。ＷＵＳ／ＧＯＳは、１つまたは複数のＤＲＸサイクルに関連付けられることが可能であり、関連付けられている時間、または関連付けられているＤＲＸサイクルの一部の前に送信および／または受信されることが可能である。
【００７０】
図３は、ＷＵＳおよびＧＯＳを伴う例示的なＤＲＸサイクル３０２の図３００である。図３において示されている例においては、ＷＴＲＵは、ＷＵＳ３０８を受信することが可能であり、それに応答して、関連付けられているＯＮ持続時間３０４においてダウンリンクチャネルをモニタするためにウェイクアップすることが可能である。態様においては、ＷＵＳを受信するＷＴＲＵは、１つまたは複数のＤＲＸサイクルにわたってＯＮ持続時間においてダウンリンクチャネルをウェイクアップしてモニタすることが可能である。ＷＴＲＵは、ＧＯＳ３１０を受信することも可能であり、それに応答して、関連付けられているＯＦＦ持続時間３０６においてダウンリンクチャネルをモニタしないことが可能である。態様においては、ＧＯＳを受信するＷＴＲＵは、１つまたは複数のＤＲＸサイクルにわたってダウンリンクチャネルをモニタしないことが可能であり、スリープモードのままであり得る。態様においては、ＷＵＳもしくはＧＯＳのいずれか、またはＷＵＳおよびＧＯＳの両方が実装され得る。
【００７１】
ＮＲにおいては、ＷＴＲＵは、非零電力（ＮＺＰ；non-zero-power）ＣＳＩリソースなど、１つまたは複数のＣＳＩリソースコンフィギュレーションで構成されることが可能である。それぞれのＣＳＩリソースコンフィギュレーションは、１つまたは複数のＮＺＰ−ＣＳＩ−ＲＳリソースセットを含み得る。それぞれのＮＺＰ  ＣＳＩリソースセットは、６４個までのＮＺＰ−ＣＳＩ−ＲＳリソースを含み得る。非周期的ＮＺＰ−ＣＳＩ−ＲＳリソースに関するトリガリングオフセットが、ＮＺＰ−ＣＳＩ−ＲＳリソースセットごとに構成されることが可能である。ＷＴＲＵは、１つまたは複数のＣＳＩ報告コンフィギュレーション（reporting configuration）でさらに構成されることが可能である。それぞれのＣＳＩ報告コンフィギュレーションは、チャネル測定のためのＣＳＩリソースコンフィギュレーションに関連付けられ得る。関連付けられているＢＷＰ−ＩＤおよびリソースタイプ（たとえば、非周期的、周期的、または半永続的）が、ＣＳＩリソースコンフィギュレーションごとに構成されることが可能である。
【００７２】
図４は、例示的なＣＳＩリソースおよびＣＳＩ報告コンフィギュレーションの図４００であり、さまざまなＮＺＰ−ＣＳＩ−ＲＳリソース、ＮＺＰ−ＣＳＩ−ＲＳリソースセット、ＣＳＩリソースコンフィギュレーション、およびＣＳＩ報告コンフィギュレーションの間における関連付けを示している。図４において示されている例においては、ＷＴＲＵは、８つのＮＺＰ−ＣＳＩ−ＲＳリソース４０１、４０２、４０３、４０４、４０５、４０６、４０７、および４０８を伴って構成されている。しかしながら、図４における省略記号は、ＷＴＲＵが任意の数のＮＺＰ−ＣＳＩ−ＲＳリソースを伴って構成されることが可能であるということを示している。ＮＺＰ−ＣＳＩ−ＲＳリソース４０１は、リソースセット４１０を含み、ＮＺＰ−ＣＳＩ−ＲＳリソース４０２は、リソースセット４１１を含み、ＮＺＰ−ＣＳＩ−ＲＳリソース４０３は、リソースセット４１０および４１１を含み、ＮＺＰ−ＣＳＩ−ＲＳリソース４０４および４０５はそれぞれ、リソースセット４１２を含み、ＮＺＰ−ＣＳＩ−ＲＳリソース４０６、４０７、および４０８はそれぞれ、リソースセット４１３を含む。リソースセット４１０は、０というＡＰトリガリングオフセットを有することが可能であり、リソースセット４１１は、４というＡＰトリガリングオフセットを有することが可能である。残りのリソースセット（たとえば、４１２および４１３）も、別々のＡＰトリガリングオフセットを伴って構成されることが可能である。
【００７３】
リソースセット４１０および４１１は、ＣＳＩリソースコンフィギュレーション４２０に関連付けられることが可能であり、リソースセット４１２は、ＣＳＩリソースコンフィギュレーション４２１に関連付けられ得、リソースセット４１３は、ＣＳＩリソースコンフィギュレーション４２２に関連付けられ得る。ＣＳＩリソースコンフィギュレーション４２０は、非周期的リソースタイプおよびＢＷＰ−ＩＤ  ０に関するものであることが可能であり、ＣＳＩリソースコンフィギュレーション４２１は、周期的リソースタイプおよびＢＷＰ−ＩＤ  ０に関するものであることが可能であり、ＣＳＩリソースコンフィギュレーション４２２は、半永続的リソースタイプおよびＢＷＰ−ＩＤ２に関するものであり得る。ＣＳＩリソースコンフィギュレーション４２０は、ＣＳＩ報告コンフィギュレーション４３０、４３１、および４３３に関連付けられ得、ＣＳＩリソースコンフィギュレーション４２１は、ＣＳＩ報告コンフィギュレーション４３２および４３４に関連付けられることが可能であり、ＣＳＩ報告コンフィギュレーション４２２は、ＣＳＩ報告コンフィギュレーション４３５に関連付けられ得る。
【００７４】
ＷＴＲＵは、スロットｎにおいて非周期的ＣＳＩ要求を受信することがあり、関連している非周期的ＣＳＩ−ＲＳ（またはＮＺＰ−ＣＳＩ−ＲＳ）リソースセットが、スロットｎ＋ｘに配置されることがあり、ただし、ｘは｛０，１，２，３，４｝のうちの少なくとも１つであり得る。下の表１は、ＣＳＩ要求フィールド、ならびに関連している報告設定およびリソース設定についての例を示す。
【００７５】
【表１】
2022501874.tif 000003
【００７６】
それぞれのＣＳＩ要求フィールドは、報告設定（またはＣＳＩ関連のレポート構成情報）に関連付けられることが可能であり、その報告設定は、１６個までの報告コンフィギュレーションを含み得る。それぞれの報告コンフィギュレーションは、ＣＳＩ報告コンフィギュレーションとみなされることが可能である。複数の非周期的ＮＺＰ−ＣＳＩ−ＲＳリソースセットが報告コンフィギュレーションに関連付けられているという条件で、ＣＳＩ要求フィールドに関して単一の非周期的ＮＺＰ−ＣＳＩ−ＲＳリソースセットが選択されることが可能である。それぞれの非周期的ＮＺＰ−ＣＳＩ−ＲＳリソースセットは、ＷＴＲＵがＣＳＩ要求を受信したスロットからのスロットオフセット値を伴って構成されることが可能である。
【００７７】
ＮＲにおいては、ＷＴＲＵは、そのＷＴＲＵがスケジューリングＤＣＩを受信したスロットからの物理ダウンリンク共有チャネル（ＰＤＳＣＨ）スケジューリングのためのスロットオフセットのセットを伴って構成されることが可能である。ＷＴＲＵは、ＰＤＳＣＨ−ＴｉｍｅＤｏｍａｉｎＲｅｓｏｕｒｃｅＡｌｌｏｃａｔｉｏｎＬｉｓｔ（またはＰＤＳＣＨ−ＴＤＲＡリスト）を伴って構成されることが可能であり、このＰＤＳＣＨ−ＴＤＲＡリストは、ある数（たとえば、１６個）までのＰＤＳＣＨ−ＴＤＲＡ構成を含み得る。それぞれのＰＤＳＣＨ−ＴＤＲＡ構成は、たとえば｛０，１，．．．，３２｝のうちの１つであり得るスロットオフセット値（たとえば、ｋ０）、たとえば｛タイプＡ，タイプＢ｝のうちの１つであり得るマッピングタイプ、ならびに／または、たとえば｛０，１，．．．，１２７｝のうちの１つであり得る開始シンボルおよび長さ（たとえば、ＳＬＩＶ）を含み得る。ｋ０値は、スケジューリングＤＣＩが受信されるスロットからのＰＤＳＣＨ受信に関するスロットオフセットを決定することが可能である。たとえば、ＷＴＲＵがスロット＃ｎにおいてＰＤＳＣＨに関するＤＣＩを受信した場合には、それは、スロット＃ｎ＋ｋ０においてＰＤＳＣＨを受信することが可能である。マッピングタイプは、スロット長を決定することが可能である。たとえば、タイプＡは、通常のスロット長に関して使用されることがあり、タイプＢは、サブスロット長に関して使用されることがある。ＳＬＩＶは、スロット内の開始シンボルおよびＰＤＳＣＨの長さを決定することが可能である。本明細書において記載されている例および態様においては、ＰＤＳＣＨは、ＰＵＳＣＨによって置き換えられることが可能であり、スロットオフセットｋ０は、スロットオフセットｋ２によって置き換えられることが可能である。たとえば、ＷＴＲＵは、ＰＵＳＣＨ−ＴｉｍｅＤｏｍａｉｎＲｅｓｏｕｒｃｅＡｌｌｏｃａｔｉｏｎＬｉｓｔ（またはＰＵＳＣＨ−ＴＤＲＡリスト）を伴って構成されることが可能であり、このＰＵＳＣＨ−ＴＤＲＡリストは、ある数（たとえば、１６個）までのＰＵＳＣＨ−ＴＤＲＡ構成を含み得る。それぞれのＰＵＳＣＨ−ＴＤＲＡ構成は、たとえば｛０，１，．．．，３２｝のうちの１つであり得るスロットオフセット値（たとえば、ｋ２）、たとえば｛タイプＡ，タイプＢ｝のうちの１つであり得るマッピングタイプ、ならびに／または、たとえば｛０，１，．．．，１２７｝のうちの１つであり得る開始シンボルおよび長さ（たとえば、ＳＬＩＶ）を含み得る。ｋ２値は、スケジューリングＤＣＩが受信されるスロットからのＰＵＳＣＨ送信に関するスロットオフセットを決定することが可能である。
【００７８】
ワイヤレス通信デバイスのレシーバーは、複数のＲＦチェーンを備えることが可能である。それぞれのそのようなチェーンは、１つまたは複数のアンテナ要素およびアナログ回路（たとえば、低雑音増幅器、フィルタ、オシレータ、ミキサ、および／またはアナログ／デジタルコンバータ）を含み得る。複数のＲＦチェーンを使用する受信は、ダイバーシティーおよび／または空間処理を通じてパフォーマンスを高めることが可能である。ＲＦ感度に関する最小パフォーマンス要件は、ＷＴＲＵが最小数のＲｘアンテナポートを備えていることを前提とする。
【００７９】
周波数レンジ１（６ＧＨｚ未満）における動作に関しては、多くのＮＲデバイスは、ｇＮＢからのＤＬ信号およびチャネルの受信に関して４つのＲｘ  ＲＦチェーンを使用して、たとえば、堅牢なリンクパフォーマンスを提供し、空間多重化を効率的に利用して、高いＤＬスペクトル効率を達成する。４つのＲｘ  ＲＦチェーンという前提を使用する最小受信要件は、いくつかのＮＲ動作バンドに関して設定されることが可能である。Ｖ２Ｘタイプのアプリケーション向けに意図されているものなど、専用のタイプのＮＲデバイスは、２つのＲｘ  ＲＦチェーンを使用するだけであると予想されることが可能である。共通のＲＦを共有するデュアルモードＬＴＥ／ＮＲデバイスが、ＤＬ受信に関してＬＴＥ要件に従うと予想されることも可能である。周波数レンジ２（ミリ波）における動作に関しては、多くのＮＲデバイスは、複数のＲＦパネルを使用することによってアナログビームフォーミングサポートを実装するであろう。その他の利点の中でも、ビームフォーミングは、ミリ波周波数で動作する場合の改善されたリンクバジェットを可能にすることがある。
【００８０】
既存のＮＲテクノロジーにおいては、ＬＴＥと同様に、ＤＬ受信のためにデバイスによって使用することになるＲｘアンテナの数は、動作バンドに依存する。デバイスパフォーマンス要件は、要求される数のデバイスＲｘアンテナの可用性を想定することによって設定されることが可能である。デバイスは、ＬＴＥ動作バンドまたはＮＲ動作バンドのセットに関するサポートを、場合によっては、キャリアアグリゲーションまたはデュアル接続に関するサポートされるバンドの組合せとともに、ネットワークにアドバタイズすることが可能である。これは、動作バンドに関するデバイス上での要求される数のＲｘチェーンのサポートを黙示的に示すことが可能である。
【００８１】
オシレータ、低雑音増幅器（ＬＮＡ）、およびアナログ／デジタル（Ａ／Ｄ）コンバータなどのアクティブＲＦコンポーネントに関する消費電力は、デバイスにおけるアクティブＲｘチェーンの数に比例して変化することが可能である。デジタルベースバンド（ＢＢ）は、チャネルサンプルバッファリング、空間レイヤデマッピング、およびチャネル推定などの低レベル機能を実装することが可能である。低レベルのデジタルＢＢにおける消費電力も、アクティブＲｘパスの数とともに増大することが可能である。トランスポートチャネル処理およびチャネルデコーディングなど、デジタルＢＢにおけるその他の高レベル機能は、デバイスにおける複数のアクティブＲＦチェーンを使用する受信の存在下で、ただし主として、送信されるデータレート（これは、信号対干渉雑音比（ＳＩＮＲ）が十分に良好である場合には、Ｒｘチェーンの数がより少なくても高くなることがある）に応じて、電力消費における増大を経験することがある。
【００８２】
ＷＴＲＵ電力消費は、より高いキャリア周波数、より広いバンド幅、および高度なＭＩＭＯスキームが展開されるにつれて、ＮＲにおいて増大すると予想される。たとえば、ＲＦチェーンを含むトランシーバー回路は、たとえばベースバンド処理に比較して、相当な量の電力を消費する。Ｃ−ＤＲＸを伴って構成されている場合でさえ、データは、ＷＴＲＵがアクティブ時間中にＰＤＣＣＨをモニタしている間には、時間のかなりのピリオドにわたって受信されない可能性がある。結果として、複数の受信（Ｒｘ）チェーンを備えたＷＴＲＵは、データが転送されていない間に受信することを試みるのに、かなりの量の電力を浪費する可能性がある。ＷＴＲＵの実装がアクティブ時間中にいくつかのＲｘチェーンをオフにすることによって電力を節約することを試みるならば、ＷＴＲＵがパフォーマンス要件を満たすことができないかもしれないというリスクがある。なぜなら、ネットワークは、それがすべてのＲｘチェーンを使用してＰＤＣＣＨおよびＰＤＳＣＨを受信する準備が常にできていると想定する可能性があるからである。従来の電力節約メカニズムは、ＲＦチェーン、またはトランシーバー回路のその他の部分を動的にオンおよびオフにすることを可能にしていない。ＷＴＲＵが自分のＲｘチェーンの数を安全に低減することを（パフォーマンスに影響を与えることなく行うことができる場合には）可能にすることがある態様が、本明細書において説明される。
【００８３】
加えて、粗いＡＦＣを達成するために必要とされる信号は、ＷＴＲＵのオン持続時間の始まりの直前には一般に利用可能ではないことがある。結果として、ＮＲ  ＷＴＲＵは、適切な信号（たとえばＳＳＢ）を検知することを唯一の目的として、オン持続時間の間においてウェイクアップする必要があることがある。これは、関連した回路のオンおよびオフを切り替えるための実際の遷移時間を考慮すると、ＯＮ持続時間の始まりの直前のＷＴＲＵよりも効率が悪いことがある。実際のＤＲＸ  ＯＮ持続時間に関連していないウェイクアップインターバルの数を低減しながら、粗いＡＦＣの保持を可能にすることがある態様が、本明細書において説明される。
【００８４】
さらに、たとえばＲ１５  ＮＲにおいては、ＤＲＸは、最大でも単一のＤＲＸコンフィギュレーションで構成されることが可能である。スリーブの機会は、純粋に時間ドメインに基づく。さらにＷＴＲＵは、スケジュールされていない状態でＰＤＣＣＨをモニタすることに相当な量の時間を費やす可能性がある。Ｒ１５においては、ＯＮ持続時間中に、ＷＴＲＵは、ＯＮ持続時間ごとにアクティブなＢＷＰにおいてすべてのＣＯＲＥＳＥＴおよびすべての探索空間をモニタすることを必要とされ、これは、かなりの数のブラインドデコードをもたらして、相当な量のデバイス電力を消費する可能性がある。インアクティビティータイマーの満了に起因してＤＲＸにおけるＷＴＲＵがデフォルトのＢＷＰにある可能性が高いということを考えると、Ｒ１５フレームワークを使用してブラインドデコードの数を低減するための潜在的なツールは、単一の探索空間でデフォルトのＢＷＰを構成することであることが可能であり、所与のＯＮ持続時間中にＷＴＲＵをスケジュールする際に、ＢＷＰスイッチを伴ってＤＣＩを送ることに依存することが可能である。しかしながら、ＲＡＣＨおよびＳＲ機能がデフォルトのＢＷＰに依存しているということを考えると、ならびにＢＷＰインアクティビティータイマーが短い場合にはＷＴＲＵがデフォルトのＢＷＰに頼る可能性があるということを考えると、デフォルトのＢＷＰが１つの探索空間または１つのＣＯＲＥＳＥＴに制限されている場合には、スケジューリングキャパシティーが制限される可能性がある。これに対処することが可能である態様が、本明細書において説明される。
【００８５】
本明細書において説明される態様は、複数の異なる無線パフォーマンス状態、無線パフォーマンスモード、電力モード、または送信モードを提供する。これらまたは類似の用語が全体を通じて言い換え可能に使用されることが可能であるということを当技術分野における標準的な技術者なら理解するであろう。態様においては、ＷＴＲＵは、可能な無線パフォーマンス状態、無線パフォーマンスモード、電力モード、または送信モードのセットの１つに従って動作するように構成されることがある。無線パフォーマンス状態、無線パフォーマンスモード、電力モード、または送信モードは、たとえば、所与の時点でＷＴＲＵに適用可能な最大パフォーマンスメトリックおよび／または能力のセットを決定することが可能である。
【００８６】
上述されているように、ＷＴＲＵは、ＰＤＳＣＨ−ＴＤＲＡのセット（たとえば、ＰＤＳＣＨ−ＴＤＲＡリスト）を伴って構成されることが可能である。ＷＴＲＵは、ＰＤＳＣＨスケジューリングのためのＤＣＩにおけるＰＤＳＣＨ−ＴＤＲＡのうちの１つの表示を受信することが可能である。たとえば、示されているＰＤＳＣＨ−ＴＤＲＡがｋ０＝０である場合には、余分なＷＴＲＵ電力消費が必要とされることがある。なぜなら、ＷＴＲＵは、Ｃ−ＲＮＴＩまたは構成されているスケジューリングＲＮＴＩ（ＣＳ−ＲＮＴＩ）を用いてＤＣＩを探してＰＤＣＣＨがモニタされるスロットにおいてＰＤＳＣＨ領域をバッファリングする必要があることがあるからである。
【００８７】
いくつかの態様においては、電力モードは、構成されているＰＤＳＣＨ−ＴＤＲＡリストにおけるＰＤＳＣＨ−ＴＤＲＡエントリのどのサブセットが、ＰＤＳＣＨスケジューリングのための関連付けられているＤＣＩにおいて有効であるまたは存在している可能性があるかを決定することが可能である。たとえば、ＷＴＲＵが第１の電力モード（たとえば、通常モード）にある場合には、ＷＴＲＵは、ＷＴＲＵがスロットにおけるＰＤＣＣＨをモニタする際にＰＤＳＣＨ−ＴＤＲＡリストにおけるすべてのＰＤＳＣＨ−ＴＤＲＡエントリが使用されることが可能であると想定することが可能である。ＷＴＲＵが第２の電力モード（たとえば、節電モード）にある場合には、ＷＴＲＵは、ＷＴＲＵがスロットにおけるＰＤＣＣＨをモニタする際に、ｋ０＝０を伴うＰＤＳＣＨ−ＴＤＲＡエントリが使用されない可能性があると想定することが可能であり、またはＷＴＲＵは、ｋ０＝０を伴うＰＤＳＣＨ−ＴＤＲＡエントリを無視することが可能である。
【００８８】
いくつかの態様においては、電力モードは、構成されているＣＳＩ報告トリガー状態リストにおける非周期的ＣＳＩ報告トリガー状態のどのサブセットが、非周期的ＣＳＩ報告のための関連付けられているＤＣＩにおいて有効である（または存在している）可能性があるかを決定することが可能である。たとえば、ＷＴＲＵが第１の電力モードにある場合には、ＷＴＲＵは、ＷＴＲＵが非周期的ＣＳＩ報告を探してＰＤＣＣＨをモニタする際に、構成されているＣＳＩ報告トリガー状態リストにおけるすべてのＣＳＩ報告トリガー状態が有効である可能性があると想定または予想することが可能である。ＷＴＲＵが第２の電力モードにある場合には、ＷＴＲＵは、しきい値未満のスロットオフセットを伴う非周期的ＮＺＰ−ＣＳＩ−ＲＳリソースセットに関連付けられているＣＳＩ報告トリガー状態が無効である可能性があると想定または予想することが可能である。本明細書において使用される際には、「無効」および「使用不能」は、ＣＳＩ報告トリガーのコンテキストにおいては、言い換え可能に使用されることがあり、「使用不能」は、「無効」の例である。いくつかの態様においては、しきい値（Ｔｔｒｅ）は、「１」など、事前に定義された数であり得る。いくつかの態様においては、しきい値は、ニューメロロジーに基づいて決定されることが可能である。たとえば、第１のしきい値は、第１のサブキャリアスペーシングに関して使用されることがあり（たとえば、１５ｋＨｚのＳＣＳに関しては、Ｔｔｒｅ＝１）、第２のしきい値は、第２のサブキャリアスペーシングに関して使用されることがある（たとえば、６０ｋＨｚのＳＣＳに関しては、Ｔｔｒｅ＝３）。
【００８９】
いくつかの態様においては、電力モードは、１つまたは複数の構成されている非周期的ＣＳＩ報告トリガー状態に関連付けられているＮＺＰ−ＣＳＩ−ＲＳリソースセットの最小スロットオフセット値を決定することが可能である。いくつかの態様においては、電力モードは、ＰＤＳＣＨに関する最大送信ランクおよび／または最大変調次数を決定することが可能である。たとえば、ＷＴＲＵが第１の電力モードにある場合には、ＷＴＲＵは、ＷＴＲＵがスロットにおける関連付けられているＰＤＣＣＨをモニタする際に、ＷＴＲＵの能力に基づいて最大送信ランク（Ｒmax）および／または最大変調次数（Ｍmax）でＰＤＳＣＨを受信すると予想することが可能である。ＷＴＲＵが第２の電力モードにある場合には、ＷＴＲＵは、ＷＴＲＵがスロットにおける関連付けられているＰＤＣＣＨをモニタする際に、制限された最大送信ランク（Ｒlimit、Ｒmax＞Ｒlimit）および／または制限された最大変調次数（Ｍlimit、Ｍmax＞Ｍlimit）でＰＤＳＣＨを受信すると想定または予想することが可能である。
【００９０】
いくつかの態様においては、電力モードは、アグリゲーションレベルのセットおよび／またはアグリゲーションレベルに関する複数の候補を決定することが可能である。たとえば、ＷＴＲＵが第１の電力モードにある場合には、ＷＴＲＵは、探索空間のために構成されているすべてのアグリゲーションレベルおよび／またはそれの関連付けられている複数の候補をモニタすることが可能である。ＷＴＲＵが第２の電力モードにある場合には、ＷＴＲＵは、探索空間のために構成されているアグリゲーションレベルのサブセットおよび／または複数の候補をモニタすることが可能である。そのような態様においては、それぞれの構成されているアグリゲーションレベルに関するデコーディング候補の第１のＮエントリに基づいて決定されたサブセットがモニタされることが可能である。Ｎは、上位レイヤシグナリングを介して構成された、またはＷＴＲＵによって決定された、事前に定義された番号であり得る。代替として、または追加として、そのような態様においては、構成されているアグリゲーションレベル内の最大アグリゲーションレベルが、ＷＴＲＵによってモニタされることが可能である。
【００９１】
いくつかの態様においては、電力モードは、動作周波数バンド幅（たとえば、アクティブなＢＷＰのバンド幅）を決定することが可能である。たとえば、ＷＴＲＵが第１の電力モードにある場合には、ＷＴＲＵは、第１のＢＷＰにおいてＰＤＣＣＨをモニタすることが可能であり、ＷＴＲＵが第２の電力モードにある場合には、ＷＴＲＵは、第２のＢＷＰにおいてＰＤＣＣＨをモニタすることが可能である。第１のＢＷＰは、第２のＢＷＰよりも広いことがある。
【００９２】
いくつかの態様においては、電力モードは、探索空間タイプまたはＩＤに基づいて決定されることが可能である。例においては、第１の電力モードは、第１の探索空間タイプ（たとえば、ＣＯＲＥＳＥＴ＃０に関連付けられている任意の共通探索空間）において使用されることがあり、第２の電力モードは、第２の探索空間タイプ（たとえば、ＷＴＲＵ固有の探索空間）において使用されることがある。別の例においては、第１の電力モードは、第１の探索空間（たとえば、第２の電力モードに関連付けられていない探索空間ＩＤ）において使用されることがあり、第２の電力は、探索空間ＩＤが構成されることが可能である第２の探索空間において使用されることがある。あるいは、第２の電力モードに関する探索空間ＩＤは、特定のＣＯＲＥＳＥＴに関連付けられている探索空間ＩＤに基づいて黙示的に決定されることが可能である。たとえば、ＣＯＲＥＳＥＴ＃ｘに関連付けられている探索空間が、第２の電力モードに関して決定されることが可能であり、この場合、値ｘは、上位レイヤシグナリングを介して構成されること、または（たとえば、０に）事前に決定されることが可能である。追加として、または代替として、第２の電力モードに関する探索空間ＩＤは、特定のＲＮＴＩに関して使用される探索空間ＩＤに基づいて黙示的に決定されることが可能である。たとえば、電力節約ＲＮＴＩ（ＰＳ−ＲＮＴＩ）に関する探索空間が、第２の電力モードに関して決定されることが可能であり、この場合、ＰＳ−ＲＮＴＩは、アップリンクおよびダウンリンク共有チャネル（たとえば、ＰＤＳＣＨおよびＰＵＳＣＨ）のためのものであり得る。
【００９３】
いくつかの態様においては、電力モードは、探索空間構成パラメータに基づいて決定されることが可能である。一例においては、電力モードは、探索空間の周期性に基づいて決定されることが可能である。たとえば、探索空間の周期性がしきい値よりも長いまたは短い場合には、第１の電力モードが使用されることがあり、探索空間の周期性がそのしきい値よりも短いまたは長い場合には、第２の電力が使用されることがある。しきい値は、事前に決定されること、または上位レイヤシグナリングを介して構成されることが可能である。別の例においては、電力モードは、探索空間用に構成されているアグリゲーションレベルセット（または最小アグリゲーションレベル、または最大アグリゲーションレベル）に基づいて決定されることが可能である。
【００９４】
いくつかの態様においては、電力モードは、上位レイヤシグナリングを介して構成されることが可能である。他の態様においては、電力モードは、ＷＴＲＵが、関連付けられているＰＤＣＣＨモニタリングオケージョン（monitoring occasion）をモニタする必要があるか否かを示すことがある、関連付けられている電力節約信号によって示されることがある。
【００９５】
いくつかの態様においては、電力モードは、ＷＴＲＵ  ＲＲＣステータスに基づいて決定されることが可能であり、ＷＴＲＵ  ＲＲＣステータスは、ＲＲＣアイドル状態、ＲＲＣ接続状態、およびＲＲＣ非アクティブ状態を含み得る。第１の電力モードおよび第２の電力モードは、ＲＲＣ接続状態に関して使用されることが可能であり、その一方で第１の電力モードは、ＲＲＣアイドル状態およびＲＲＣ非アクティブ状態に関して使用されることのみが可能である。
【００９６】
いくつかの態様においては、電力モードは、構成されているＰＤＳＣＨ−ＴＤＲＡリストにおけるＰＤＳＣＨ−ＴＤＲＡエントリに基づいて決定されることが可能である。たとえば、構成されているＰＤＳＣＨ−ＴＤＲＡリストにおけるＰＤＳＣＨ−ＴＤＲＡエントリの最小ｋ０値がしきい値未満である場合には、第１の電力モードが使用されることが可能である。そうでない場合には、第２の電力モードが使用されることが可能である。いくつかの態様においては、しきい値（Ｔｔｒｅ）は、「１」であり得る。構成されているＰＤＳＣＨ−ＴＤＲＡリストにおけるＰＤＳＣＨ−ＴＤＲＡエントリのうちの１つまたは複数がｋ０＝０を含む場合には、ＷＴＲＵは、第１の電力モードを使用することが可能である。構成されているＰＤＳＣＨ−ＴＤＲＡリストにおけるすべてのＰＤＳＣＨ−ＴＤＲＡエントリがｋ０＞０を有する場合には、ＷＴＲＵは、第２の電力モードを使用することが可能である。その他の態様においては、しきい値は、ニューメロロジーに基づいて決定されることが可能である。たとえば、第１のしきい値は、第１のサブキャリアスペーシングに関して使用されることがあり（たとえば、１５ｋＨｚのＳＣＳに関しては、Ｔｔｒｅ＝１）、第２のしきい値は、第２のサブキャリアスペーシングに関して使用されることがある（たとえば、６０ｋＨｚのＳＣＳに関しては、Ｔｔｒｅ＝３）。いくつかの態様においては、電力モードは、バンド幅部分（ＢＷＰ）、セル、探索空間、ＣＯＲＥＳＥＴ、および／または物理チャネルごとに決定されることが可能である。
【００９７】
いくつかの態様においては、構成されているＰＤＳＣＨ−ＴＤＲＡリストにおけるＰＤＳＣＨ−ＴＤＲＡエントリの最小スロットオフセット（たとえば、最小ｋ０）値は、動的に制限されることが可能である。たとえば、電力節約信号（power saving signal）は、構成されているＰＤＳＣＨ−ＴＤＲＡリストにおけるＰＤＳＣＨ−ＴＤＲＡエントリに関する最小ｋ０値に関するしきい値を示すことが可能であり、ＷＴＲＵは、そのしきい値よりも小さいｋ０値に関連付けられているＰＤＳＣＨ−ＴＤＲＡエントリを無視することが可能である。たとえば、ＷＴＲＵは、そのしきい値よりも小さいｋ０値に関連付けられている、ある（たとえば、任意の）ＰＤＳＣＨ−ＴＤＲＡエントリを無視することが可能である。
【００９８】
ＷＴＲＵが１つまたは複数のＰＤＳＣＨ−ＴＤＲＡエントリを無視することは、ＷＴＲＵがそのようなエントリを受信することを予想していない可能性があるということ、ＷＴＲＵがＰＤＣＣＨモニタリングのためのスロットからしきい値未満のスロットのＰＤＳＣＨ領域をバッファリングしていない可能性があるということ、および／またはＷＴＲＵがＰＤＣＣＨモニタリングのためのスロットからしきい値未満のスロットにおいてＰＤＳＣＨを受信していない可能性があるということを意味することが可能である。
【００９９】
ＷＲＴＵは、１つまたは複数のＰＤＣＣＨモニタリングオケージョンに関連付けられ得る事前に定義されたまたは所定の時間位置において電力節約信号を受信またはモニタすることが可能である。
【０１００】
電力節約信号は、ＤＣＩ、参照信号、および／またはプリアンブルのうちの少なくとも１つであり得る。
【０１０１】
ｋ０およびｋ２は、本明細書においてはオフセット（たとえば、スロットオフセット）の例として使用されている。その他のパラメータが使用されること、および本明細書において説明される例および態様と依然として整合していることが可能である。シンボルオフセットなどのその他のオフセットが使用されること、および本明細書において説明される例および態様と依然として整合していることが可能である。
【０１０２】
図５は、ＷＴＲＵの電力節約の例示的な方法５００のフロー図である。図５において示されている例においては、ワイヤレス送信／受信ユニット（ＷＴＲＵ）は、ＴＤＲＡリストコンフィギュレーションを受信することが可能である（５０２）。ＴＤＲＡリストコンフィギュレーションは、複数のエントリを含み得る。それらのエントリのそれぞれは、たとえば、ＰＤＳＣＨを受信する（またはＰＵＳＣＨを送信する）スロットを見つけるためのものであり得るスロットオフセット値を含み得るリソース割り当てを含み得る。態様においては、ＴＤＲＡリストにおけるエントリのそれぞれは、より詳細に上述されているように、マッピングタイプおよび／またはｓｔａｒｔＳｙｍｂｏｌＡｎｄＬｅｎｇｔｈパラメータを含み得る。
【０１０３】
ＷＴＲＵは、最小スロットオフセット値を含み得る物理レイヤーまたはレイヤー１（Ｌ１）のシグナリングを受信することが可能である（５０４）。態様においては、物理レイヤーまたはＬ１のシグナリングは、ＷＴＲＵに最小スロットオフセット値を動的に提供するために使用されることが可能である。ＷＴＲＵは、たとえばＰＤＳＣＨ（またはＰＵＳＣＨ）に関してスケジュールされている場合には、ＰＤＣＣＨ上のスロットにおいてまたはスロット上でＤＣＩをデコードすることが可能である（５０６）。ＷＴＲＵは、デコードされたＤＣＩから、ＴＤＲＡリストにおけるエントリのうちの１つを識別するインデックスを取得することがある（５０８）。ＷＴＲＵは、ＴＤＲＡリストから、そのインデックスによって識別される特定のスロットオフセット値を取り出すことが可能である（５１０）。
【０１０４】
ＷＴＲＵは、その特定のスロットオフセット値を、たとえば、物理レイヤーまたはＬ１のシグナリングにおいて受信された最小スロットオフセット値と比較することが可能である（５１２）。その特定のスロットオフセット値が最小オフセット値未満である場合（５１４）には、ＷＴＲＵは、インデックスによって識別されたＴＤＲＡリストにおけるエントリが無効であると決定することが可能である（５１６）。態様においては、エントリが無効であるとＷＴＲＵが決定した場合には、ＷＴＲＵは、たとえば、ＤＣＩがデコードされたスロットからのスロットオフセットにおいて（この場合、そのスロットオフセットは、特定のスロットオフセット値であり得る）、スケジュールされたＰＤＳＣＨを受信もしくはバッファリング（またはスケジュールされたＰＵＳＣＨを送信）しないことが可能である（たとえば、しない）。しかしながら、その特定のスロットオフセット値が最小スロットオフセット値以上であるとＷＴＲＵが決定した場合（５１４）には、ＷＴＲＵは、たとえば、ＤＣＩがデコードされたスロットからのスロットオフセットにおいて（この場合、そのスロットオフセットは、特定のスロットオフセット値であり得る）、スケジュールされたＰＤＳＣＨを受信（またはスケジュールされたＰＵＳＣＨを送信）することへ進むことが可能である（５１８）。
【０１０５】
上述の態様は、ＰＤＳＣＨに関して説明される。しかしながら、同じまたは同様の方法がＰＵＳＣＨに関して使用されることも可能であるということを当技術分野における標準的な技術者なら理解するであろう。態様においては、最小スロットオフセットは、特定の無線パフォーマンス状態に対応することが可能であり、ＷＴＲＵが特定の無線パフォーマンス状態にあるときに、それは、ＤＣＩから取得されることがある示されるスロットオフセット（たとえば、ｋ０および／またはｋ２）が、現在の無線パフォーマンス状態に適用可能な最小値（たとえば、ｋ０ｍｉｎおよび／またはｋ２ｍｉｎ）以上である場合にのみ、ＰＤＳＣＨのデコーディングまたはＰＵＳＣＨを送信することを試みることが可能である。態様においては、最小値（たとえば、ｋ０ｍｉｎまたはｋ２ｍｉｎ）は、ＰＤＣＣＨがスロットまたはＣＯＲＥＳＥＴの特定の時間シンボルにおいてデコードされる場合にのみ適用可能であり得る。たとえば、この値は、ＰＤＣＣＨがスロットの最後の３つのシンボルにおいてデコードされる場合に適用可能であり得る。態様においては、非周期的ＣＳＩ報告トリガー状態に関連付けられているＮＺＰ−ＣＳＩ−ＲＳリソースセットに関する最小スロットオフセット（たとえば、ＡＰトリガーオフセット）は、少なくとも同じＢＷＰにおけるＰＤＳＣＨ−ＴＤＲＡリストにおけるＰＤＳＣＨ−ＴＤＲＡの最小スロットオフセット（たとえば、ｋ０）に基づいて制限または決定されることが可能である。たとえば、構成されているＰＤＳＣＨ−ＴＤＲＡリストにおいて最小ｋ０値がｎ１（たとえば、ｎ１＝１）である場合には、最小ＡＰトリガーオフセット値は、ｎ２（たとえば、ｎ２＝１）であることが可能であり、またはｎ２（たとえば、ｎ２＝１）に制限されることが可能であり、ｎ１およびｎ２は、同じ値または別々の値であり得る。
【０１０６】
ＢＷＰに関して最小ｋ０値が決定されている場合には、ＷＴＲＵは、最小ＡＰトリガーオフセット値が、同じＢＷＰに関するしきい値（たとえば、最小ｋ０値）よりも小さいと予想しない可能性がある。ＢＷＰに関して最小ｋ０値が決定されている場合には、ＷＴＲＵは、同じＢＷＰに関するしきい値（たとえば、最小ｋ０値）よりも小さいＡＰトリガーオフセットを有するＮＺＰ−ＣＳＩ−ＲＳリソースセットに関連付けられているＣＳＩ報告トリガー状態を無視するか、または受信すると予想しない可能性がある。ＣＳＩ報告トリガー状態を無視することは、ＷＴＲＵが、トリガーされたＣＳＩ報告トリガー状態に関するＣＳＩを報告しない可能性があるということを意味することが可能である。ＢＷＰに関して最小ｋ０値が決定されている場合には、ＷＴＲＵは、同じＢＷＰに関するトリガーされたＣＳＩ報告トリガー状態におけるしきい値（たとえば、最小ｋ０値）よりも小さいＡＰトリガーオフセットを有するＮＺＰ−ＣＳＩ−ＲＳリソースセットに関連付けられているＣＳＩ報告コンフィギュレーションを無視する可能性がある。ＣＳＩ報告トリガー状態は、１つまたは複数のＣＳＩ報告コンフィギュレーションを含むこと、またはそれらに対応することが可能であり、それぞれのＣＳＩ報告コンフィギュレーションは、ＮＺＰ−ＣＳＩ−ＲＳリソースセットに関連付けられ得る。ＷＴＲＵは、しきい値（たとえば、最小ｋ０値）以上のＡＰトリガーオフセットを有するＮＺＰ−ＣＳＩ−ＲＳリソースセットに関連付けられているＣＳＩ報告コンフィギュレーションを報告する可能性がある。
【０１０７】
ＣＳＩ報告コンフィギュレーションを報告することは、その報告コンフィギュレーションに関するＣＳＩを報告することに相当することが可能である。ＣＳＩ報告コンフィギュレーションを報告することは、関連付けられているＮＺＰ−ＣＳＩ−ＲＳリソースセットに基づいて（たとえば、それの測定に基づいて）、および／またはそれを使用してＣＳＩを報告することに相当することが可能である。
【０１０８】
その他の態様においては、ＣＳＩ報告コンフィギュレーション（または非周期的ＣＳＩ報告トリガー状態）に関するＮＺＰ−ＣＳＩ−ＲＳリソースセットの最小ＡＰトリガーオフセット値が動的に制限されることが可能である。たとえば、電力節約信号は、ＣＳＩ報告コンフィギュレーション（または非周期的ＣＳＩ報告トリガー状態）に関する最小ＡＰトリガーオフセット値に関するしきい値を示すことが可能であり、ＷＴＲＵは、そのしきい値よりも小さいＡＰトリガーオフセット値を有するＮＺＰ−ＣＳＩ−ＲＳリソースセットに関連付けられているＣＳＩ報告コンフィギュレーション（または非周期的ＣＳＩ報告トリガー状態）を無視することが可能である。
【０１０９】
ＡＰトリガーオフセットは、スロットオフセットであり得る非周期的トリガーオフセットであり得る。ＡＰトリガーオフセットは、ＤＬ受信またはＵＬ送信に関するオフセットであり得る。ＡＰトリガーオフセットは、ＡＰトリガーのＰＤＣＣＨ受信のスロット（またはその他の時間）からＲＳリソースセットまでのオフセットであり得る。ＲＳリソースセットは、（たとえば、ＲＳの）受信および／または測定のために使用されることが可能である（たとえば、そのための時間リソースおよび／または周波数リソースであることが可能であり、それらを含むことが可能であり、またはそれらを識別することが可能である）。ＲＳリソースセットは、（たとえば、ＲＳの）送信のために使用されることが可能である（たとえば、そのための時間リソースおよび／または周波数リソースであることが可能であり、それらを含むことが可能であり、またはそれらを識別することが可能である）。ＣＳＩ要求は、ＡＰトリガーの例である。ＳＲＳ要求は、ＡＰトリガーの例である。
【０１１０】
ＮＺＰ−ＣＳＩ−ＲＳは、ＲＳの例である。別のＲＳが使用されること、および本明細書において説明される例および態様と依然として整合していることが可能である。ＮＺＰ−ＣＳＩ−ＲＳリソースセットは、ＲＳリソースセットの例である。別のＲＳリソースセットが使用されること、および本明細書において説明される例および態様と依然として整合していることが可能である。ＳＲＳは、最小オフセットが当てはまることが可能であって、かつＳＲＳ送信をその最小オフセット以上のＡＰトリガーオフセットに制限するために使用されることが可能であるＲＳの別の例である。
【０１１１】
ｋ０ｍｉｎ、ｋ２ｍｉｎ、および／または最小の非周期的ＣＳＩトリガリングオフセットを提供されるＷＴＲＵは、たとえばデータスケジューリングＤＣＩにおいて、ｋ０、ｋ２、および／または、示された最小の対応する値よりも小さい非周期的ＣＳＩトリガリングオフセットを受信することが可能である。いくつかの態様においては、ＷＴＲＵが、スロットｎにおいて、ｋ０、ｋ２、および／または、示された最小の対応する値よりも小さい非周期的ＣＳＩトリガリングオフセットを受信した場合には、ＷＴＲＵは、それぞれのｋ０ｍｉｎ、ｋ２ｍｉｎ、および／または最小の非周期的ＣＳＩトリガリングオフセットを値（たとえば、０などの構成されているまたはデフォルトの値）に設定することが可能である。ＷＴＲＵは、たとえばスロットｎまたはそれ以降のスロットにおいて、スケジューリングＤＣＩのデコーディングが完了された後に（たとえば、その直後に）、更新された値を設定または適用することが可能である。
【０１１２】
いくつかの態様においては、ＷＴＲＵは、最小スロットオフセット（ｋ０ｍｉｎおよび／もしくはｋ２ｍｉｎ）ならびに／または最小の非周期的ＣＳＩ−ＲＳトリガリングオフセットの値を提供されることが可能である。そのような態様においては、ＷＴＲＵが、ＤＣＩ、たとえば、ｋ０＜ｋ０ｍｉｎを伴うＰＤＳＣＨ  ＴＤＲＡテーブルエントリを指す時間ドメインリソース割り振りを伴うダウンリンクグラント、またはｋ２＜ｋ２ｍｉｎを伴うＰＵＳＣＨ  ＴＤＲＡテーブルエントリを指す時間ドメインリソース割り振りを伴うアップリンクグラント、または最小の非周期的トリガリングオフセットよりも小さい非周期的トリガリングオフセットを示すＣＳＩ−ＡｐｅｒｉｏｄｉｃＴｒｉｇｇｅｒＳｔａｔｅＬｉｓｔにおける状態を指すＣＳＩ要求を伴うアップリンクグラントを受信した場合には、ＷＴＲＵは、最小の非周期的トリガリングオフセット（たとえば、ｋ０ｍｉｎおよび／またはｋ２ｍｉｎ）を値（たとえば、構成されているまたはデフォルトの値）に設定することが可能である。その値は、零であり得る。ＷＴＲＵは、ＰＤＳＣＨまたはＰＵＳＣＨ  ＴＤＲＡテーブルにおける任意のエントリを指す時間ドメインリソース割り当てを伴うＤＣＩ（たとえば、ＤＬグラントおよび／またはＵＬグラントなどのスケジューリングＤＣＩ）を受信すると予想することが可能である。ＷＴＲＵは、ＤＣＩが受信されているスロットにおいて最小の非周期的トリガリングオフセットの新たな値（たとえば、ｋ０ｍｉｎおよび／またはｋ２ｍｉｎ）を適用することが可能であり、またはそれは、新たな値が受信されたときよりも後のスロットにおいて新たな値を適用することが可能である。
【０１１３】
追加として、または代替として、ＷＴＲＵが、ｋ０＜ｋ０ｍｉｎを伴うＰＤＳＣＨ  ＴＤＲＡテーブルエントリを指す時間ドメインリソース割り振りを伴う最小スロットグラント、またはｋ２＜ｋ２ｍｉｎを伴うＰＵＳＣＨ  ＴＤＲＡテーブルエントリを指す時間ドメインリソース割り振りを伴うアップリンクグラント、または最小の非周期的トリガリングオフセットよりも小さい非周期的トリガリングオフセットをさらに示すＣＳＩ−ＡｐｅｒｉｏｄｉｃＴｒｉｇｇｅｒＳｔａｔｅＬｉｓｔにおける状態を指すＣＳＩ要求を伴うアップリンクグラントの値を提供されることが可能である態様においては、ＷＴＲＵは、最小の非周期的ＣＳＩ−ＲＳトリガリングオフセットを値（たとえば、構成されているまたはデフォルトの値）に設定することが可能である。その値は、零であり得る。ＷＴＲＵは、ＣＳＩ−ＡｐｅｒｉｏｄｉｃＴｒｉｇｇｅｒＳｔａｔｅＬｉｓｔにおける任意の状態を指すＣＳＩ要求を伴うＤＣＩ（たとえば、ＵＬグラントなどのスケジューリングＤＣＩ）を受信すると予想することが可能である。ＷＴＲＵは、ＣＳＩ−ＡｐｅｒｉｏｄｉｃＴｒｉｇｇｅｒＳｔａｔｅＬｉｓｔの示された状態に従ってＣＳＩ−ＲＳを測定することが可能である。ＷＴＲＵがＰＤＣＣＨを受信して、ＣＳＩ−ＲＳリソースを伴うスロットの第１のＯＦＤＭシンボルが受信される時間までにＤＣＩをデコードした場合には、ＷＴＲＵは、ＣＳＩ−ＲＳを測定すること、および示されたＣＳＩレポートをフィードバックすることが可能である。ＷＴＲＵは、スケジューリングＤＣＩにおいて示されたＣＳＩレポートを、それがレポートを準備することが不可能である場合には、飛ばして進むことも可能である。
【０１１４】
上述の方法においては、ｋ０ｍｉｎ、ｋ２ｍｉｎ、および最小の非周期的トリガリングオフセットに関するデフォルト値は、対応するリストにおいてＲＲＣによって構成されているように、それぞれ、すべてのｋ０、すべてのｋ２、およびすべての非周期的トリガリングオフセットの最小値であり得る。いくつかの態様においては、直前の２つのパラグラフにおいて説明される態様は、ＷＴＲＵがランダムアクセスプリアンブルを送信することによってランダムアクセスを開始する場合、およびＷＴＲＵが新たなＢＷＰに切り替える場合に、同様に適用可能であり得る。
【０１１５】
いくつかの態様においては、データをスケジュールすること、および少なくとも１つの電力節約技術を実行するようにＷＴＲＵに示すことの両方を行うためにＤＣＩが使用されることが可能である。たとえば、ＤＣＩは、データをスケジュールすること、およびＤＣＩ内の少なくとも１つのビットを使用してＷＴＲＵにｋ０ｍｉｎ値を示すことが可能である。
【０１１６】
いくつかの態様においては、ＤＣＩの少なくとも２つの構成があり得、それらの構成は、同じ数のビットを有することが可能である。たとえば、ＤＣＩフォーマット１＿１は、Ｎ個のビットを有するように構成されることが可能であり、第１の構成においては、Ｎ個ビットのうちのｍ個（たとえば、ｍ＝２）が、ＷＴＲＵにバンド幅部分を示すように構成されることが可能であり、第２の構成においては、同じｍ個のビットは、ＷＴＲＵにｋ０ｍｉｎの値を示すように構成されることが可能である。
【０１１７】
いくつかの態様においては、ＤＣＩの内容を解釈するためにＷＴＲＵによって別々の探索空間構成が使用されることが可能である。ＤＣＩ構成ごとに少なくとも１つの探索空間構成が使用されることが可能である。
【０１１８】
ＷＴＲＵは、ＤＣＩを含むＰＤＣＣＨがどの時点（スロットインデックスおよび／またはスロット内のＯＦＤＭシンボルインデックス）で受信されるかに基づいて、ｍ個のビットによって示される属性（たとえば、それらのビットがＢＷＰまたはｋ０ｍｉｎのインデックスを示すかどうか）を解釈することが可能である。その時点を示すために、モニタリングスロットとスロットオフセットとを構成する探索空間構成パラメータ、および／またはスロット内のモニタリングシンボルが使用されることが可能である。さらに、ＷＴＲＵは、２つの探索空間を伴って構成されることが可能であり、それぞれの探索空間構成は、同じＤＣＩフォーマットおよび別々のｍｏｎｉｔｏｒｉｎｇＳｌｏｔＰｅｒｉｏｄｉｃｉｔｙＡｎｄＯｆｆｓｅｔパラメータを有することが可能である。たとえば、ＷＴＲＵは、構成されているＣＯＲＥＳＥＴ（たとえば、ＣＯＲＥＳＥＴ＃１）をｐ１スロットごとにモニタすることが可能であり、ＰＤＣＣＨが検知された場合には、ＤＣＩは、ＢＷＰを示すことが可能である。さらに、ＷＴＲＵは、構成されているＣＯＲＥＳＥＴをｐ２スロットごとにモニタすることが可能であり、ＰＤＣＣＨが検知された場合には、ＤＣＩは、ｋ０ｍｉｎを示すことが可能である。
【０１１９】
あるいは、ＷＴＲＵは、ＤＣＩを含むＰＤＣＣＨがどのＣＯＲＥＳＥＴで受信されるかに基づいて、ｍ個のビットによって示される属性（たとえば、それらのビットがＢＷＰまたはｋ０ｍｉｎのインデックスを示すかどうか）を解釈することが可能である。ＰＤＣＣＨが受信される制御リソース要素を示すために、ＣＯＲＥＳＥＴを構成する探索空間構成パラメータが使用されることが可能である。さらに、ＷＴＲＵは、２つの探索空間を伴って構成されることが可能である。それぞれの探索空間構成は、同じＤＣＩフォーマットおよび別々のｃｏｎｔｒｏｌＲｅｓｏｕｒｃｅＳｅｔＩｄパラメータを有することが可能である。たとえば、ＷＴＲＵは、第１の構成されているＣＯＲＥＳＥＴ（たとえば、ＣＯＲＥＳＥＴ＃１）をモニタすることが可能であり、ＰＤＣＣＨが検知された場合には、ＤＣＩは、ＢＷＰを示すことが可能である。さらに、ＷＴＲＵは、第２の構成されているＣＯＲＥＳＥＴ（たとえば、ＣＯＲＥＳＥＴ＃２）をモニタすることが可能であり、ＰＤＣＣＨが検知された場合には、ＤＣＩは、ｋ０ｍｉｎを示すことが可能である。
【０１２０】
その他の態様においては、受信されたＤＣＩの内容を解釈するために、ｍｏｎｉｔｏｒｉｎｇＳｌｏｔＰｅｒｉｏｄｉｃｉｔｙＡｎｄＯｆｆｓｅｔ、ｍｏｎｉｔｏｒｉｎｇＳｙｍｂｏｌｓＷｉｔｈｉｎＳｌｏｔ、およびｃｏｎｔｒｏｌＲｅｓｏｕｒｃｅＳｅｔＩｄ探索空間構成パラメータのうちの少なくとも２つの組合せが使用されることが可能である。
【０１２１】
その他の態様においては、受信されたＤＣＩの内容を解釈するために、探索空間構成における少なくとも１つのパラメータが使用されることが可能である。ここでは、ＤＣＩは、その探索空間において構成されているＤＣＩである。第１のＢＷＰは、ＲＲＣによってＴＤＲＡテーブルを用いて構成されることが可能であり、第１のＢＷＰに関するＴＤＲＡテーブルに適用可能なｋ０ｍｉｎ／ｋ２ｍｉｎは、Ｌ１シグナリングで動的に変更されることが可能である。第１のＢＷＰにおいて動作するＷＴＲＵが、第２のＢＷＰへ切り替えるための表示を受信した場合には、そのＷＴＲＵは、第１のＢＷＰに関するＴＤＲＡテーブルに適用可能なｋ０ｍｉｎ／ｋ２ｍｉｎ値を、ＲＲＣによって構成されたＴＤＲＡテーブルにおいて示されている値に設定することが可能である。たとえば、第１のＢＷＰに関してＲＲＣによって構成されたＴＤＲＡテーブルは、ｋ０ｍｉｎ＝０スロットを含むことが可能であり、ｋ０ｍｉｎ値は、Ｌ１シグナリングによって１スロットに設定されることが可能である。ＷＴＲＵが第２のＢＷＰへ切り替えた場合には、第１のＢＷＰに関するＴＤＲＡテーブルに適用可能なｋ０ｍｉｎは、ＲＲＣによって示されていた値、すなわち、０スロットに設定されることが可能である。言い換えれば、第１のＢＷＰに適用可能なＴＤＲＡテーブルのすべてのエントリが再び使用可能であり得る。ＷＴＲＵが第１のＢＷＰへ再び切り替えた場合には、第１のＢＷＰに適用可能なＴＤＲＡテーブルのすべてのエントリが使用可能である。
【０１２２】
態様においては、ＷＴＲＵは、１つまたは複数のＰＤＣＣＨモニタリングオケージョンに関連付けられ得る事前に定義されたまたは所定の時間位置において、図５に関して説明されるＬ１シグナリングなどの電力節約信号を受信またはモニタすることが可能である。態様においては、電力節約信号は、ＤＣＩ、参照信号、および／またはプリアンブルであり得る。態様においては、電力節約信号は、ＰＨＹシグナリング、ＲＲＣシグナリング、ＭＡＣ、またはＭＡＣ  ＣＥであり得る。ｋ０ｍｉｎの値は、それぞれのバンド幅部分（ＢＷＰ）ごとに構成されることが可能である。このような態様においては、適用可能な値は、ＰＤＣＣＨがデコードされるアクティブなＢＷＰの値であり得る。どのようにしてＷＴＲＵが無線パフォーマンス状態を決定することが可能であるかに関して、電力節約信号に関するさらなる代替案が、以降で説明される。
【０１２３】
態様においては、無線パフォーマンス状態は、少なくとも１つの基準感度レベルを含み得る。追加として、または代替として、無線パフォーマンス状態は、ＰＤＳＣＨデコーディングまたはＰＵＳＣＨ送信のための最大ＴＢＳ、ランク、変調次数、もしくはコーディングレート、および／または可能なＰＤＳＣＨマッピングタイプのセットを含み得る。追加として、または代替として、無線パフォーマンス状態は、動作されることができる１セットのまたは最大数のＢＷＰまたはアクティブなＢＷＰを含み得る。追加として、または代替として、無線パフォーマンス状態は、最大数のまたは１セットもしくはサブセットの（ＢＷＰ、ＣＣ、またはＷＴＲＵごとの）、ＰＤＣＣＨに関するアクティブなＴＣＩ状態、ＰＤＳＣＨに関するアクティブなＴＣＩ状態、ビーム管理に関する１ポートもしくは２ポートのＮＺＰ−ＣＳＩ−ＲＳリソース（たとえばＣＲＩ／ＲＳＲＰ、ＳＳＢＲＩ／ＲＳＲＰ）、ＣＳＩ報告に関するＮＺＰ  ＣＳＩ−ＲＳもしくはＳＳＢリソース、ＲＲＭ測定に関するＮＺＰ  ＣＳＩ−ＲＳもしくはＳＳＢリソース、周期的ＣＳＩレポート、半永続的ＣＳＩレポート、もしくは非周期的ＣＳＩレポート設定、ＷＴＲＵが同時に処理することができるＣＳＩレポート、ＷＴＲＵが同時に追跡把握することができるＴＲＳリソースセット、ＰＤＣＣＨ品質モニタリングに関するＣＳＩ−ＲＳもしくはＳＳＢリソース、新たなビームの識別に関するＣＳＩ−ＲＳ／ＳＳＢリソース、および／または非グループベースのＲＳＲＰ報告に関するＲＳＲＰ値を含み得る。
【０１２４】
態様においては、無線パフォーマンス状態は、ある数の、最大数の、または１セットのＣＯＲＥＳＥＴ、ＰＤＣＣＨ探索空間、ＰＤＣＣＨ候補、ＰＤＣＣＨアグリゲーションレベル、ＤＣＩフォーマット、および／もしくは、（ＢＷＰ、ＣＣ、もしくはＷＴＲＵごとの）ＰＤＣＣＨモニタリングに関するＣＯＲＥＳＥＴもしくはそのパターン内のモニタされるＰＤＣＣＨオケージョン、ならびに／またはＰＤＣＣＨモニタリングに関してＰＤＣＣＨの繰り返しが使用されることが可能であるかどうかを含み得る。追加として、または代替として、無線パフォーマンス状態は、特定のＲＳまたはＳＳＢが、アクティブ時間中（もしくは特定のＤＲＸタイマーが稼働している間）にのみ、またはそれらが生じているように構成されているときは常に、受信されると予想されるかどうかなど、モニタリング行動を含み得る。追加として、または代替として、無線パフォーマンス状態は、ＷＴＲＵ処理および／もしくはＤＲＸコンフィギュレーションのレベル、ＤＲＸコンフィギュレーションの側面、ならびに／またはＤＲＸコンフィギュレーション内のパラメータ構成を含み得る。
【０１２５】
態様においては、無線パフォーマンス状態は、無線リンク品質に関する評価ピリオドにおいて定義されるものなど、次のＲＲＭ要件のうちの少なくとも１つを含むことが可能であり、それらのＲＲＭ要件は、モニタされることが可能であるＮＲもしくはＲＡＴ間周波数キャリアの数、並行してサポートされることが可能である報告基準の数、モニタされることが可能である周波数内、周波数間、もしくはＲＡＴ間セルの数、新たな検知可能な周波数内、周波数間、もしくはＲＡＴ間セルの識別に関する待ち時間、測定ピリオド、および／またはＲＲＭ測定の精度要件である。追加として、または代替として、無線パフォーマンス状態は、ＤＣＩによって示されることが可能である構成されているＰＤＳＣＨからＨＡＲＱへのフィードバックタイミングインジケータ（ｋ１）のセットを含み得る。ＰＤＳＣＨからＨＡＲＱへのフィードバックタイミングの最小値ｋ１ｍｉｎが構成されることが可能である。そのような態様においては、ＷＴＲＵは、たとえば、示されているｋ１値が、現在の無線パフォーマンス状態に適用可能な最小値ｋ１ｍｉｎ以上である場合にのみ、ＨＡＲＱフィードバックを送信することが可能である。ＰＤＳＣＨからＨＡＲＱへのフィードバックタイミングのオフセットｋ１ｏｆｆが構成されることが可能である。そのような態様においては、ＷＴＲＵは、無線パフォーマンス状態に適用可能なｋ１ｏｆｆと、示されているｋ１値との合計に相当するＰＤＳＣＨからＨＡＲＱへのフィードバックタイミングを適用することが可能である。
【０１２６】
態様においては、無線パフォーマンス状態は、たとえば、ＰＤＣＣＨとＰＤＳＣＨとの間におけるスロットの数（ｋ０）（たとえば、クロススロットスケジューリングオフセット）を含む、ＤＣＩによって示されることが可能である、ＰＤＣＣＨとＰＤＳＣＨとの間における構成されている時間ドメイン関係のセット、ＰＤＳＣＨマッピングタイプ、および開始シンボルとＰＤＳＣＨの長さとの組合せを含み得る。追加として、または代替として、無線パフォーマンス状態は、ＰＤＣＣＨとＰＤＳＣＨ（またはＰＵＳＣＨ）との間におけるスロットの数ｋ０のオフセットｋ０ｏｆｆを含み得る。ＷＴＲＵは、ＰＤＣＣＨとＰＤＳＣＨとの間におけるスロットの数が、示されているｋ０値と、現在の無線パフォーマンス状態に適用可能なオフセットｋ０ｏｆｆとの合計に相当すると決定することが可能である。オフセット値ｋ０ｏｆｆは、ＰＤＣＣＨがスロットのまたはＣＯＲＥＳＥＴの特定の時間シンボルでデコードされる場合にのみ、依存することが可能であり、または適用可能であり得る。たとえば、その値は、ＰＤＣＣＨがスロットの最後の３つのシンボルでデコードされるか、または最初の４つのシンボルでデコードされるかに依存することが可能である。無線パフォーマンス状態のｋ０ｏｆｆの値は、ＲＲＣまたはＭＡＣ  ＣＥによってシグナリングされることが可能である。ｋ０ｏｆｆの値は、それぞれのＢＷＰごとに構成されることが可能である。このケースにおいては、適用可能な値は、ＰＤＣＣＨがデコードされるアクティブなバンド幅部分の値であり得る。
【０１２７】
態様においては、無線パフォーマンス状態は、受信に関して予想される複数のＲＦチェーン、アクティブアンテナチェーン、ＲＦパネル、および／またはダイバーシティーブランチを含み得る。追加として、または代替として、無線パフォーマンス状態は、ＭＩＭＯおよび／またはＭＩＭＯアルゴリズムに関する複数のアンテナ要素を含み得る。
【０１２８】
ＷＴＲＵが、低減された要件または能力を含む無線パフォーマンス状態で動作する場合には、ＷＴＲＵの電力消費は、さまざまな実装の側面から改善されることが可能である。たとえば、ＷＴＲＵは、現在の無線パフォーマンス状態に従った必要とされる感度レベルが特定の値まで緩和されていることをそれが知っている場合には、１つまたは複数のＲＦチェーンをオフに切り替えることが可能であることがある。ＷＴＲＵは、アクティブであるＴＣＩ状態の数が低減された場合には、特定のアンテナパネルをオフに切り替えることが可能であることもある。
【０１２９】
同様に、ＷＴＲＵは、ＰＤＳＣＨに関する最大トランスポートブロックサイズまたはランクが少なくとも将来における知られているポイントまで特定の値を下回るであろうとそれが知っている場合には、１つまたは複数のＲＦチェーン、および場合によってはいくつかのベースバンドコンポーネントをオフに切り替えることが可能であることがある。これが有効であるためには、より高いパフォーマンスに対応する無線パフォーマンス状態へ切り替える前の許容される待ち時間が、実際の実装における必要なコンポーネントをオンにするために必要とされる待ち時間よりも長くあるべきである。そのような最小待ち時間は、無線パフォーマンス状態の（または状態間における遷移の）側面であることが可能であり、構成されることまたは事前に定義されることが可能である。
【０１３０】
ＷＴＲＵレシーバーは、１つまたは複数のレシーバーコンポーネント（または構成、タイプ）を実装または使用することが可能であり、それぞれのレシーバーコンポーネントは、それ自体の能力（たとえば、構成）を有することが可能である。たとえば、第１のレシーバーコンポーネントは、単一のＲＦチェーンを使用することが可能であり、第２のレシーバーコンポーネントは、複数のＲＦチェーンを使用することが可能である。別の例においては、第１のレシーバーコンポーネントは、最大変調次数としてＱＰＳＫをサポートすることが可能であり、第２のレシーバーコンポーネントは、最大変調次数として２５６ＱＡＭをサポートすることが可能である。第１のレシーバーコンポーネントは、より少ない電力／エネルギーを消費しながら低いピークスループットパフォーマンスを提供することが可能であり、第２のレシーバーコンポーネントは、より高い電力／エネルギーを消費しながら高いピークスループットパフォーマンスを提供することが可能である。第１のレシーバーコンポーネントは、第２のレシーバーコンポーネントよりも少ない電力／エネルギーを消費することが可能である。
【０１３１】
ＷＴＲＵは、一度に１つのレシーバーコンポーネントを使用することが可能であり、またはＷＴＲＵは、一度にレシーバーコンポーネントのセットもしくはサブセットを使用することが可能である。レシーバーコンポーネントまたはレシーバーコンポーネントのセットは、特定の能力を有するＷＴＲＵレシーバーとして構成されることが可能である。以降では、レシーバーコンポーネント、レシーバーコンポーネントのセット、レシーバーコンポーネントのサブセット、レシーバー構成、Ｒｘ構成、Ｒｘコンポーネント、レシーバータイプ、Ｒｘタイプ、レシーバー能力、およびＲｘ能力は、言い換え可能に使用されることが可能である。ＲＦチェーン、送信および受信ユニット（ＴＸＲＵ）、ＲＦトランシーバー、ならびにＲＦは、言い換え可能に使用されることが可能である。
【０１３２】
態様においては、電力またはパフォーマンスモードは、ＷＴＲＵが使用することが可能である１つまたは複数のレシーバーコンポーネントを決定することが可能である。それぞれのレシーバーコンポーネントは、別々のまたは異なるレベルの電力またはエネルギーを消費することが可能である。たとえば、高い電力／エネルギーを消費することが可能であるレシーバーコンポーネント（またはレシーバーコンポーネントのセット）は、高電力モードに対応し得る。低い電力／エネルギーを消費することが可能であるレシーバーコンポーネント（またはレシーバーコンポーネントのセット）は、低電力モードに対応し得る。低電力モード、節電モード（power saving mode）、およびパワーセービングスモード（power savings mode）は、本明細書においては言い換え可能に使用されることが可能である。高電力モード、通常電力モード、および非節電モード（non-power saving mode）は、本明細書においては言い換え可能に使用されることが可能である。別の例に関しては、高いピークスループットをサポートすることが可能であるレシーバーコンポーネントまたはレシーバーコンポーネントのセットは、高パフォーマンスモードに対応し得る。低いピークスループットをサポートすることが可能であるレシーバーコンポーネントまたはレシーバーコンポーネントのセットは、低パフォーマンスモードに対応し得る。
【０１３３】
態様においては、電力またはパフォーマンスモードは、１つまたは複数の送信および／または受信（Ｔｘ／Ｒｘ）パラメータに関連付けられ得る。Ｔｘ／Ｒｘパラメータは、ＷＴＲＵによって決定されることまたは知られていることが可能である。Ｔｘ／Ｒｘパラメータは、ｇＮＢからのシグナリングを介するなどして構成されることが可能である。ＷＴＲＵは、そのＷＴＲＵがサポートするＴｘ／ＲｘパラメータをｇＮＢにシグナリングまたは報告することが可能である。ＷＴＲＵは、そのＷＴＲＵがサポートするそれぞれのレシーバーコンポーネント、レシーバーコンポーネントのセット、電力モード、および／またはパフォーマンスモードに関して、そのＷＴＲＵがサポートするＴｘ／Ｒｘパラメータをシグナリングまたは報告することが可能である。
【０１３４】
態様においては、Ｔｘ／Ｒｘパラメータは、ＲＦチェーンの数であり得る。第１の電力モードは、セル、キャリア、またはＢＷＰにおけるＲＦチェーンの第１の数（たとえば、４）を使用することが可能であり、第２の電力モードは、セル、キャリア、またはＢＷＰにおけるＲＦチェーンの第２の数（たとえば、１）を使用することが可能である。ＷＴＲＵレシーバーにおいて使用されるＲＦチェーンの数は、ＰＤＳＣＨ受信に関してサポートされる最大ランクと呼ばれることが可能である。たとえば、サポートされる最大ランクがＸ（たとえば、１または４）である場合には、少なくともＸ（たとえば、１または４）個のＲＦチェーンが、キャリア／ＢＷＰにおける受信などのために使用されることまたはアクティブであり得る。第１の電力モードは、最大ランク４をサポートすることが可能であり、第２の電力モードは、最大ランク１をサポートすることが可能である。
【０１３５】
ＷＴＲＵレシーバーにおいて使用されるＲＦチェーンの数は、ＷＴＲＵのカバレッジレベルに基づいて示されること、決定されること、または使用されることが可能である。第１のカバレッジレベルは、第１の電力モードに関連付けられ得、第２のカバレッジレベルは、第２の電力モードに関連付けられ得る。カバレッジモードおよび電力モードは、言い換え可能に使用されることが可能である。
【０１３６】
サポートされる電力モードは、ＷＴＲＵ能力など、ＷＴＲＵから示されること、またはＷＴＲＵによって報告されることが可能である。たとえば、ＷＴＲＵが複数の電力モード（たとえば、通常および低または高、中、および低）をサポートする場合には、ＷＴＲＵは、サポートされる電力モードをｇＮＢに報告することが可能である。別の例においては、ＷＴＲＵは、それが低モードまたは節電モードをサポートするということを報告することが可能である。ＷＴＲＵは、電力モードまたはカバレッジレベルに関連付けられている能力（たとえば、ＲＦチェーンの数または最大ランク）を報告することが可能である。たとえば、ＷＴＲＵは、それがサポートするそれぞれの電力モードおよび／またはカバレッジレベルごとに、それがサポートする能力を報告することが可能である。ＷＴＲＵが複数の電力モードをサポートする場合には、ＷＴＲＵは、サポートされる電力モードと、それらの関連付けられている能力とをｇＮＢに報告することが可能である。
【０１３７】
態様においては、Ｔｘ／Ｒｘパラメータは、レシーバー感度レベルであることが可能であり、レシーバー感度レベルは、電力モードに基づいて異なることが可能である。ＷＴＲＵは、電力モードに基づいて自分のレシーバー感度レベルを報告することが可能である。
【０１３８】
態様においては、Ｔｘ／Ｒｘパラメータは、サポートされる最大変調次数（たとえば、２５６ＱＡＭ）であることが可能であり、サポートされる最大変調次数は、ＷＴＲＵ能力として、それぞれの電力モードごとに決定されること、示されること、または報告されることが可能である。ＷＴＲＵは、それぞれの電力モードに関してサポートされる最大変調次数の自分の能力を示すことが可能である。最大変調次数および最大変調コーディングスキーム（ＭＣＳ）レベルは、本明細書においては言い換え可能に使用されることが可能である。
【０１３９】
態様においては、Ｔｘ／Ｒｘパラメータは、最大のサポートされるＲＦバンド幅（たとえば、１ＧＨｚ）であり得る。最大のサポート可能なバンド幅は、ＷＴＲＵ能力として、それぞれの電力モードごとに決定されること、示されること、または報告されることが可能である。最大ＲＦバンド幅は、ＰＤＳＣＨに関してサポートされるＲＢの最大数として示されることが可能である。追加として、または代替として、Ｔｘ／Ｒｘパラメータは、（たとえば、キャリアアグリゲーションと同時に）サポートされるキャリアの最大数、キャリア内の最大ＢＷＰサイズ（たとえば、２７５ＲＢまで）、および／または同時受信に関してサポートされるＢＷＰの最大数のうちの少なくとも１つであり得る。追加として、または代替として、Ｔｘ／Ｒｘパラメータは、サポートされるビーム（またはビームグループ）の最大数であり得る。サポートされるビームの数は、電力モードに基づいて異なることが可能である。ビームの数は、Ｒｘビームの数であること（またはＷＴＲＵにおけるビーム管理のために必要とされるＳＲＳリソースの数として示されること）が可能である。
【０１４０】
態様においては、Ｔｘ／Ｒｘパラメータは、サポートされる最大結合損失（たとえば、カバレッジレベル）であり得る。追加として、または代替として、Ｔｘ／Ｒｘパラメータは、所与の周波数バンド（たとえば、１５ｋＨｚ、３０ｋＨｚ、６０ｋＨｚ、１２０ｋＨｚ）においてサポートされるサブキャリアスペーシングのセットであり得る。追加として、または代替として、Ｔｘ／Ｒｘパラメータは、スケジューリングパラメータおよび／または条件のセットに関してサポートされる最小ＨＡＲＱ−ＡＣＫタイミング、ならびに、それがトリガーされるときの非周期的ＣＳＩ報告コンフィギュレーションのセットに関してサポートされる最小タイムラインのうちの少なくとも１つであり得る。追加として、または代替として、Ｔｘ／Ｒｘパラメータは、チャネル推定スキーム、ＤＭ−ＲＳのチャネル推定のためのプリコーディング粒度、チャネルコーディングスキーム（たとえば、ターボ、ＬＤＰＣ、ポーラー、コンボリューショナル、ＲＭ）、および／またはＭＩＭＯレシーバータイプ（たとえばＭＭＳＥ、ＭＬ）のうちの少なくとも１つであり得る。追加として、または代替として、Ｔｘ／Ｒｘパラメータは、スリープモード（たとえば、スリープなし、深いスリープ、部分的なスリープ、浅いスリープ）であり得る。ウェイクアップ時間は、スリープモードに基づいて決定されることが可能である。ウェイクアップ時間は、ダウンリンク信号（たとえば、ＰＤＣＣＨ）を受信することを開始するための時間（たとえば、そのために必要とされる時間）であり得る。ウェイクアップ時間、ウォームアップ時間、準備時間、およびアクティブ化時間は、言い換え可能に使用されることが可能である。
【０１４１】
図６は、別々の電力モードに対応し得る複数のレシーバーコンポーネントを伴って構成されている例示的なＷＴＲＵ６００の図である。図６において示されている例においては、ＷＴＲＵ６００は、２つのアンテナ６１０および６１２を含み、これらのアンテナ６１０および６１２は、レシーバーコンポーネント６０４、６０６、および６０８に通信可能に結合されることが可能である。図６は、２つのアンテナおよび３つのレシーバーコンポーネントを示しているが、本明細書において説明される態様は、任意の数のアンテナおよびレシーバーコンポーネントを有するＷＴＲＵに適用可能であり得るということを当技術分野における標準的な技術者なら認識するであろう。
【０１４２】
図６において示されている例においては、レシーバーコンポーネント６０４、６０６、および６０８のうちの１つが、ターゲット電力モードに基づいて一度に使用されることが可能である。第１のレシーバーコンポーネント６０４は、ＷＵＳ受信のみのために使用されることがあり、第１の（たとえば、非常に低い）量の電力を消費することがある。これは、たとえば、それが、相関器を伴うシーケンスを検知することのみが可能であるからである可能性がある。第２のレシーバーコンポーネント６０６は、たとえばスケジューリング制限（たとえば、ＱＰＳＫ変調のみ、ランク１まで、および１００ＰＲＢまで）を伴う、ダウンリンク信号受信のために使用されることが可能である。第２のレシーバーコンポーネント６０６は、第２の量の電力（たとえば、低い電力／エネルギー）を消費することが可能である。第３のまたは第Ｎのレシーバーコンポーネント６０８は、たとえばスケジューリング制限を伴わない、ダウンリンク信号のために使用されることが可能である。第３のまたは第Ｎのレシーバーコンポーネント６０８は、第３のまたは第Ｎの電力／エネルギー（たとえば、レシーバーコンポーネントのうちで最も高い電力／エネルギー）を消費することが可能である。
【０１４３】
レシーバーコンポーネントの数は、ＷＴＲＵ能力に基づくことが可能である。ＷＴＲＵは、ＷＴＲＵ能力としてサポートされるレシーバーコンポーネントの数を報告することが可能である。レシーバーコンポーネントの１つまたは複数のセットがサポートされることが可能であり、ＷＴＲＵは、どのセットを自分がサポートするかを示すことが可能である。セットの例は、第１のセット（セット−１）（これは、単一のレシーバーコンポーネントを含むことが可能であり、たとえば、通常電力モードのみをサポートすることが可能である）、第２のセット（セット−２）（これは、２つのレシーバーコンポーネントを含むことが可能であり、それらは、たとえば、ＷＵＳ受信のみ、またはＷＵＳ受信および通常電力モードをサポートすることが可能である）、第３のセット（セット−）（これは、２つのレシーバーコンポーネントを含むことが可能であり、それらは、たとえば、より低い電力モードおよび通常電力モードをサポートすることが可能である）、ならびにセット４（セット−４）（これは、３つのレシーバーコンポーネントを含むことが可能であり、それらは、たとえば、すべての電力モードをサポートすることが可能である）を含み得る。
【０１４４】
ＷＴＲＵは、レシーバーコンポーネント間における必要とされる切り替え時間（たとえば、１つのレシーバーコンポーネントまたはレシーバーコンポーネントのセットから別のレシーバーコンポーネントまたはレシーバーコンポーネントのセットへ切り替えるためにＷＴＲＵによって必要とされる時間）を報告することが可能である。切り替え時間は、現在の電力モードおよびターゲット電力モードに依存することが可能である。たとえば、現在の電力モードが、ターゲット電力モードよりも高い電力モードである場合には、切り替え時間は短くなることが可能である。そうでない場合には、切り替え時間は長くなることが可能である。
【０１４５】
レシーバーコンポーネントまたはレシーバーコンポーネントのセットは、カバレッジレベルを有することが可能である。２つ以上のレシーバーコンポーネントまたはレシーバーコンポーネントのセットは、別々のカバレッジレベルを有することが可能である。スケジューリング制限を伴わない電力モードのために使用されることが可能であるレシーバーコンポーネントまたはレシーバーコンポーネントのセットは、最良のカバレッジをサポートすることが可能である。ＷＵＳ受信のみのために使用されることが可能であるレシーバーコンポーネントまたはレシーバーコンポーネントのセットは、通常電力モードと同様のカバレッジレベルをサポートすることが可能である。スケジューリング制限を伴う電力モードのために使用されることが可能であるレシーバーコンポーネントまたはレシーバーコンポーネントのセットは、スケジューリング制限を伴わない通常電力モードのための、および／またはＷＵＳ受信専用などのＷＵＳ受信のためのレシーバーコンポーネントまたはレシーバーコンポーネントのセットよりも低いカバレッジなど、低いまたは最悪のカバレッジをサポートすることがある。
【０１４６】
態様においては、ＷＴＲＵは、１つまたは複数のレシーバーコンポーネントを使用することが可能である。ＷＴＲＵは、ダウンリンク信号の受信のために使用するためのレシーバーコンポーネントまたはレシーバーコンポーネントのセットを決定することが可能である。どのレシーバーコンポーネントまたはレシーバーコンポーネントのセットをダウンリンク信号の受信のために使用するかは、ＷＴＲＵに（たとえば、直接または間接的に）示されることが可能である。さらに、スケジューリング制限パラメータ（ＳＲＰ）のセットが、ｇＮＢによってなどで構成または提供されることが可能である。ＷＴＲＵは、構成または提供されたＳＲＰに基づいて、どのレシーバーコンポーネントまたはレシーバーコンポーネントのセットを使用するかを決定することが可能である。スケジューリング制限パラメータ（ＳＲＰ）は、最大ランク（たとえば、ＰＤＳＣＨおよび／もしくはＰＵＳＣＨに関する）、最大変調次数（たとえば、ＱＰＳＫ、１６ＱＡＭ、２５６ＱＡＭ）、最大ＴＢＳ、候補送信スキーム（たとえば、シングルＴＲＰもしくはマルチポイントＴＲＰ）、最低もしくは最小のコーディングレート、ＲＢの最大数、最小および／もしくは最大のＨＡＲＱタイムライン、ならびに／または最大タイミングアドバンス（ＴＡ）値のうちの１つまたは複数を含み得る。
【０１４７】
１つもしくは複数の探索空間またはＣＯＲＥＳＥＴが構成されることが可能であり、それぞれの探索空間は、ＳＲＰのセットに関連付けられ得る。たとえば、それぞれの探索空間ＩＤ（ＳｅａｒｃｈＳｐａｃｅＩＤ）が、ＳＲＰのセットに関連付けられ得る。ＷＴＲＵは、ＷＴＲＵがモニタする探索空間に基づいて、どのレシーバーコンポーネント、レシーバーコンポーネントのセット、または電力モードを使用するかを決定することが可能である。探索空間に関してモニタされるＤＣＩにおけるＤＣＩフィールドは、ＳＲＰの関連付けられているセットに基づいて決定されることが可能である。ＳＲＰの別々のセットを伴う１つまたは複数の探索空間が同時に（たとえば、同じスロットまたは同じ時間ウィンドウにおいて）モニタされることは可能ではない。ＷＴＲＵは、より低いまたはより高い電力モードで探索空間のサブセットをモニタし、１つまたは複数の探索空間が同じ時間ウィンドウにおいて重なっている場合には、探索空間の残りをモニタするのをスキップすることが可能である。ＳＲＰの別々のセットを伴う１つまたは複数の探索空間が時間ウィンドウにおいて（たとえば、同じスロットにおいて）重なっている場合には、ＷＴＲＵは、その時間ウィンドウにおけるすべての探索空間を受信することが可能であるレシーバーコンポーネントを使用することが可能である。探索空間およびＣＯＲＥＳＥＴという用語は、本明細書においては言い換え可能に使用されることが可能である。１つまたは複数のＰＤＣＣＨ候補が使用されることが可能であり、それぞれのＰＤＣＣＨ候補は、ＳＲＰのセットに関連付けられ得る。ＷＴＲＵは、ＷＴＲＵがＤＣＩを受信するＰＤＣＣＨ候補に基づいて、レシーバーコンポーネント、レシーバーコンポーネントのセット、または電力モードを決定することが可能である。
【０１４８】
ＷＴＲＵは、ＷＴＲＵ  ＲＲＣ接続ステータス（たとえば、ＲＲＣ接続状態、ＲＲＣアイドル状態、およびＲＲＣ非アクティブ状態）に基づいて、使用するためのレシーバーコンポーネント、コンポーネントのセット、または電力モードを決定することが可能である。ＷＴＲＵがＲＲＣアイドル状態またはＲＲＣ非アクティブ状態にある場合には、第１のレシーバーコンポーネント、レシーバーコンポーネントのセット、または電力モード（たとえば、低電力モード）が使用されることが可能である。ＷＴＲＵがＲＲＣ接続状態にある場合には、第２のレシーバーコンポーネント、レシーバーコンポーネントのセット、または電力モード（たとえば、高電力モード）が使用されることが可能である。ＷＴＲＵは、ＲＲＣアイドル状態およびＲＲＣ非アクティブ状態に関して、第１のレシーバーコンポーネント、レシーバーコンポーネントのセット、または電力モードを使用することが可能である。ＷＴＲＵは、ＳＲＰの決定されたセットに基づいてＲＲＣ接続状態において、第１または第２のレシーバーコンポーネント、レシーバーコンポーネントのセット、または電力モードのいずれかを使用することが可能である。
【０１４９】
ＷＴＲＵは、ダウンリンクチャネルタイプ（たとえば、ＰＤＣＣＨ、ＰＤＳＣＨ、ＳＳ／ＰＢＣＨブロック）に基づいて、どのレシーバーコンポーネント、コンポーネントのセット、または電力モードを使用するかを決定することが可能である。追加として、または代替として、ＷＴＲＵは、バンド幅部分のアイデンティティー（たとえば、アクティブなＢＷＰのＢＷＰ−ｉｄ）に基づいて、（たとえば、ＢＷＰにおいて）どのレシーバーコンポーネント、コンポーネントのセット、または電力モードを使用するかを決定することが可能である。
【０１５０】
ＳＲＰのセットは、それぞれのＢＷＰごとに構成されることが可能であり、ＷＴＲＵは、アクティブなＢＷＰにおけるＳＲＰの関連付けられているセットに基づいて、レシーバーコンポーネント、コンポーネントのセット、または電力モードを決定することが可能である。第１のＢＷＰは、変調次数のサブセット（たとえば、ＱＰＳＫまで）に関連付けられ得、第２のＢＷＰは、変調次数の第２のサブセットまたはフルセット（たとえば、６４ＱＡＭまたは２５６ＱＡＭまで）に関連付けられ得る。ＢＷＰに関連付けられている変調次数のセットに基づいて、ＷＴＲＵは、たとえば、ＢＷＰにおいて動作する（たとえば、受信する）際に使用するためのレシーバーコンポーネント、レシーバーコンポーネントのセット、または電力モードを決定することが可能である。変調次数の関連付けられているセット（または最大変調次数）は、それぞれのＢＷＰ構成において構成されることが可能である。
【０１５１】
ＣＳＩ報告に関するＣＱＩテーブルは、ＢＷＰ（もしくはアクティブなＢＷＰのＢＷＰ−ｉｄ）および／または変調次数の関連付けられているセット（もしくは最大変調次数）に基づいて決定されることが可能である。ＰＤＳＣＨスケジューリングのためのＭＣＳ表示に関するエントリの数は、ＢＷＰ（もしくはアクティブなＢＷＰのＢＷＰ−ｉｄ）および／または変調次数の関連付けられているセット（もしくは最大変調次数）に基づいて決定されることが可能である。ＰＤＳＣＨスケジューリングのためのＤＣＩにおけるＭＣＳビットの数は、アクティブなＢＷＰのＢＷＰ−ＩＤに基づいて決定されることが可能である。最大変調次数は、ダウンリンクまたはアップリンクのみに関して制限されることが可能である。
【０１５２】
第１のＢＷＰ切り替え時間またはギャップは、アクティブなＢＷＰが、ＳＲＰの同じセットを有するＢＷＰ間において切り替えられる場合に使用されることがあり、第２のＢＷＰ切り替え時間（またはギャップ）は、アクティブなＢＷＰが、ＳＲＰの別々のセットを有するＢＷＰ間において切り替えられる場合に使用されることがある。レシーバーコンポーネント、レシーバーコンポーネントのセット、または電力モードが、ＢＷＰ間において異なる場合には、より長い切り替え時間（またはギャップ）が必要とされること、または使用されることが可能である。
【０１５３】
ＷＴＲＵは、キャリアインデックス（たとえば、サービングセルＩＤ）、周波数レンジ（たとえば、周波数レンジ１もしくは周波数レンジ２）、トラフィックタイプ（たとえば、ｅＭＢＢ、ｍＭＴＣ、もしくはＵＲＬＬＣ）、および／またはＱｏＳタイプ（たとえば、待ち時間レベル、信頼性レベル、必要とされるスループットレベル）のうちの１つまたは複数に基づいて、どのレシーバーコンポーネント、コンポーネントのセット、または電力モードを使用するかを決定することが可能である。
【０１５４】
ＷＴＲＵは、カバレッジレベルに基づいて、どのレシーバーコンポーネント、コンポーネントのセット、または電力モードを使用するかを決定することが可能である。レシーバーコンポーネント、レシーバーコンポーネントのセット、または電力モードは、ＷＴＲＵがＤＣＩを受信したＰＤＣＣＨアグリゲーションレベルに基づいて決定されることが可能である。レシーバーコンポーネント、レシーバーコンポーネントのセット、または電力モードは、１つまたは複数のダウンリンク測定値（たとえば、ＣＱＩ、ＳＩＮＲ、Ｌ１−ＲＳＲＰ、ＲＳＲＰ、またはＲＳＲＱ）に基づいて決定されることが可能である。ＷＴＲＵは、決定されたレシーバーコンポーネント、レシーバーコンポーネントのセット、または電力モードに関連付けられ得るＤＣＩをモニタすることが可能である。
【０１５５】
図７は、別々のカバレッジシナリオにおける低電力モードレシーバーの例示的な使用を示すシステム図７００である。ＷＴＲＵ７１０および７１２などのＷＴＲＵがセルエッジにある場合には、そのＷＴＲＵは、たとえば貧弱なチャネル状態に起因して、ＱＰＳＫよりも高い変調次数を受信することができない可能性がある。ＷＴＲＵが、ＱＰＳＫまでの変調次数のみをサポートするレシーバーコンポーネントを使用する場合、またはｇＮＢが、ＷＴＲＵに、そのレシーバーコンポーネントを使用するのを可能にする場合には、ＷＴＲＵは、バッテリーを節約することができる可能性がある。そのレシーバーコンポーネントは、より高い変調次数をサポートするレシーバーコンポーネントと比較して、ＰＤＣＣＨおよびＰＤＳＣＨ受信中に、より少ない電力を消費することが可能である。セルエッジにないＷＴＲＵ７０８は、２５６ＱＡＭまでをサポートする、異なる、より高い電力モードで動作することが可能である。
【０１５６】
ＷＴＲＵは、制限された最大変調次数および／または１つもしくは複数のその他のスケジューリング制限をサポートすることが可能であるレシーバーコンポーネント、レシーバーコンポーネントのセット、または電力モードを使用するための構成または表示を、ｇＮＢからなどで受信することが可能である。あるいは、ＷＴＲＵは、スケジュールまたは使用されることが可能である最大変調次数の構成もしくは表示、および／または１つもしくは複数のその他のスケジューリング制限を受信することが可能である。ＷＴＲＵは、ＰＤＣＣＨまたはＰＤＳＣＨなどのダウンリンクチャネルに関してスケジュールされることになる変調次数が、制限された最大変調次数（たとえば、ＱＰＳＫ）よりも高くない可能性があると想定することが可能である。決定されたレシーバーコンポーネントに関して使用される最大変調次数に基づいて、最大送信ランクが決定されることが可能である。決定されたレシーバーコンポーネントに関して使用される最大変調に基づいて、最大送信バンド幅が決定されることが可能である。
【０１５７】
ｇＮＢは、切り替え時間とともに動的な表示（たとえば、探索空間のアクティブ化による黙示的な、またはＤＣＩ表示による明示的な）を伴って低電力モード（たとえば、ＱＰＳＫまでの）から高電力モードへ、またはその逆へ切り替えることが可能である。レシーバーコンポーネント切り替え時間などの切り替え時間は、ダウンリンクスケジューリングに関する最大変調次数が増加または減少される場合に提供および／または使用されることが可能である。その切り替え時間は、ＢＷＰ切り替えに関する切り替え時間と同じであり得る。ＷＴＲＵは、切り替え時間中にＰＤＣＣＨをモニタするのをスキップすることが可能である。
【０１５８】
いくつかの態様においては、上述されているものなど、いくつかの無線パフォーマンスの側面は、独立して構成および／またはアクティブ化されることが可能である。たとえば、第１のタイプの無線パフォーマンス状態は、たとえば、基準感度レベルおよびＲＦチェーンの数を含むＲＦの側面に関して定義されることが可能であり、第２のタイプの無線パフォーマンス状態は、たとえば、最大トランスポートブロックサイズを含むベースバンドの側面に関して構成されることが可能であり、第３のタイプの無線パフォーマンス状態は、ＲＲＭの側面に関して定義されることが可能である。別の例においては、第１のタイプの無線パフォーマンス状態は、ＰＤＣＣＨデコーディングの側面に関して定義されることが可能であり、第２のタイプの無線パフォーマンス状態は、ＰＤＳＣＨデコーディングの側面に関して定義されることが可能である。
【０１５９】
態様においては、無線パフォーマンス状態は、少なくとも１つの適用可能な側面に関する値のセットを構成することによって（たとえば、ＲＲＣによって）構成されることが可能である。たとえば、ＲＲＣ構成は、無線パフォーマンス状態のリストを含むことが可能であり、それらはそれぞれ、適用可能な側面に関する最大トランスポートブロックサイズ、最大ランク、レシーバー感度値、およびその他の情報要素を含む。さらに、それぞれの無線パフォーマンス状態に関して、アイデンティティーパラメータが構成されることが可能である。アイデンティティーパラメータは、たとえば、より高い値がより高い要件に対応し得るように割り振られることが可能である。
【０１６０】
態様においては、デフォルトの無線パフォーマンス状態が定義されることが可能である。そのような無線パフォーマンス状態は、より高いレイヤーに提供されるＷＴＲＵの能力のセット（たとえば、最大のパフォーマンスまたは能力）に対応し得る。そのようなデフォルトの無線パフォーマンスは、ＲＲＣによるさらなる構成を必要としないことが可能である。あるいは、デフォルトの無線パフォーマンス状態は、電力効率のよい状態に対応し得る。
【０１６１】
適用可能な無線パフォーマンス状態のセットが、適用可能な側面の構成に加えられることが可能である。たとえば、ＴＣＩ状態の構成は、このＴＣＩ状態がアクティブであり得る１つまたは複数の無線パフォーマンス状態を示す少なくとも１つのさらなる情報要素を含み得る。この表示は、適用可能な無線パフォーマンス状態の最大アイデンティティーパラメータを示す情報要素を提供されることが可能である。２つの無線パフォーマンス状態のみが定義されているケースにおいては、情報要素は、電力効率のよい状態に対応する無線パフォーマンス状態においてＴＣＩ状態がアクティブ化されることが可能であるかどうかを示すブール値であり得る。
【０１６２】
特定の無線パフォーマンス状態にある場合の特定の側面の構成のために、さらなる情報要素が定義されることが可能である。たとえば、非デフォルトの（電力効率のよい）無線パフォーマンス状態にある場合のＣＳＩレポート構成を構成する情報要素が使用されることが可能である。これは、多数のパラメータが影響されて、かつ２つのパフォーマンス状態（たとえばデフォルトの状態および電力効率のよい状態）のみが定義されている場合に特に役立つことが可能である。
【０１６３】
ＷＴＲＵは、複数の異なる方法のうちの少なくとも１つに基づいて、適用可能な無線パフォーマンス状態を決定することが可能である。いくつかの態様においては、無線パフォーマンス状態は、物理レイヤー、ＭＡＣ、またはＲＲＣシグナリングによって明示的に示されることが可能である。たとえば、ＷＴＲＵは、無線パフォーマンス状態または適用可能な側面に関する値を示すＭＡＣ制御要素を受信することが可能である。ＷＴＲＵは、必要なコンポーネントをアクティブ化することが可能であり、それによってそれは、対応するトランスポートブロックの受信を確認するＨＡＲＱの送信に続いて、事前に定義された数のスロットまたはシンボル（またはｍｓ）までに、示されている状態を使用して動作する準備ができている。
【０１６４】
たとえば、いくつかの態様においては、最小クロススロットスケジューリング遅延（最小ｋ０または最小ｋ２）が、時間ドメインリソース割り当て（ＴＤＲＡ）フィールドなどのＤＣＩフィールドによって示されることが可能である。たとえば、最小ｋ０またはｋ２値は、ｋ０、マッピングタイプ、開始シンボル、および長さなどの既存のパラメータに加えて、このフィールドのそれぞれのコードポイントごとに構成されることが可能である。このフィールドによって示されている最小ｋ０（またはｋ２）の値が、ＷＴＲＵによって現在使用されている値とは異なるケースにおいては、ＷＴＲＵは、それに従って最小ｋ０（またはｋ２）値を修正することが可能である。加えて、ＷＴＲＵは、ＰＤＳＣＨ（またはＰＵＳＣＨ）が受信または送信されていないと決定することが可能である。これは、ｋ０（またはｋ２）の示されている最小値が現在の値よりも低い場合にのみ適用可能であり得る。ＷＴＲＵは、堅牢性を改善するために、ＤＣＩの少なくとも１つのその他のフィールドが、事前に定義された値に設定されているという条件で、最小ｋ０（またはｋ２）の変更が有効であると決定することが可能である。たとえば、周波数ドメインリソース割り振りフィールドが、事前に定義された値に設定されなければならないことがある。ＷＴＲＵは、たとえば、ＰＵＣＣＨリソースインジケータによって示されるリソースを介して、対応するＤＣＩに関するＨＡＲＱ−ＡＣＫを送信することによって、シグナリングの受信を確認することが可能である。
【０１６５】
いくつかの態様においては、ＷＴＲＵが、関連付けられている側面に関するアクティブ化コマンドを受信した場合には、無線パフォーマンス状態は、黙示的に切り替えられることまたはアクティブ化されることが可能である。たとえば、ＴＣＩ状態は、より高い基準感度またはより少ない数のＲＦチェーンに対応するものなど、非デフォルトの無線パフォーマンス状態に適用可能であるように構成されることが可能である。ＰＤＣＣＨ受信のためのこのＴＣＩ状態のアクティブ化を示すＭＡＣ  ＣＥを受信すると、ＷＴＲＵは、対応する非デフォルトの無線パフォーマンス状態に従って動作することが可能である。
【０１６６】
いくつかの態様においては、無線パフォーマンス状態は、ＲＲＭ測定などの少なくとも１つのＷＴＲＵ測定、またはＬ１−ＲＳＲＰなどのＣＳＩ測定に基づいて決定されることが可能である。たとえば、ＷＴＲＵは、自分のサービングセルのＲＳＲＰがしきい値よりも低い場合には、デフォルトの無線パフォーマンス状態をアクティブ化することが可能である。このようなしきい値は、ＭＡＣまたはＲＲＣによってシグナリングされることが可能である。逆に、ＷＴＲＵは、自分のサービングセルのＲＳＲＰがしきい値よりも高い場合には、非デフォルトの無線パフォーマンス状態をアクティブ化することが可能である。ＷＴＲＵは、ＭＡＣまたはＲＲＣシグナリングを使用して、無線パフォーマンス状態のそのような切り替えをシグナリングすることが可能である。
【０１６７】
いくつかの態様においては、ＷＴＲＵは、このＷＴＲＵに関するＤＬ割り振りまたはＵＬグラントを含むＰＤＣＣＨをデコードした後に、最大のパフォーマンスを考慮に入れる無線パフォーマンス状態などの無線パフォーマンス状態へ切り替えることが可能である。追加として、または代替として、いくつかの態様においては、ＷＴＲＵは、特定の持続時間の無線パフォーマンス状態タイマーを伴って構成されることが可能である。ＷＴＲＵは、このＷＴＲＵに関するＤＬ割り振りまたはＵＬグラントを含むＰＤＣＣＨをデコードする際に、無線パフォーマンスタイマーを始動または再始動することが可能である。タイマーが満了すると、ＷＴＲＵは、電力効率のよい無線パフォーマンス状態へ切り替えることが可能である。
【０１６８】
いくつかの態様においては、無線パフォーマンス状態は、少なくとも１つのＤＲＸタイマーが稼働しているかどうかに基づいて、またはＤＲＸ  ＭＡＣ  ＣＥの受信に基づいて決定されることが可能である。たとえば、ＷＴＲＵは、インアクティビティータイマーが始動したときにデフォルトの無線パフォーマンス状態へ切り替わることと、非アクティブタイマー、ＵＬまたはＤＬ再送信タイマー、ならびにＵＬおよびＤＬ  ＨＡＲＱ  ＲＴＴタイマーが満了したときに非デフォルトの無線パフォーマンス状態へ切り替わることとが可能である。別の例においては、ＷＴＲＵは、ＤＲＸコマンドＭＡＣ  ＣＥの、または長いＤＲＸコマンドＭＡＣ  ＣＥの受信後に、非デフォルトの無線パフォーマンス状態へ切り替えることが可能である。
【０１６９】
いくつかの態様においては、無線パフォーマンス状態は、ＢＷＰに関連付けられるように構成されることが可能である。新たなＢＷＰへ切り替えると、ＷＴＲＵは、関連付けられている無線パフォーマンス状態へ切り替えることも可能である。たとえば、電力効率のよい無線パフォーマンス状態は、比較的狭いバンド幅を有するバンド幅部分に関連付けられるように構成されることが可能であり、最大のパフォーマンスを考慮に入れる無線パフォーマンス状態は、比較的広いバンド幅を有するバンド幅部分に関連付けられるように構成されることが可能である。
【０１７０】
いくつかの態様においては、無線パフォーマンス状態は、構成されているグラントまたは割り振りに関連付けられ得る。ＷＴＲＵは、構成されているグラントまたは割り振りの送信または受信時に、この無線パフォーマンス状態へ切り替えることが可能である。
【０１７１】
図８は、２つの無線パフォーマンス状態の間における切り替えの例の図８００である。図８において示されている例においては、ＷＴＲＵは、２つの無線パフォーマンス状態、４つのＲｘチェーンの使用を必要とする第１の無線パフォーマンス状態、および２つのＲｘチェーンのみの使用を必要とする第２の無線パフォーマンス状態の間において切り替えを行うことが可能である。図８において示されている例においては、ＷＴＲＵは、ＷＴＲＵスケジューリング（たとえば、ＤＬ割り振りまたはＵＬグラントの受信）によって、第１の無線パフォーマンス状態へ切り替えるようにトリガーされることが可能である。ＷＴＲＵは、タイマーの満了によって第２の無線パフォーマンス状態へ切り替えるようにトリガーされることが可能である。たとえば、（ａ）においては、ＷＴＲＵは、４つのＲｘを無効にすること、２つのＲｘのみを使用すること、および有効なＰＤＣＣＨを検知しようと試みることが可能である。（ｂ）においては、ＷＴＲＵは、スケジュールされることがあり、タイマーを始動することがあり、４つのＲｘ処理を可能にすることまたは再び可能にすることがある。タイマーが満了すると、ＷＴＲＵは、モニタするのを停止することが可能である。（ｃ）においては、ＷＴＲＵは、２つのＲｘへ戻り、有効なＰＤＣＣＨを検知することを試みる。
【０１７２】
いくつかの態様においては、無線パフォーマンス状態は、スケジューリング情報またはデコードされたＰＤＣＣＨのプロパティーに基づいて（たとえば、黙示的に）決定されることが可能である。このアプローチは、状態間において切り替えを行うためのさらなるＤＣＩフォーマットに対する必要性を回避するという利点を有することが可能である。たとえば、スケジューリング情報は、ＰＤＣＣＨとＰＤＳＣＨ（もしくはＰＵＳＣＨ）との間におけるスロットの数（たとえば、ｋ０もしくはｋ２）、またはＰＤＳＣＨもしくはＰＵＳＣＨの持続時間などのタイミング情報を含み得る。たとえば、第１の状態におけるＷＴＲＵは、スロットの示されている数ｋ０が、構成される第１のしきい値よりも低いか、または構成されている値もしくはコードポイントに相当する場合には、第２の状態へ切り替えることが可能である。上記の第１のしきい値は、第１の状態用に構成されている最小数のスロットｋ０ｍｉｎに相当することが可能である。第２の状態におけるＷＴＲＵは、スロットの示されている数ｋ０が、構成される第２のしきい値よりも高い場合、またはスロットの示されている数ｋ０が特定の値もしくはコードポイントに相当する場合には、第１の状態へ切り替えることが可能である。
【０１７３】
たとえば、パフォーマンス状態行動の一部として、ｋ０ｍｉｎ（もしくはｋ２ｍｉｎ）を提供され、かつｋ０＜ｋ０ｍｉｎ（もしくはｋ２＜ｋ２ｍｉｎ）を含むかもしくは示すデータスケジューリングＤＣＩを受信するＷＴＲＵは、ｋ０ｍｉｎ（もしくはｋ２ｍｉｎ）の新たな値を、受信されたｋ０（もしくはｋ２）に設定することが可能であり、またはそれは、ｋ０ｍｉｎ（もしくはｋ２ｍｉｎ）の値をゼロスロット（zero slot）などのデフォルト値に設定することが可能である。
【０１７４】
ｋ０ｍｉｎ（ｋ２ｍｉｎ）に関する新たな値を黙示的に示すスケジューリングＤＣＩが受信されたときと、この情報がＷＴＲＵにとって利用可能になるときとの間に時間ギャップがあることがある。この遅延は、デコーディングおよび復調などのさまざまな受信オペレーションに起因することがある。態様においては、ＷＴＲＵは、ＰＤＣＣＨに続く時間ギャップ中にいかなる潜在的なＰＤＳＣＨもバッファリングしていない可能性があり、ＰＤＳＣＨにおけるデータが失われている可能性がある。いくつかの態様においては、失われたデータに関してＮＡＣＫをフィードバックする代わりに、ＷＴＲＵは、たとえＰＵＣＣＨリソースがＤＣＩにおいて提供されていても、いかなる確認応答フィードバックも送らないと予想されることが可能である。その他の態様においては、ＤＣＩは、ＰＵＣＣＨリソースフィールド（または別の所定のフィールド）を既知の値に設定することによってなどで、ＡＣＫ／ＮＡＣＫの非送信を示すことが可能である。これらの方法は、一般には、ＷＴＲＵパフォーマンス状態が別のパフォーマンス状態へ黙示的に切り替えられて、その切り替え中にデータの一時的な喪失が生じる場合に適用可能であり得る。
【０１７５】
スケジューリング情報は、追加として、または代替として、非周期的参照信号（たとえば、ＣＳＩ−ＲＳまたはＳＲＳ）をトリガーするグラント（ＤＬまたはＵＬグラント）と、非周期的参照信号の受信および／または送信との間におけるスロットの数（Ｘとして示される）などのタイミング情報を含み得る。たとえば、第１の状態におけるＷＴＲＵは、スロットの示されている数が、構成される第１のしきい値よりも低いか、または構成されている値もしくはコードポイントに相当する場合には、第２の状態へ切り替えることが可能である。第２の状態におけるＷＴＲＵは、スロットの示されている数が、構成される第２のしきい値よりも高いか、または構成されている値もしくはコードポイントに相当する場合には、第１の状態へ切り替えることが可能である。パフォーマンス状態行動の一部として、Ｘｍｉｎを提供されていて、かつＸ＜Ｘｍｉｎを含むデータスケジューリングＤＣＩを受信するＷＴＲＵは、Ｘｍｉｎの新たな値を、受信されたＸに設定することが可能である。あるいは、それは、Ｘｍｉｎの値をゼロスロットなどのデフォルト値に設定することが可能である。これは、ＳＲＳトリガリングオフセットなどのその他の可能なパラメータにも同様に当てはまることが可能である。
【０１７６】
スケジューリング情報は、追加として、または代替として、ＲＢの数、ＲＢのセット、またはバンド幅部分などの周波数割り当てを含み得る。たとえば、第１の状態におけるＷＴＲＵは、ＲＢの示されている数が、構成されているしきい値よりも高い場合、またはＲＢの示されているセットが、第１の状態に関するＲＢの構成されているサブセットの外側のＲＢを含む場合には、第２の状態へ切り替えることが可能である。追加として、または代替として、スケジューリング情報は、時間または周波数におけるＰＤＳＣＨまたはＰＵＳＣＨのリソースが、構成されている割り振りもしくはグラントのリソース、または別のグラントもしくは割り振りによって示されるリソースと重なっているかどうかに関する情報を含み得る。追加として、または代替として、スケジューリング情報は、ＢＷＰ表示を含み得る。たとえば、ＷＴＲＵは、示されているバンド幅部分（アクティブなバンド幅部分とは異なる場合）用に構成されている無線パフォーマンス状態へ切り替えることが可能である。
【０１７７】
態様においては、スケジューリング情報は、追加として、または代替として、ＭＣＳまたはＭＣＳテーブルを含み得る。たとえば、第１の状態におけるＷＴＲＵは、示されているＭＣＳが、構成されているＭＣＳしきい値を上回っている場合、または示されているＭＣＳテーブルが、第１の状態用に構成されている可能なＭＣＳテーブルのセットの一部ではない場合には、第２の状態へ切り替えることが可能である。追加として、または代替として、スケジューリング情報は、レイヤーの数（ランク）を含み得る。たとえば、第１の状態におけるＷＴＲＵは、レイヤーの示されている数が、構成されているしきい値を上回っている場合には、第２の状態へ切り替えることが可能である。追加として、または代替として、スケジューリング情報は、ＴＢＳを含み得る。たとえば、第１の状態におけるＷＴＲＵは、ＤＣＩから決定されたトランスポートブロックサイズが、構成されているしきい値を上回っている場合には、第２の状態へ切り替えることが可能である。
【０１７８】
態様においては、スケジューリング情報は、追加として、または代替として、ＰＤＳＣＨからＨＡＲＱへのフィードバックタイミングを含み得る。たとえば、第１の状態におけるＷＴＲＵは、示されているＰＤＳＣＨからＨＡＲＱへのフィードバック待ち時間がしきい値よりも低い場合には、第２の状態へ切り替えることが可能である。そのようなしきい値は、第１の状態用に構成されているｋ１の最小値に相当することが可能である。追加として、または代替として、スケジューリング情報は、送信構成表示（ＴＣＩ）を含み得る。たとえば、第１の状態にあるＷＴＲＵは、示されているＴＣＩが、第１の状態用に構成されている可能なＴＣＩのセットの一部ではない場合には、第２の状態へ切り替えることが可能である。追加として、または代替として、スケジューリング情報は、補足アップリンク（ＳＵＬ）または通常のＵＬ（ＮＵＬ）上のスケジューリングに関する情報を含み得る。たとえば、第１の状態にあるＷＴＲＵは、ＰＵＳＣＨがＳＵＬ上でスケジュールされている場合には、第２の状態へ切り替えることが可能である。たとえば、第２の状態は、より低い基準感度レベルまたはより多数のアンテナを伴う無線パフォーマンス状態に相当することが可能である。
【０１７９】
態様においては、スケジューリング情報は、追加として、または代替として、ｅＭＢＢサービスとＵＲＬＬＣサービスとの間における優先順位付けのためになどで、送信に関連付けられている優先順位を示すことが可能である送信プロフィールの表示を含み得る。たとえば、第１の状態にあるＷＴＲＵは、示されている送信プロフィールが、第１の状態用に構成されている可能な送信プロフィールのセットの一部ではない場合には、第２の状態へ切り替えることが可能である。追加として、または代替として、スケジューリング情報は、データがトランスポートブロックに含まれる論理チャネルに関する情報を含み得る。たとえば、第１の状態にあるＷＴＲＵは、トランスポートブロックが、第１の状態用に構成されている可能な論理チャネルのセットの一部ではない論理チャネルからのデータを含む場合には、第２の状態へ切り替えることが可能である。そのような構成は、論理チャネル用に構成されている論理チャネル優先順位付け（ＬＣＰ）制限からの黙示的なものであり得る。たとえば、その構成は、持続時間がしきい値よりも低いことが可能である最大ＰＵＳＣＨ持続時間制限の対象となる任意の論理チャネル、またはセル制限の対象となる論理チャネル、または複製が構成もしくはアクティブ化されているベアラにマップされている論理チャネルを黙示的に含み得る。
【０１８０】
いくつかの態様においては、スケジューリング情報は、追加として、または代替として、ＰＤＳＣＨマッピングタイプを含み得る。たとえば、第１の状態にあるＷＴＲＵは、示されているＰＤＳＣＨマッピングタイプが、第１の状態用に構成されているマッピングタイプのサブセットの一部ではない場合には、第２の状態へ切り替えることが可能である。追加として、または代替として、スケジューリング情報は、ＰＤＣＣＨをデコードするために使用される無線ネットワーク一時識別子（ＲＮＴＩ）を含み得る。たとえば、第１の状態にあるＷＴＲＵは、示されているＲＮＴＩが、第１の状態用に構成されているＲＮＴＩのサブセットの一部ではない場合には、第２の状態へ切り替えることが可能である。
【０１８１】
態様においては、ＰＤＣＣＨベースのＷＵＳは、ＤＲＸ  ＯＮ持続時間の前にＷＴＲＵへ送信されて、そのＷＴＲＵをウェイクアップすることが可能であり、それによって、それは、ＯＮ持続時間中にＰＤＣＣＨをモニタすることを開始することが可能である。ＯＮ持続時間中にモニタするための探索空間、ＣＯＲＥＳＥＴ、およびモニタリング周期は、ＷＵＳのＲＮＴＩによって示されることが可能である。たとえば、第１のＲＮＴＩに関しては、ＷＴＲＵは、探索空間の第１のセットをモニタすることが可能であり、第２のＲＮＴＩに関しては、ＷＴＲＵは、探索空間の第２のセットをモニタすることが可能である。ＲＮＴＩと、関連付けられている探索空間との間における関連付けは、ｇＮＢによって構成されることが可能である。
【０１８２】
その他の態様においては、ＲＮＴＩでスクランブルされていないＣＲＣビットが、Ｒ−ＩＤでスクランブルされることが可能であり、Ｒ−ＩＤは、たとえば、ＯＮ持続時間中にモニタするための探索空間、ＣＯＲＥＳＥＴ、またはモニタリング周期のセットに関連付けられ得る。たとえば、ＷＴＲＵが第１のＲ−ＩＤを検知した場合には、それは、関連付けられている探索空間をモニタすると予想されることが可能である。Ｒ−ＩＤと、関連付けられている探索空間との間における関連付けは、ｇＮＢによって構成されることが可能である。その他の態様においては、Ｒ−ＩＤは、ＯＮ持続時間中にモニタされることになる探索空間の正確なＩＤであることが可能であり、またはそれは、既知の関係に関連付けられる探索空間から導出されることが可能である。
【０１８３】
態様においては、スケジューリング情報は、追加として、または代替として、ＤＣＩフォーマットを含み得る。たとえば、第１の状態にあるＷＴＲＵは、プリエンプション表示（フォーマット２＿１）またはＴＰＣコマンド（フォーマット２＿２）を受信すると、第２の状態へ切り替えることが可能である。追加として、または代替として、スケジューリング情報は、ＣＯＲＥＳＥＴ、探索空間、またはタイミングなど、デコードされたＰＤＣＣＨのプロパティーを含み得る。たとえば、第１の状態にあるＷＴＲＵは、特定の構成されている探索空間においてＤＣＩを受信すると、またはその探索空間が共通の探索空間であるか、もしくは専用の探索空間であるかに応じて、第２の状態へ切り替えることが可能である。追加として、または代替として、スケジューリング情報は、ＰＤＣＣＨの成功裏のデコーディングに基づくことが可能であり、そのデコーディングによって、ＰＤＣＣＨは、特定のタイプの送信をスケジュールする。たとえば、ＷＴＲＵは、第１の電力状態においてＰＤＣＣＨをモニタおよび検知することが可能であり、それが半永続的データ送信に関してスケジュールされている場合には、第２の電力状態へ切り替えることが可能である。たとえば、ＷＴＲＵは、より少ない数のＲＦチェーンを使用してＰＤＣＣＨをモニタすることが可能であり、それがスケジューリングＰＤＣＣＨを受信してデコードする際に、それは、それが半永続的データでスケジュールされている場合には、より多くの数のＲＦチェーンへ切り替えることが可能である。態様においては、スケジューリング情報は、追加として、または代替として、タイムピリオド内に受信された割り振り、グラント、および／またはＤＣＩの数を含み得る。たとえば、第１の状態にあるＷＴＲＵは、そのような数が、第２の状態に適用可能な構成されているタイムピリオド内に、構成されているしきい値を超えた場合には、第２の状態へ切り替えることが可能である。
【０１８４】
図８において示されている例と同様に、スケジューリングに基づく上記の可能なトリガーのうちのいずれかに関して、第２の状態を使用することを決定することにつながることになる条件が満たされたときに、タイマーが始動または再始動されることが可能である。タイマーが満了すると、ＷＴＲＵは、第１の状態へ再び切り替えることが可能である。
【０１８５】
図８において示されている態様に対する代替として、いくつかの態様においては、１つまたは複数のＤＲＸサイクルおよび／または構成が、ＷＴＲＵによって構成および使用されることが可能である。それぞれのＤＲＸサイクルまたは構成は、電力モードに関連付けられ得る。上述されているように、電力モードは、ｇＮＢおよび／またはＷＴＲＵによって事前に決定されること、構成されること、定義されること、および／または使用されることが可能である。電力モードは、使用、アクティブ化、または非アクティブ化するための１つまたは複数の属性、たとえば、電力、エネルギー収支、および／または送信ＲＦチェーンを有することが可能である。いくつかの態様においては、電力モードは、ＷＴＲＵによって提供される情報に基づいてアクティブ化または非アクティブ化されることが可能であり、その情報は、たとえば、カバレッジレベル、チャネル状態情報、バッテリーレベル、および／または（たとえば、複数のＲＦチェーンをサポートするための、もしくは１つもしくは複数のＲＦチェーンをオン／オフにするための）ＷＴＲＵ能力を含み得る。図９、図１０、および図１１、ならびに対応する説明は、さまざまな電力モードを実装するためにＤＲＸサイクルを使用するさまざまな方法の例を提供している。
【０１８６】
図９は、電力モードに基づく複数のＤＲＸコンフィギュレーションの例の信号図９００である。図９において示されている例においては、２つのＤＲＸサイクル９０２および９０４が構成されている。第２のＤＲＸサイクル９０４は、第１のＤＲＸサイクル９０２よりも長いことが可能である。第１のＤＲＸサイクル９０２は、低電力またはパワーセービングスモードに関連付けられ得、第２のＤＲＸサイクル９０４は、高電力または通常電力モードに関連付けられ得る。第１のＤＲＸサイクルのＯＮ持続時間９０６中には、ＷＴＲＵは、低電力モードで動作することが可能である。たとえば、ＷＴＲＵは、自分の回路の一部（たとえば、ＲＦチェーンのサブセット）のみをオンにすることが可能であり、またはそれは、自分の回路の少なくともいくつかをオフにすること、または使用しないことが可能である。ＯＮ持続時間９０８ａ、９０８ｂ中には、ＷＴＲＵは、通常電力モードで動作することが可能である。たとえば、それは、自分のＲＦチェーンのうちのすべて、またはそれらのＲＦチェーンのうちで、第１のＤＲＸサイクル９０２に関するよりも大きなサブセットをオンにすること、および／または使用することが可能である。図９において示されているように、第２のＤＲＸサイクル９０４は、第１のＤＲＸサイクル９０２よりも長いので、第２のＤＲＸサイクル９０４は、複数のＯＮ持続時間９０８ａ、９０８ｂを含み得る。
【０１８７】
１つまたは複数のＤＲＸコンフィギュレーションが使用される場合には、それぞれのＤＲＸコンフィギュレーションごとに少なくとも１つのＤＲＸパラメータが異なることが可能である。ＤＲＸサイクルの使用は、ＤＲＸサイクルに基づいてＰＤＣＣＨをモニタすることまたはモニタしないことに対応し得る。たとえば、ＤＲＸサイクルの使用は、少なくとも１つのパラメータ、時間、持続時間、タイマー、またはＤＲＸサイクルもしくは構成の側面、たとえば、ＯＮ持続時間、ＯＮ持続時間タイマー、アクティブ時間、およびＯＦＦ持続時間、ＯＦＦ持続時間タイマー、および再送信に基づいてＰＤＣＣＨをモニタすることまたはモニタしないことに対応し得る。
【０１８８】
ＷＴＲＵは、一度に１つのＤＲＸコンフィギュレーション（またはＤＲＸサイクル）を使用することが可能である。あるいは、ＷＴＲＵは、１つまたは複数のＤＲＸコンフィギュレーション（またはＤＲＸサイクル）を同時に使用することが可能である。それぞれのＤＲＸコンフィギュレーションは、電力モードに関連付けられ得る。たとえば、高電力モードは、第１のＲｘ構成（たとえば、より多数のＲＦチェーン、またはより多数のアクティブ化もしくは使用されているＲＦチェーン）に関連付けられ得、低電力モードまたはより低電力のモードは、第２のＲｘ構成（たとえば、より少数のＲＦチェーン、またはより少数のアクティブ化もしくは使用されているＲＦチェーン）に関連付けられ得る。
【０１８９】
ｇＮＢによって送信される、および／またはＷＴＲＵによって受信されるＰＤＣＣＨは、電力モードに関連付けられることが可能であり、または関連付けられている電力モード情報を搬送することが可能である。電力モード情報は、電力モードを示すことが可能である。
【０１９０】
電力モードに関連付けられ得るＰＤＣＣＨは、電力モードに関連付けられ得る対応するＤＲＸサイクルのＯＮ持続時間中にモニタまたは受信されることが可能である。
【０１９１】
ＰＤＤＣＨチャネルのまたはＰＤＣＣＨモニタリングの１つまたは複数のパラメータまたは側面は、ＰＤＣＣＨがモニタされるときに使用されている電力モードに基づくことが可能である。ＷＴＲＵは、ＷＴＲＵがＰＤＣＣＨをモニタするときにＷＴＲＵによって使用されている電力モードに基づいて、ＰＤＣＣＨチャネルのまたはＰＤＣＣＨモニタリングのパラメータまたは側面を決定および／または使用することが可能である。パラメータまたは側面は、アグリゲーションレベル、アグリゲーションレベルのセット、および／またはＲＥＧバンドルサイズのうちの少なくとも１つであり得る。
【０１９２】
たとえば、１つまたは複数のさらに高いレベルのアグリゲーションが、たとえば、より少ないＲＦチェーンが使用される場合のカバレッジ損失に起因して、低電力または節電モード用にＰＤＣＣＨをモニタするために必要とされること、および／または使用されることが可能である。別の例においては、より大きなＲＥＧバンドルサイズが、低電力または節電モード用にＰＤＣＣＨをモニタするために必要とされること、および／または使用されることが可能である。
【０１９３】
態様においては、第１のＤＲＸサイクルに関連付けられているＯＮ持続時間またはアクティブ時間においてＰＤＣＣＨをモニタするためにアグリゲーションレベルの第１のセットが使用されることが可能である。第２のＤＲＸサイクルに関連付けられているＯＮ持続時間またはアクティブ時間においてＰＤＣＣＨをモニタするためにアグリゲーションレベルの第２のセットが使用されることが可能である。例においては、アグリゲーションレベルの第１のセットは、より小さなアグリゲーションレベルを含むことが可能であり、アグリゲーションレベルの第２のセットは、より大きなアグリゲーションレベルを含み得る。別の例においては、アグリゲーションレベルの第２のセットは、アグリゲーションレベルの第１のセットにおけるアグリゲーションレベル（たとえば、すべてのアグリゲーションレベル）よりも大きい少なくとも１つのアグリゲーションレベルを含み得る。態様においては、高電力モードに関連付けられているＯＮ持続時間においてＰＤＣＣＨをモニタするために第１のＲＥＧバンドルサイズが使用されることがあり、低電力モードに関連付けられているＯＮ持続時間においてＰＤＣＣＨをモニタするために第２のＲＥＧバンドルサイズが使用されることがある。
【０１９４】
ＷＴＲＵが、ＯＮ持続時間またはアクティブ時間にある間にＰＤＣＣＨを受信した場合には、ＷＴＲＵは、たとえば、そのＰＤＣＣＨによってスケジュールまたは許可されることがあるＰＤＳＣＨにおけるデータを受信するために、電力モードで動作することが可能である。たとえば、特定のＤＲＸサイクルのＯＮ持続時間またはアクティブ時間中にＰＤＣＣＨが検知された場合には、ＷＴＲＵは、関連付けられているＰＤＳＣＨおよび／またはユーザデータを受信している間に、その特定の電力モードに留まることが可能である。ＯＮ持続時間またはアクティブ時間中にＰＤＣＣＨが検知された後に、ＷＴＲＵは、タイマーを始動することが可能であり、たとえばそのタイマーが満了するまで、ＰＤＣＣＨをモニタすること、またはモニタし続けることが可能である。このモニタリング中には、検知されたＰＤＣＣＨ、ＯＮ持続時間、またはアクティブ時間に関連付けられている電力モードが使用されることが可能である。
【０１９５】
ＰＤＳＣＨチャネルまたはＰＤＳＣＨ送信もしくは受信の１つまたは複数のパラメータまたは側面は、たとえば、関連付けられているＰＤＣＣＨがモニタされるときの、電力モードに基づくことが可能である。ＷＴＲＵは、たとえば、関連付けられているＰＤＣＣＨをＷＴＲＵがモニタするときに、ＷＴＲＵによって使用されている電力モードに基づいて、ＰＤＳＣＨチャネルのまたはＰＤＳＣＨ送信もしくは受信のパラメータまたは側面を決定および／または使用することが可能である。パラメータまたは側面は、ランク、最大ランク、ＤＭ−ＲＳ密度などのＤＭ−ＲＳパラメータ、ＭＣＳレベル、および／または最大ＭＣＳレベルのうちの少なくとも１つであり得る。
【０１９６】
ＰＤＳＣＨ受信に関する最大ランクは、ＰＤＳＣＨに関連付けられている、またはＰＤＳＣＨをスケジュールしたＰＤＣＣＨに関連付けられている電力モードによって決定または制限されることが可能である。ＰＤＣＣＨに関連付けられている電力モードは、ＰＤＣＣＨが検知されたＤＲＸサイクル、ＯＮ持続時間、および／またはアクティブ時間に関連付けられている電力モードであり得る。ランクは、同じ時間／周波数で同時に送信されるレイヤーの数、データストリームの数、空間レイヤーの数、およびデータシンボルの数と言い換え可能に使用されることが可能である。第１の最大ランク（たとえば、４）は、ＷＴＲＵが、第１の電力モードに関連付けられているＯＮ持続時間またはアクティブ時間においてＰＤＣＣＨをモニタするか、またはＤＣＩを受信する際に使用されることがあり、第２の最大ランク（たとえば、１）は、ＷＴＲＵが、第２の電力モードに関連付けられているＯＮ持続時間またはアクティブ時間においてＰＤＣＣＨをモニタする際に使用されることがある。第ｎの最大ランクは、第ｎの電力モードに関連付けられているＯＮ持続時間またはアクティブ時間においてＰＤＣＣＨによってスケジュールされたＰＤＳＣＨの受信のために使用されることが可能である。より低い最大ランクは、より低い電力モードのために使用されることが可能である。たとえば、より低い最大ランクは、通常モードよりもパワーセービングスモードのために使用されることが可能である。
【０１９７】
ＰＤＳＣＨ受信に関するＤＭ−ＲＳ密度は、ＰＤＳＣＨに関連付けられている電力モードに基づいて決定されることが可能である。ＷＴＲＵが、第１の電力モードに関連付けられているＤＲＸサイクル、ＯＮ持続時間、もしくはアクティブ時間において１つまたは複数のＰＤＣＣＨをモニタするか、またはＰＤＳＣＨに関するＤＣＩを受信する際に、ＰＤＳＣＨのまたはＰＤＳＣＨに関する第１のＤＭ−ＲＳ密度が使用されることが可能である。ＷＴＲＵが、第２の電力モードに関連付けられているＤＲＸサイクル、ＯＮ持続時間、もしくはアクティブ時間において１つまたは複数のＰＤＣＣＨをモニタするか、またはＰＤＳＣＨに関するＤＣＩを受信する際に、ＰＤＳＣＨのまたはＰＤＳＣＨに関する第２のＤＭ−ＲＳ密度が使用されることが可能である。ＰＤＳＣＨのまたはＰＤＳＣＨに関するＤＭ−ＲＳ密度は、スロット内で使用されるＤＭ−ＲＳシンボルの数に基づくことまたは対応することが可能である。たとえば、第１のＤＭ−ＲＳ密度は、ＰＤＳＣＨに関するスロットにおいて第１の数のＤＭ−ＲＳシンボル（たとえば、４つのＤＭ−ＲＳシンボル）を使用することが可能であり、第２のＤＭ−ＲＳ密度は、ＰＤＳＣＨに関するスロットにおいて第２の数のＤＭ−ＲＳシンボル（たとえば、２つのＤＭ−ＲＳシンボル）を使用することが可能である。
【０１９８】
最大ＭＣＳレベルは、ＰＤＳＣＨに関連付けられている電力モードに基づいて決定されることが可能である。ＷＴＲＵが、第１の電力モードに関連付けられているＤＲＸサイクル、ＯＮ持続時間、もしくはアクティブ時間において１つまたは複数のＰＤＣＣＨをモニタするか、またはＰＤＳＣＨに関するＤＣＩを受信する際に、第１の最大ＭＣＳレベル（たとえば、２５６ＱＡＭ）が使用されることが可能である。ＷＴＲＵが、第２の電力モードに関連付けられているＤＲＸサイクル、ＯＮ持続時間、もしくはアクティブ時間において１つまたは複数のＰＤＣＣＨをモニタするか、またはＰＤＳＣＨに関するＤＣＩを受信する際に、第２の最大ＭＣＳレベル（たとえば、ＱＰＳＫ）が使用されることが可能である。
【０１９９】
低電力モードは、パワーセービングスモードであり得る。高電力モードは、通常モードまたは非節電モードであり得る。アクティブ時間は、本明細書において説明される態様および例においてＯＮ持続時間の代わりに使用されること、ならびに依然として本開示と整合していることが可能である。ＯＮ持続時間またはアクティブ時間は、ＤＲＸサイクルおよび／または電力モードに関連付けられ得る。
【０２００】
本明細書においては、ＯＮ持続時間またはアクティブ時間は、ＰＤＣＣＨモニタリングのための持続時間、ＰＤＣＣＨモニタリングオケージョン、および／または探索空間によって置き換えられることが可能である。ＯＮ持続時間またはアクティブ時間は、１つまたは複数のＰＤＣＣＨモニタリングオケージョンを含み得る。ＯＮ持続時間および／またはアクティブ時間は、たとえばＰＤＣＣＨをモニタするための、１つまたは複数の探索空間を含み得る。ＷＴＲＵは、ＰＤＣＣＨモニタリングオケージョンにおいてまたはＰＤＣＣＨモニタリングオケージョンの間にＰＤＣＣＨをモニタすることがある。ＰＤＣＣＨオケージョン（PDCCH occasion）およびＰＤＣＣＨモニタリングオケージョン（PDCCH monitoring occasion）は、本明細書においては言い換え可能に使用されることがある。
【０２０１】
図１０は、別々のＤＲＸサイクルにおけるＯＮ持続時間の間における電力モード切り替えの例の信号図１０００である。図１０において示されている例においては、ＷＴＲＵは、ＤＲＸサイクルのＯＮ持続時間１００２ａにおいて、または関連付けられている電力モードを使用したＰＤＣＣＨモニタリングオケージョンにおいてＰＤＣＣＨをモニタすることが可能である。ＰＤＣＣＨがＯＮ持続時間１００２ａ中に１００４で検知された場合（１００４）には、ＷＴＲＵは、同じ電力モードで動作することまたは動作し続けること（１００６）が可能であり、これは、たとえば、ＰＤＣＣＨをモニタすること、ＰＤＳＣＨを受信すること、およびＰＵＳＣＨを送信することのうちの少なくとも１つを含み得る。ＷＴＲＵは、電力モードを変更するための表示を受信することが可能である。その表示は、現在のＯＮ持続時間において、および／または次のＯＮ持続時間１００２ｂの前に受信されることが可能である。メッセージは、ＰＤＣＣＨにおけるＤＣＩにおいて、またはＭＡＣ  ＣＥもしくはその他のフォーマットとして送信されることが可能である。ＷＴＲＵは、受信された表示に基づいて電力モードを切り替えること（１００８）が可能である。ＷＴＲＵは、次のＯＮ持続時間１００２ｂなどのＯＮ持続時間の始まりにおいて、または切り替え表示が受信された後のｋ個の（もしくは少なくともｋ個の）ＰＤＣＣＨモニタリングオケージョンにおいて切り替えを行うことまたは適用することが可能である。ＷＴＲＵは次いで、ＯＮ持続時間１００２ｂ中にデータ受信（１１１０）を続行することが可能である。
【０２０２】
態様においては、ＷＴＲＵは、タイマーに基づいて、レシーバーコンポーネント、レシーバーコンポーネントのセット、または電力モードを決定することが可能である。たとえば、ＷＴＲＵは、第１のレシーバーコンポーネント、レシーバーコンポーネントのセット、または電力モードを使用して、タイマーが稼働しているときのＯＮ持続時間またはアクティブ時間においてＰＤＣＣＨをモニタすることが可能である。タイマーが満了したときに、ＷＴＲＵは、第２のまたはフォールバックレシーバーコンポーネント、レシーバーコンポーネントのセット、または電力モードへ切り替えることが可能である。第２のまたはフォールバックレシーバーコンポーネント、レシーバーコンポーネントのセット、または電力モードは、第１のレシーバーコンポーネント、レシーバーコンポーネントのセット、または電力モードよりも良好なカバレッジを有することが可能である。第１のレシーバーコンポーネント、レシーバーコンポーネントのセット、または電力モードが、既にフォールバックレシーバーコンポーネント、レシーバーコンポーネントのセット、または電力モードである場合には、インアクティビティータイマーは、停止またはリセットすることが可能である。
【０２０３】
第１のレシーバーコンポーネント、レシーバーコンポーネントのセット、または電力モードは、第１の数のＲＦチェーンをアクティブにしておくことが可能である。フォールバックレシーバーコンポーネント、レシーバーコンポーネントのセット、または電力モードは、第２の数のＲＦチェーンをアクティブにしておくことが可能であり、この場合、第１の数は、第２の数よりも小さいことが可能である。第２の数は、ＷＴＲＵ能力に基づいてＷＴＲＵによってサポートされることが可能である大きな数または最大の数であり得る。フォールバックレシーバーコンポーネント、レシーバーコンポーネントのセット、または電力モードは、第１のレシーバーコンポーネント、レシーバーコンポーネントのセット、または電力モードによってサポートされる最大変調次数よりも高いことが可能である最大変調次数をサポートすることが可能である。フォールバックレシーバーコンポーネント、レシーバーコンポーネントのセット、または電力モードは、ＷＴＲＵがＷＴＲＵ能力に基づいてサポートすることが可能である最も高い最大変調次数をサポートすることが可能である。
【０２０４】
態様においては、電力を節約するために、ＷＵＳがＤＲＸとともに使用されることが可能である。例として、ＷＵＳは、ＤＲＸサイクルのＯＮ持続時間に先行することが可能である。ＷＴＲＵは、ＷＵＳが検知された場合には、ＯＮ持続時間またはアクティブ時間中に、たとえば、１つまたは複数のＰＤＣＣＨオケージョンまたはモニタリングオケージョンにおいて、１つまたは複数のＰＤＣＣＨをモニタすることが可能である。
【０２０５】
態様においては、ＷＴＲＵは、関連付けられているＷＵＳに基づいてＯＮ持続時間またはアクティブ時間においてＰＤＣＣＨをモニタするためのレシーバーコンポーネント、レシーバーコンポーネントのセット、または電力モードを決定することが可能である。関連付けられているＷＵＳは、どのレシーバーコンポーネント、レシーバーコンポーネントのセット、または電力モードを使用するかを示すことが可能である。たとえば、１つまたは複数のＷＵＳが使用されることがあり、ＷＴＲＵが第１のＷＵＳを受信した場合には、ＷＴＲＵは、第１のレシーバーコンポーネント、レシーバーコンポーネントのセット、または電力モードを使用することまたはオンにすることがある。ＷＴＲＵが第２のＷＵＳを受信した場合には、ＷＴＲＵは、第２のレシーバーコンポーネント、レシーバーコンポーネントのセット、または電力モードを使用することまたはオンにすることが可能である。
【０２０６】
１つまたは複数のＷＵＳは、プリアンブルに基づくことが可能であり、ＷＴＲＵは、プリアンブルを盲目的に検知することが可能である。第１のプリアンブルが検知された場合には、ＷＴＲＵは、第１のレシーバーコンポーネント、レシーバーコンポーネントのセット、または電力モードを使用することが可能であり、ＷＴＲＵは、第２のプリアンブルが検知された場合には、第２のレシーバーコンポーネント、レシーバーコンポーネントのセット、または電力モードを使用することが可能である。
【０２０７】
図１１は、関連付けられているＰＤＣＣＨモニタリングオケージョンの電力モードと、ＰＤＣＣＨモニタリングに関するアグリゲーションレベルのセットとを決定するＷＵＳの例の信号図１１００である。図１１において示されている例においては、ＷＵＳは、オンにするＲＦチェーンの数または使用する電力モードを示すことが可能である。たとえば、ＷＵＳ１１０２は、第１の電力モードでＷＴＲＵをウェイクアップするために使用されることがあり、第２のＷＵＳ１１０４は、第２の電力モードでＷＴＲＵをウェイクアップするために使用されることがある。
【０２０８】
特定の探索空間においてモニタされることになるアグリゲーションレベルのセットは、ＷＵＳによって示される電力モードに基づいて決定されることが可能である。たとえば、探索空間は、アグリゲーションレベルの１つまたは複数のセットを伴って構成されることが可能である。アグリゲーションレベルのそれぞれのセットは、電力モードに関連付けられ得る。示された電力モードに基づいて、ＷＴＲＵは、探索空間におけるＰＤＣＣＨモニタリングに関するアグリゲーションレベルのセットを決定することが可能である。第１の電力モードに関しては、たとえば第２の電力モードに関するよりも大きい、より大きなアグリゲーションレベルが使用されることが可能である。より大きなレベルは、たとえば、低電力モードのために使用されることが可能である。なぜなら、たとえば、あまりアクティブではないＲＦチェーンの使用に起因して、レシーバー能力が制限されることがあるからである。第２の電力モードに関しては、より小さなアグリゲーションレベル（たとえば、より小さな最大アグリゲーションレベル）が使用されることが可能である。なぜなら、たとえば、完全なレシーバー能力がサポートされることが可能であるからである。
【０２０９】
その他の態様においては、ＷＵＳは、たとえば、関連付けられているＯＮ持続時間、アクティブ時間、または１つもしくは複数の関連付けられているＰＤＣＣＨモニタリングオケージョンもしくはＰＤＣＣＨオケージョンにおけるＰＤＣＣＨモニタリングのための第１のレシーバーコンポーネント、レシーバーコンポーネントのセット、または電力モードを決定することが可能である。ＷＴＲＵは、たとえば、関連付けられているＯＮ持続時間、アクティブ時間、またはＰＤＣＣＨモニタリングオケージョンにおいてＰＤＣＣＨを検知または受信することが可能である。ＰＤＣＣＨは、関連付けられているＰＤＳＣＨ受信のために使用するための第２のレシーバーコンポーネント、レシーバーコンポーネントのセット、または電力モードを示すことが可能である。
【０２１０】
第１のレシーバーコンポーネント、レシーバーコンポーネントのセット、または電力モード、および第２のレシーバーコンポーネント、レシーバーコンポーネントのセット、または電力モードは、たとえば、第１のレシーバーコンポーネント、レシーバーコンポーネントのセット、または電力モードが高電力モードまたは通常電力モードである場合には、同じであり得る。態様においては、ＷＵＳは、シーケンス、または２つ以上のシーケンスの組合せを含み得る。２つ以上のシーケンスが使用される場合には、それらのシーケンスをスクランブルすること、それらのシーケンスの時分割多重化、およびそれらのシーケンスの周波数分割多重化のうちの少なくとも１つが、ＷＵＳを生成するために使用されることが可能である。ＷＵＳの構成シーケンスのうちの少なくとも１つは、電力モードを示すことが可能である。たとえば、ＷＵＳを生成するために２つのシーケンスがスクランブルされる場合には、それらのシーケンスのうちの一方が電力モードを示すことが可能である。
【０２１１】
いくつかの態様においては、現在の無線パフォーマンス状態または能力に基づいてＷＴＲＵによって準拠されることが可能ではないＤＬ割り振りまたはＵＬグラントを示すダウンリンク制御情報をＷＴＲＵが受信した場合には、無線パフォーマンス状態が黙示的に決定されることが可能である。たとえば、アクティブなバンド幅部分の変更を示すＤＣＩ（たとえば、示されているＢＷＰインデックスが、アクティブなＢＷＰとは異なる）を受信すると、許可された切り替えギャップの終了前に開始するＰＤＳＣＨまたはＰＵＳＣＨをＤＣＩが示している場合には、ＷＴＲＵは、構成されている無線パフォーマンス状態へ切り替えることが可能である。別の例に関しては、いずれの構成されているキャリアにも対応しないキャリアインジケータフィールドを伴うＤＣＩを受信すると、無線パフォーマンス状態が黙示的に決定されることが可能である。このケースにおいては、そのフィールドの値は、無線パフォーマンス状態のインデックスにマップすることが可能である。別の例に関しては、（たとえば、アンテナポートフィールドに関する）予備の値または無効な値に対応するコードポイントを伴う割り振りまたはグラントを受信すると、無線パフォーマンス状態が黙示的に決定されることが可能である。別の例に関しては、構成されている数のＨＡＲＱプロセスよりも大きいＨＡＲＱプロセスインデックスを受信したときなど、無効なＨＡＲＱ情報を伴う割り振りまたはグラントを受信すると、無線パフォーマンス状態が黙示的に決定されることが可能である。別の例に関しては、無効なリソースを示す割り振りまたはグラントを受信すると、無線パフォーマンス状態が黙示的に決定されることが可能である。
【０２１２】
上記の例のうちの１つに基づいて無線パフォーマンス状態が決定された場合には、ＷＴＲＵは、ＤＣＩの内容にかかわらず、デフォルトの無線パフォーマンス状態へ切り替えることが可能である。あるいは、ＷＴＲＵは、少なくとも１つのフィールドの１つまたは複数の値によって示される無線パフォーマンス状態へ切り替えることが可能である。
【０２１３】
いくつかの態様においては、ＷＴＲＵのパフォーマンス状態は、データスケジューリングＤＣＩにおいて搬送されている情報と矛盾して、ミスマッチに帰着することがある。そのようなミスマッチは、たとえば、パフォーマンス状態を決定するシグナリングをＷＴＲＵが見逃した場合に生じる可能性がある。たとえば、いくつかの態様においては、ＷＴＲＵは、ＴＤＲＡテーブルの特定のエントリを非アクティブ化するように構成されることが可能である。たとえば、しきい値ｋ０ｍｉｎ（ｋ２ｍｉｎ）を下回るｋ０（ｋ２）を伴うエントリは、非アクティブ化されることが可能である。このコンテキストにおいては、非アクティブ化は、ＷＴＲＵが、非アクティブ化されたエントリを伴ってスケジュールされると予想することはないということを意味することが可能である。ｋ０ｍｉｎ（ｋ２ｍｉｎ）は、Ｌ１、Ｌ２、または上位レイヤシグナリングを介してＷＴＲＵに提供されると想定されることが可能である。同様に、ＷＴＲＵは、ＣＳＩ報告トリガー状態リストの特定のエントリを非アクティブ化するように構成されることが可能である。たとえば、しきい値Ｘｍｉｎを下回るＸ（Ｘは、非周期的ＣＳＩ−ＲＳトリガリングオフセットである）を伴うエントリは、非アクティブ化されることが可能である。このコンテキストにおいては、非アクティブ化は、ＷＴＲＵが、非アクティブ化されたエントリに対応するＣＳＩ−ＲＳを受信していると予想することはないということを意味することが可能である。
【０２１４】
ＷＴＲＵが、たとえば、ｋ０（ｋ２）＞０個のスロットおよびＸ＞０個のスロットを伴ってスケジュールされると予想する場合には、それは、前のスロットのＰＤＣＣＨによるその他の何らかのオペレーションを実行することがスケジュールされていなかったならば、現在のスロットにおけるＰＤＣＣＨが受信されるとすぐにマイクロスリープモードに入ることが可能である。ＷＴＲＵがｋ０ｍｉｎを伴って構成されているが、ｋ０（この場合、ｋ０＜ｋ０ｍｉｎ）を示すデータスケジューリングＤＣＩを受信した場合には、ミスマッチが生じる可能性がある。同様に、ＷＴＲＵがｋ２ｍｉｎを伴って構成されているが、ｋ２（この場合、ｋ２＜ｋ２ｍｉｎ）を示すデータスケジューリングＤＣＩを受信した場合には、ミスマッチが生じる可能性がある。ＷＴＲＵがＸｍｉｎを伴って構成されているが、Ｘ（この場合、Ｘ＜Ｘｍｉｎ）を示すデータスケジューリングＤＣＩを受信した場合にも、ミスマッチが生じる可能性がある。
【０２１５】
ミスマッチが生じた場合には、いくつかの態様においては、ＷＴＲＵは、現在のパフォーマンス状態から、データスケジューリングＤＣＩにおいて示されているｋ０／ｋ２／Ｘ値に関連付けられているパフォーマンス状態へ切り替えると予想されることが可能である。たとえば、ｋ０ｍｉｎ＝ｋ２ｍｉｎ＝Ｘｍｉｎ＝１個のスロットを伴って構成されていて、かつ電力節約状態で動作しているＷＴＲＵは、ｋ０／ｋ２／Ｘのうちの少なくとも１つが０個のスロットであることを示すデータスケジューリングＤＣＩをそれが受信した場合には、別のパフォーマンス状態（たとえば非電力節約状態（non-power saving state））へ切り替えることが可能である。たとえば、パフォーマンス状態行動の一部として、ｋ０ｍｉｎ／ｋ２ｍｉｎ／Ｘｍｉｎを提供されていて、かつｋ０＜ｋ０ｍｉｎおよび／またはｋ２＜ｋ２ｍｉｎおよび／またはＸ＜Ｘｍｉｎを含むデータスケジューリングＤＣＩを受信するＷＴＲＵは、ｋ０ｍｉｎ／ｋ２ｍｉｎ／Ｘｍｉｎの新たな値を、受信されたｋ０／ｋ２／Ｘに設定することが可能である。あるいは、それは、ｋ０ｍｉｎ／ｋ２ｍｉｎ／Ｘの値をゼロスロットなどのデフォルト値に設定することが可能である。
【０２１６】
ミスマッチが生じた場合には、いくつかの態様においては、ＷＴＲＵは、ミスマッチの発生を示す支援情報をｇＮＢへ送ることが可能である。そのような情報を送信するためにＭＡＣ−ＣＥが使用されることが可能である。
【０２１７】
別の態様においては、ＷＴＲＵは、ｋ０ｍｉｎ（ｋ２ｍｉｎ）を伴って構成されることが可能であるが、ｋ０（ｋ２）を示すデータスケジューリングＤＣＩを受信することが可能であり、この場合、ｋ０＞ｋ０ｍｉｎ（ｋ２＞ｋ２ｍｉｎ）である。これは、スケジューリングの決定またはミスマッチの結果として生じることがある。それぞれのスケジューリングＤＣＩが、時間の特定のピリオドにわたってｋ０＞ｋ０ｍｉｎ（ｋ２＞ｋ２ｍｉｎ）を継続的に示す場合には、ＷＴＲＵは、ミスマッチの発生の可能性を示す支援情報をｇＮＢへ送ることが可能である。同じことがＸに当てはまることも可能である。
【０２１８】
態様においては、特定のＭＩＭＯランクおよび／または数のＴｘ／Ｒｘ  ＲＦチェーンを伴って構成されている第１のパフォーマンス状態にあるＷＴＲＵが、矛盾するランクおよび／または数のＲＦチェーンを示すデータスケジューリングＤＣＩを受信した場合には、ミスマッチが生じる可能性がある。たとえば、ＷＴＲＵは、Ｋｍａｘ（Ｋｍａｘは最大ランクである）および／またはＲｍａｘ（Ｒｍａｘは、アクティブなＴｘおよび／またはＲｘ  ＲＦチェーンの最大数である）を伴って構成されることが可能であるが、Ｋ＞Ｋｍａｘおよび／またはＲ＞Ｒｍａｘを示すデータスケジューリングＤＣＩを受信する。このようなミスマッチが生じた場合には、ＷＴＲＵは、現在のパフォーマンス状態から、ＤＣＩにおいて搬送されている情報に関連付けられている状態へ切り替えると予想されることが可能である。ＷＴＲＵは、ミスマッチの発生を示す支援情報をｇＮＢへ送ることも可能である。そのような情報を送信するためにＭＡＣ−ＣＥが使用されることが可能である。その他の態様においては、ＷＴＲＵが時間の特定のピリオドにわたって、Ｋｍｉｎ（Ｒｍｉｎ）よりも小さいＫ（Ｒ）を伴って継続的にスケジュールされている場合には、それは、ミスマッチの発生の可能性を示す支援情報をｇＮＢへ送ることが可能である。
【０２１９】
一般には、データスケジューリングＤＣＩが、ＷＴＲＵのパフォーマンス状態と矛盾する情報を有する場合には、ＷＴＲＵは、自分のパフォーマンス状態を、ＤＣＩに含まれる情報に関連付けられている状態へ切り替えること、および矛盾の単一の発生が、ミスマッチを確立するのに十分である場合には、ミスマッチを示す支援情報をｇＮＢへ送ることが可能である。代替として、または追加として、ＷＴＲＵは、矛盾の単一の発生が、ミスマッチを確立するのに十分ではないが、そのような矛盾が時間の特定のピリオドにわたって継続的に生じている場合には、ミスマッチの可能性を示す支援情報をｇＮＢへ送ることが可能である。
【０２２０】
いくつかの態様においては、ＷＴＲＵは、たとえば、上述されている態様のうちの１つを適用した結果として、無線パフォーマンス状態が変更された旨の確認応答または通知を送信することが可能である。ＷＴＲＵは、物理レイヤー、ＭＡＣ、またはＲＲＣシグナリングを使用して確認応答を送信することが可能である。たとえば、確認応答は、その他のＨＡＲＱ−ＡＣＫおよび／またはその他のＵＣＩと多重化されることが可能であるＨＡＲＱ−ＡＣＫなどの単一のビットとして、ＰＵＣＣＨを介して（またはＰＵＳＣＨを介して多重化されたアップリンク制御情報（ＵＣＩ）として）送信されることが可能である。別の例においては、通知は、ＭＡＣ制御要素またはＲＲＣメッセージにおいて送信されることが可能である。
【０２２１】
状態の変化は、複数のＷＴＲＵによってデコードされることになる送信を使用してシグナリングされることが可能である。たとえば、状態の変化は、グループ共通探索空間から受信されたＰＤＣＣＨと、ＷＴＲＵのグループに割り振られたＣ−ＲＮＴＩとを使用してシグナリングされることが可能である。そのような送信は、電力節約信号であることが可能であり、その例は上述されている。ＷＴＲＵは、以降の態様のうちの少なくとも１つを使用して、確認応答を送信する際に介するＰＵＣＣＨリソースを決定することが可能である。そのような態様は、グループシグナリングを使用して状態の変化がシグナリングされる電力節約シグナリング以外のシナリオのために使用されることも可能である。
【０２２２】
いくつかの態様においては、電力節約信号のペイロードは、電力節約信号がＷＴＲＵグループ固有である場合など、グループにおけるあらゆるＷＴＲＵのためのＰＵＣＣＨリソースを示すことが可能である。ＷＴＲＵは、はじめに、ＷＴＲＵがＡＣＫ／ＮＡＣＫを送信するために使用するつもりであるＰＵＣＣＨリソースを示すＤＣＩ内のビットのグループのロケーションを識別することが可能である。ビットのそれぞれのセットは、テーブルの行を示すことが可能であり、行は、ＰＵＣＣＨリソースに関連している情報を含み得る。ビットのグループは、ＡＣＫ／ＮＡＣＫの非送信（たとえば、それらのビットを所定の値に設定することによる）およびＰＵＣＣＨリソースのロケーションを示すことが可能である。たとえば、２ビットを想定すると、００は、ＡＣＫ／ＮＡＣＫの非送信を示すことが可能であり、０１、１０、および１１は、特定のＰＵＣＣＨリソースをそれぞれ示すことが可能である。
【０２２３】
ビットのグループのロケーションは、ＤＣＩペイロード内の別のビットへの参照を使用してＷＴＲＵによって決定されることが可能である。例として、グループ内に３つのＷＴＲＵがある状態では、最初の３ビットにおけるそれぞれのビットが、特定のＷＴＲＵに関してウェイクアップするか否かを示すことが可能であり、ＰＵＣＣＨリソース表示のために２ビットを想定すると、次の２ビットは、第１のＷＴＲＵのためのＰＵＣＣＨリソースを示すことが可能であり、次の２ビットは、第２のＷＴＲＵのためのＰＵＣＣＨリソースを示すことが可能である、といった具合である。ＷＴＲＵのインデックス（すなわち、第１の、第２のなど）は、ＷＴＲＵ  ＩＤの関数として構成または導出されることが可能である。
【０２２４】
いくつかの態様においては、ＷＴＲＵは、ＢＷＰごとのデフォルトの無線パフォーマンス状態を伴って構成されることが可能である。それぞれのオン持続時間において、ＷＴＲＵは、はじめに、アクティブな１つまたは複数のＢＷＰのデフォルトの無線パフォーマンス状態をモニタすることが可能である。たとえば、ＷＴＲＵは、ＢＷＰごとにデフォルトの探索空間またはデフォルトのＣＯＲＥＳＥＴを伴って構成されることが可能である。それぞれのオン持続時間において、ＷＴＲＵは、はじめに、アクティブな１つまたは複数のＢＷＰのデフォルトの探索空間またはデフォルトのＣＯＲＥＳＥＴをモニタすることが可能である。
【０２２５】
所与のＯＮ持続時間またはＤＣＩフォーマット中にＰＤＣＣＨを受信すると、ＷＴＲＵは、たとえば、自分のアクティブなＢＷＰを変更することなく、電力貯蓄の側面または無線パフォーマンス状態を変更することが可能である。たとえば、所与のオン持続時間中にＷＴＲＵに関するＰＤＣＣＨをデコードすると、ＷＴＲＵは、アクティブなＢＷＰにおけるモニタされる探索空間またはＣＯＲＥＳＥＴの数を増大させることが可能である。そのような増大は、すべての探索空間もしくはＣＯＲＥＳＥＴがモニタされる場合など、バイナリーであること、またはＲＲＣ構成に依存するなど、段階的であり得る。
【０２２６】
ＤＲＸインアクティビティータイマーなどのタイマーが満了すると、ＷＴＲＵは、たとえば、自分のアクティブなＢＷＰを変更することなく、電力貯蓄の側面または無線パフォーマンス状態を変更することが可能である。たとえば、ＤＲＸインアクティビティータイマーまたはＢＷＰインアクティビティータイマーが満了すると、ＷＴＲＵは、モニタされるＣＯＲＥＳＥＴの数またはモニタされる探索空間の数を、たとえば、アクティブな１つまたは複数のＢＷＰのデフォルトの探索空間またはデフォルトのＣＯＲＳＥＴのみへ低減することが可能である。
【０２２７】
その他の態様においては、所与のオン持続時間中にＷＵＳを受信すると、ＷＴＲＵは、いくつかの態様においては、自分のアクティブなＢＷＰを変更することなく、電力貯蓄の側面または無線パフォーマンス状態を変更することが可能である。たとえば、所与のオン持続時間中にＷＵＳを受信すると、ＷＴＲＵは、アクティブなＢＷＰにおけるモニタされる探索空間またはＣＯＲＥＳＥＴの数を増大させることが可能である。そのような増大は、すべての探索空間もしくはＣＯＲＥＳＥＴがモニタされる場合など、バイナリーであること、または段階的であり得る。
【０２２８】
ＷＴＲＵは、無線パフォーマンス状態（たとえば、モニタされる探索空間またはＣＯＲＥＳＥＴの数）を変更する前に、ＰＤＣＣＨスケジューリング情報の内容をさらに考慮することが可能である。たとえば、無線パフォーマンス状態を変更する前に、ＷＴＲＵは、スケジュールされたＴＢのサイズ、データがスケジュールされている論理チャネルまたはＤＲＢ、スケジュールされたデータのＱｏＳの側面（たとえば、サービスタイプまたは含まれている待ち時間）、およびスケジュールされたＵＬグラントの提供されている特徴のうちの１つまたは複数を考慮することが可能である。態様においては、ＷＴＲＵは、ＵＬグラントのサイズおよび／またはバッファリングされたデータの量を考慮することが可能である。その他の態様においては、ＷＴＲＵは、バッファリングされたＵＬデータに関してＵＬグラントのＬＣＰマッピング制限を考慮することが可能である。
【０２２９】
ＷＴＲＵは、上記のメトリックのうちの１つまたは複数をさらに考慮して、無線パフォーマンス状態を徐々に変更することが可能である。たとえば、ＷＴＲＵは、上記のメトリックのうちの１つまたは複数を考慮して、たとえば、ＲＲＣ構成に応じて、モニタするさらなる探索空間の数を決定することが可能である。
【０２３０】
態様においては、ＣＳＩ報告のための１つまたは複数のＣＳＩ報告値、範囲、またはインデックスが、レシーバーコンポーネント、レシーバーコンポーネントのセット、または電力モードに基づいて決定されることが可能である。決定は、ＷＴＲＵによって行われることが可能である。
【０２３１】
ＣＱＩテーブルが、電力モードに基づいて決定されることが可能である。たとえば、第１のＣＱＩテーブルが、第１の電力モードのために使用されることがあり、第２のＣＱＩテーブルが、第２の電力モードのために使用されることがある。変調次数のセットは、ＣＱＩテーブルに基づいて異なることが可能である。第１の電力モードに関するＣＱＩテーブルは、変調次数のサブセット（たとえば、ＱＰＳＫのみ）を含むことが可能であり、第２の電力モードに関するＣＱＩテーブルは、変調次数のフルセット（たとえば、ＱＰＳＫ、１６ＱＡＭ、および６４ＱＡＭ）を含み得る。ＣＱＩテーブルに関するエントリの数は、関連付けられている電力モードに基づいて異なることが可能である。たとえば、３ビットのＣＱＩテーブル（８つのエントリ）が、第１の電力モードのために使用されることがあり、４ビットのＣＱＩテーブル（１６個のエントリ）が、第２の電力モードのために使用されることがある。
【０２３２】
ＣＱＩテーブルにおけるＣＱＩエントリのフルセットまたはサブセットが、電力モードに基づいて使用されることがある。表２は、関連している電力モードに基づいてＣＱＩエントリのフルセットまたはサブセットを決定する例を示す。今述べた例にて、電力モード１が、ＱＰＳＫを伴うＣＱＩエントリを使用し、電力モード２が、すべての変調次数を伴うＣＱＩエントリを使用する。
【０２３３】
ＣＱＩ報告のためのＣＱＩビットの数は、電力モードのために決定されたセットまたはサブセットにおけるＣＱＩエントリの数に基づいて決定されることがある。代替えとして、ＣＱＩ報告のためのＣＱＩビットの数は、電力モードに基づいて変更されず、ＣＱＩテーブルにおけるＣＱＩエントリのフルセットに基づいて決定されることがある。ＣＱＩエントリ、ＣＱＩインデックス、およびＣＱＩ値は、言い換え可能に使用されることがある。
【０２３４】
【表２】
2022501874.tif 000004
【０２３５】
最大の報告されるランクが、電力モードに基づいて制限されることが可能である。たとえば、第１の最大の報告されるランク（たとえば、４）が、ＣＳＩ報告のために第１の電力モードが決定された場合に使用されることが可能である。第２の最大の報告されるランク（たとえば、１）が、ＣＳＩ報告のために第２の電力モードが決定された場合に使用されることが可能である。最大の報告されるランク、最大ランクインデックス（ＲＩ）値、および最大ＲＩは、言い換え可能に使用されることが可能である。
【０２３６】
コードブックサブセット制限レベルが、電力モードに基づいて決定されることが可能である。所与のＣＳＩ報告設定またはＣＳＩ報告コンフィギュレーションに関する最小の必要とされるＣＳＩ計算時間は、電力モードに基づいて異なることが可能である。より短い最小の必要とされるＣＳＩ計算時間が、高電力モードのために使用されることがあり、より長い最小の必要とされるＣＳＩ計算時間が、低電力モードのために使用されることがある。
【０２３７】
いくつかの態様においては、１つまたは複数の構成されているＣＳＩ報告設定、リソース設定、および／またはＣＳＩ報告コンフィギュレーションが、使用される電力モードに基づいてアクティブ化または非アクティブ化されることが可能である。たとえば、ＣＳＩ報告設定は、１つまたは複数の条件が満たされたときに非アクティブ化されることが可能である。アクティブ化および／または非アクティブ化は、ＷＴＲＵによって実行されることが可能である。条件は、決定されたレシーバーコンポーネントまたはコンポーネントのセットが低電力モードであるか、またはそれに対応していること、ＣＳＩ報告のための関連付けられているＮＺＰ−ＣＳＩ−ＲＳのアンテナポートの数がしきい値（たとえば、８）よりも多いこと、関連付けられているコードブックタイプがタイプＩＩであること、Ｌ１−ＲＳＲＰに関して測定を行うためのビームの数がしきい値（たとえば、６４）よりも多いこと、およびＣＳＩ報告が周期的報告または半永続的報告であることのうちの１つまたは複数であり得る。
【０２３８】
いくつかの態様においては、ＣＳＩ報告設定、リソース設定、およびＣＳＩ報告コンフィギュレーションのセットが、レシーバーコンポーネント、レシーバーコンポーネントのセット、または電力モードごとに構成されることが可能である。たとえば、ＣＳＩ報告設定、リソース設定、およびＣＳＩ報告コンフィギュレーションの第１のセットが、第１のレシーバーコンポーネント、レシーバーコンポーネントのセット、または電力モードのために構成または使用されることが可能である。ＣＳＩ報告設定、リソース設定、およびＣＳＩ報告コンフィギュレーションの第２のセットが、第２のレシーバーコンポーネント、レシーバーコンポーネントのセット、または電力モードのために構成されることが可能である。
【０２３９】
ＷＴＲＵは、決定されたまたは現在の電力モードに関連付けられているＣＳＩ報告設定、リソース設定、およびＣＳＩ報告コンフィギュレーションのセットに基づいてＣＳＩを報告することが可能である。ＷＴＲＵは、示されている電力モードに関連付けられているＣＳＩ報告設定、リソース設定、およびＣＳＩ報告コンフィギュレーションのセットに基づいてＣＳＩを報告することが可能である。電力モードは、非周期的ＣＳＩ報告トリガーにおいて示されることが可能であり、または電力モードは、非周期的報告要求インデックスによって黙示的に示されることが可能である。
【０２４０】
いくつかの態様においては、ＣＳＩ報告設定、リソース設定、およびＣＳＩ報告コンフィギュレーションの同じセットが、いくつかのまたはすべてのサポートされている電力モードのために構成されることが可能である。ＷＴＲＵは、１つまたは複数の電力モードとともに、構成されているＣＳＩを報告するように要求されることがある。たとえば、ＷＴＲＵは、電力モードに基づいてＣＳＩを報告するように要求されることがある。ＷＴＲＵは、ＷＴＲＵによってサポートされている電力モードのセットに基づいてＣＳＩを報告するように要求されることがある。ＣＳＩ報告に関する示されている電力モードが現在の電力モードとは異なる場合には、ＣＳＩ測定のために測定ギャップが提供または使用されることが可能である。測定ギャップ中に、ＷＴＲＵは、ＰＤＣＣＨをモニタするのをスキップすることが可能であり、またはスキップすることを可能にされ得る。
【０２４１】
ＣＳＩ報告が複数の電力モードに基づいている場合には、ＣＳＩ測定のデルタオフセットが、電力モードにわたって使用されることが可能である。たとえば、複数の電力モードに関するＣＱＩ値内で最も高いＣＱＩ値または最も高い電力モードに基づくＣＱＩ値に基づいて基準ＣＱＩ値が測定されることが可能であり、電力モードのうちの残りに関するデルタＣＱＩ値が報告されることが可能である。
【０２４２】
いくつかの態様においては、ＷＴＲＵは、測定リソースが利用可能である場合には、決定された電力モードに基づいてＣＳＩを測定および報告することが可能である。ＷＴＲＵは、それぞれのＣＳＩレポートに関して、またはそれぞれのＣＳＩレポートとともに、関連付けられている電力モードを示すことが可能である。ＷＴＲＵは、電力モードのアイデンティティーを示すことが可能である。
【０２４３】
１つまたは複数のＰＵＣＣＨリソースが構成されることが可能であり、ＰＵＣＣＨリソースのうちの１つは、関連付けられている電力モードに基づいて決定されることが可能である。ＷＴＲＵは、たとえばＣＳＩ報告のために、決定されたＰＵＣＣＨリソースを使用することが可能である。
【０２４４】
いくつかの態様においては、ＣＳＩ報告設定、リソース設定、または構成は、レシーバーコンポーネント、リソースコンポーネントのセット、または電力モードに関連付けられている属性を含み得る。たとえば、第１のＣＳＩリソースは、そのリソースにおいて送信されるＣＳＩ−ＲＳが第１の数のＲＦチェーンで測定されることが可能であるように構成されることが可能である。別のＣＳＩリソースは、そのリソースにおいて送信されるＣＳＩ−ＲＳが第２の数のＲＦチェーンで測定されることが可能であるように構成されることが可能である。
【０２４５】
図１２は、関連付けられている電力モード表示を伴う非周期的ＣＳＩ報告トリガリングの例の信号図１２００である。図１２において示されている例においては、ＤＣＩ１２０２は、電力モード表示を含む。ＣＳＩ−ＲＳ１２０６は、ＤＣＩアクティブ化からオフセット時間１２０４だけ後に送信されることが可能である。ＣＳＩ−ＲＳは、特定の電力モードに関連付けられ得る。態様においては、ＤＣＩは、ＣＳＩ−ＲＳリソースが電力モードに関連付けられている場合など、電力モード表示を含むことを必要としないことがある。関連付けは、上位レイヤーによって構成されることが可能である。ＷＴＲＵは、ＣＳＩ−ＲＳ参照信号および示された電力モードを使用してＣＳＩ測定を実行している可能性がある。ＷＴＲＵは、関連付けられているＣＳＩレポート１２１０、たとえば、ＣＳＩ  ＲＳ１２０６の後の報告オフセット１２０８において測定を報告することが可能である。
【０２４６】
図１３は、周期的ＣＳＩ−ＲＳおよび非周期的ＣＳＩ報告の例の信号図１３００である。図１３において示されている例においては、ＣＳＩ−ＲＳが周期的であってＣＳＩ報告が非周期的である場合には、それぞれのＣＳＩリソースは、特定の電力モードに関連付けられ得る。アクティブ化メッセージまたはトリガーメッセージ１３０２は、たとえばＤＣＩまたは上位レイヤーを介して、測定のためのＣＳＩ−ＲＳリソースを決定するためにＷＴＲＵによって使用されることが可能である電力モードを示すことが可能である。ＷＴＲＵは、トリガーメッセージ１３０２のアクティブ化において示される１つまたは複数の電力モードを使用してＣＳＩ参照信号１３０４および１３０８の測定を行うことが可能である。図１３において示されている例においては、ＷＴＲＵは、第１の電力モードを使用してＣＳＩ−ＲＳ１３０４を測定し、第２の電力モードを使用してＣＳＩ−ＲＳ１３０８を測定する。ＤＣＩ１３０６は、１つまたは複数の特定の電力モードに対応するＣＳＩを報告するようにＷＴＲＵをトリガーすることが可能である。ＤＣＩ１３０６の後の報告オフセット１３１０で、ＷＴＲＵは、ＣＳＩレポート１３１２を送ることが可能であり、ＣＳＩレポート１３１２は、一方または両方の電力モードに関するものであり得る。
【０２４７】
図１４は、周期的ＣＳＩ−ＲＳおよび周期的ＣＳＩ報告の例の信号図１４００である。ＣＳＩ−ＲＳが周期的であってＣＳＩ報告も周期的である場合には、ＣＳＩ−ＲＳリソースは、特定の電力モードに関連付けられ得る。図１４において示されている例においては、たとえば、アクティブ化メッセージ１４０２は、第１の電力モードがＣＳＩ−ＲＳ１４０６に関連付けられており、第２の電力モードがＣＳＩ−ＲＳ１４１０に関連付けられているということを示している。ＷＴＲＵがアクティブ化メッセージ１４０２を受信した場合には、ＷＴＲＵは、第１の電力モードを使用してＣＳＩ−ＲＳ１４０６を１４０４でアクティブ化して測定すること、および第２の電力モードを使用してＣＳＩ−ＲＳ１４１０を測定することが可能である。アクティブ化メッセージ１４０２は、示されている電力モードに対応するＣＳＩを報告するようにＷＴＲＵに要求または命令することが可能である。したがって、ＣＳＩ−ＲＳ１４０６を測定した後に、ＷＴＲＵは、ＣＳＩレポート１４０８を送り、ＣＳＩ−ＲＳ１４１０を測定した後に、ＷＴＲＵは、ＣＳＩ報告をトリガーするために必要とされるいかなるさらなるシグナリングも伴わずに、ＣＳＩレポート１４１２を送る。
【０２４８】
ＷＴＲＵが実行する測定は、ＣＳＩに限定されないことが可能である。たとえば、ＷＴＲＵは、ＲＳＲＰまたは別の量を測定することが可能である。ＷＴＲＵは、ＣＳＩ−ＲＳまたはいくつかのその他の参照信号を使用して測定を実行することが可能である。たとえば、ＷＴＲＵは、ＳＳ−ＰＢＣＨブロックを使用して測定を実行することが可能である。それぞれのＳＳ／ＰＢＣＨブロックは、特定の電力モードに関連付けられ得る。ＷＴＲＵは、関連付けられている電力モードで動作している間に、ＳＳ／ＰＢＣＨブロックの測定を実行することが可能である。ＷＴＲＵ測定値は、カバレッジレベルを含み得る。
【０２４９】
電力モードは、ＷＴＲＵが受信することが可能であるデータストリームの最大数を決定することが可能である。オンにされることもしくは使用されることが可能であるＲＦチェーンの最大数もしくは最小数または使用されることが可能である電力モードがＷＴＲＵに示されることが可能である。その表示は、詳細に上述されているように、明示的な表示または黙示的な表示に基づくことが可能である。その表示は、ＰＤＣＣＨにおいて、ＭＡＣ  ＣＥにおいて、または上位レイヤーからの構成メッセージにおいてＤＣＩフォーマットで搬送されることが可能である。ＷＴＲＵは、たとえば、表示に応答して、もしくは表示に基づいて、または表示を受信したことに基づいて、示されている数のＲＦチェーンまたは電力モードで動作することが可能である。
【０２５０】
態様においては、電力モード決定のためにタイマーが使用されることが可能である。ＷＴＲＵは、たとえば、後続の表示を介して、またはタイマーの満了に基づいて、電力モードが修正または非アクティブ化されるまで、その電力モードで動作することが可能である。後続の表示は、前の表示を上書きすることまたはそれに取って代わることが可能である。ＷＴＲＵは、たとえば、後続の表示を介して、またはタイマーの満了に基づいて、別の電力モードがアクティブ化されるまで、その電力モードで動作することが可能である。後続の表示は、前の表示を上書きすることまたはそれに取って代わることが可能である。
【０２５１】
タイマーは、電力モードが構成、アクティブ化、または使用されるときに、たとえばｇＮＢによって、構成されること、および／またはＷＴＲＵによって使用されることが可能である。タイマーは、電力モードのサブセットのために使用されることが可能である。たとえば、タイマーは、通常電力モード以外の電力モードのために使用されることが可能である。通常電力モードは、フォールバック電力モードとみなされることが可能である。タイマーが満了したときに、ＷＴＲＵは、通常電力モードへ切り替えることが可能である。
【０２５２】
タイマーは、最大ランクまたは電力モードがＷＴＲＵによって受信もしくは決定されたときに、および／またはｇＮＢによって示されたもしくは構成されたときに、ＷＴＲＵによって始動または再始動されることが可能である。タイマー値は、最大ランクもしくは電力モードが示されたときに、および／またはタイマーが始動もしくは再始動されたときに示されることまたは決定されることが可能である。その表示は、タイマー値を含むことまたは識別することが可能である。あるいは、タイマー値は、最大ランクまたは電力モードに関連付けられ得る。最大ランクまたは電力モードの表示は、関連付けに基づいてタイマー値を黙示的に示すことが可能である。最大ランクまたは電力モードを使用する場合には、ＷＴＲＵは、その最大ランクまたは電力モードに関連付けられているタイマー値を使用することが可能である。
【０２５３】
タイマーが満了したときに、ＷＴＲＵは、タイマーに関連付けられ得る最大ランク制約または電力モードを使用するのを停止することが可能である。ＷＴＲＵは、構成されることまたはその他の形で知られることが可能である異なる最大ランクまたは電力モードを使用することが可能である。ＷＴＲＵは、タイマーが稼働しているかまたは始動されていないときにランクの第１のセットを使用し、タイマーが満了するかまたは稼働していないときにランクの第２のセットを使用することが可能である。ランクの第１のセットにおける最大ランクは、ランクの第２のセットにおける最大ランクよりも低いことが可能である。タイマーが満了したときに、ＷＴＲＵは、デフォルトの、フォールバックの、所定の、またはその他の動作モード、たとえば通常電力モードを使用すること、再開すること、またはそれに切り替えることが可能である。
【０２５４】
図１５は、タイマーを伴う例示的な最大ランク制限の信号図１５００である。図１５において示されている例においては、ｇＮＢなどの基地局が、最大ランクを含むメッセージ１５０２を提供する。メッセージ１５０２の後のトリガーオフセット１５０４で、基地局は、最大ランク制約を使用することを開始することが可能であり（１５０６）、ＷＴＲＵは、タイマーを設定することが可能である。タイマーが満了したときに（１５０８）、最大ランク制約は終了することが可能である（１５１０）。
【０２５５】
その他の態様においては、ＷＴＲＵは、第１の最大ランクまたは電力モードを含むかまたは識別する第１の表示またはメッセージを受信することが可能である。ＷＴＲＵは、たとえば第１の表示またはメッセージを受信した後に、第１の最大ランクまたは電力モードで動作することが可能である。ＷＴＲＵは、第２の最大ランクまたは電力モードを含むかまたは識別する第２の表示またはメッセージを受信することが可能である。第２の表示またはメッセージは、第１の表示またはメッセージを上書きすることまたはそれに取って代わることが可能である。第２の最大ランクまたは電力モードは、第１の最大ランクまたは電力モードを上書きすることまたはそれに取って代わることが可能である。ＷＴＲＵは、たとえば第２の表示またはメッセージを受信した後に、第２の最大ランクまたは電力モードで動作することが可能である。
【０２５６】
その他の態様においては、ＷＴＲＵは、リソース割り当てのためにＰＤＣＣＨにおいてＤＣＩを受信することが可能であり、ＤＣＩにおけるランク情報は、以前に送られた、構成された、または受信された最大ランクよりも高いことが可能である。以前に送られた、構成された、または受信された最大ランクよりも高いランクをＷＴＲＵが受信した場合には、ＷＴＲＵは、既存の最大ランク制約が無効にされていると想定して、デフォルトモードを開始または再開することが可能である。このデフォルトモードは、たとえば、通常電力モード、アクティブ化されているすべてのＲＦチェーンを伴うモード、および／またはＷＴＲＵ能力もしくはＷＴＲＵハードウェアによって許容される可能な最大値に設定されている最大ランクを伴うモードであり得る。制約および制限は、本明細書においては言い換え可能に使用されることが可能である。態様においては、ＤＭ−ＲＳ構成およびＲＳの電力レベルのうちの１つが、最大ランクに基づいて決定されることが可能である。
【０２５７】
ＢＷＰが、最大ランクに基づいて決定されることが可能である。構成されている少なくとも１つのＢＷＰがあることが可能であり、それぞれのＢＷＰは、最大ランク、ＲＦチェーンの最大数、電力モード、および／または、ＷＴＲＵ電力消費に関連した別のパラメータのうちの少なくとも１つに関連付けられ得る。ＢＷＰがアクティブ化された場合には、ＷＴＲＵは、関連付けられているパラメータのうちの１つ、複数、またはすべてが、ＢＷＰ内の送信および／または受信の持続時間にわたって有効であると想定することが可能である。この想定は、たとえばＤＣＩ、ＭＡＣ、または上位レイヤシグナリングを介して、たとえばｇＮＢによって、上書きまたは再構成されるパラメータには当てはまらないことがある。パラメータが新たな値で上書きまたは再構成された場合には、ＷＴＲＵは、その新たな値を使用することが可能である。
【０２５８】
ＣＯＲＳＥＴ構成が、最大ランクに基づいて決定されることが可能である。少なくとも１つのＣＯＲＥＳＥＴ構成があることが可能であり、それぞれの構成は、最大ランク、ＲＦチェーンの最大数、電力モード、および／または、ＷＴＲＵ電力消費に関連した別のパラメータのうちの少なくとも１つに関連付けられ得る。ＣＯＲＳＥＴが構成されている場合には、ＷＴＲＵは、関連付けられているパラメータのうちの１つ、複数、またはすべてが、送信の持続時間にわたって、またはＣＯＲＥＳＥＴをモニタおよび／または受信しているときに有効であると想定することが可能である。この想定は、たとえばＤＣＩ、ＭＡＣ、または上位レイヤシグナリングを介して、ｇＮＢによってなどで、上書きまたは再構成されるパラメータには当てはまらないことがある。パラメータが新たな値で上書きまたは再構成された場合には、ＷＴＲＵは、その新たな値を使用することが可能である。
【０２５９】
ＣＯＲＥＳＥＴ内には、ＷＴＲＵがＰＤＣＣＨをモニタする複数の探索空間があり得る。それぞれの探索空間は、ＷＴＲＵ電力消費に関連した１つまたは複数のパラメータなど、本明細書において説明される１つまたは複数のパラメータに関連付けられ得る。探索空間をモニタするときに、または探索空間においてＰＤＣＣＨをモニタもしくは受信するときに、ＷＴＲＵは、ＷＴＲＵ電力消費に関連していることが可能である１つまたは複数の関連付けられているパラメータを使用することが可能である。
【０２６０】
ＷＴＲＵは、電力節約の１つまたは複数のレベルを伴って構成されることが可能である。たとえば、ＷＴＲＵは、ディープスリープモード（たとえば、第１の電力モード）および／またはパーシャルスリープ節電モード（たとえば、第２の電力モード）を伴って構成されることが可能である。ディープスリープ節電モードにおいては、１つまたは複数のＲＦチェーン全体がオフにされることが可能である。パーシャルスリープモードにおいては、１つまたは複数のＲＦチェーン内の特定の機能がシャットダウンされることが可能である。たとえば、より長いウォームアップ時間を必要とするかまたは使用する可能性があるＲＦ機能は、パーシャルスリープモードにおいてはオンのままであり得る。
【０２６１】
Ｃ−ＤＲＸオペレーション中に、ＷＴＲＵは、ＤＲＸ  ＯＮピリオドにわたって、自分の利用可能な受信アンテナ（ＮRX）のうちのすべてを使用して無線リンクモニタリング（ＲＬＭ）を実行することが可能である。ＷＴＲＵは、無線リンク測定値に依存して、リンク品質に従ってＲＸ  ＲＦチェーンの規模を適合させることが可能である。本明細書においては、ＲＦチェーンは、実際のＲＦ信号チェーン、または実際のＲＦチェーンのいくつかの特定の機能、またはアンテナサブシステムの全体もしくは何らかの部分を指すことが可能である。
【０２６２】
態様においては、Ｃ−ＤＲＸモードにおけるＷＴＲＵは、無線リンクモニタリングのための受信アンテナの最小の許容される数（ＮRLM_min）を伴って構成されることが可能であり、この場合、ＮRX≧ＮRLM_min≧１である。受信アンテナの最小の許容される数（ＮRLM_min）は、トラフィックタイプ、信頼性、またはダウンリンク送信ランクなどの１つまたは複数の基準に基づいて定義されることが可能である。態様においては、測定されたダウンリンク無線リンク品質が、時間の指定されたピリオド（Ｔin_Ant）にわたってしきい値（Ｑin_Ant_K）よりも大きい場合には、次のうちの１つまたは複数が当てはまることが可能である。ＷＴＲＵは、アクティブなＲｘ  ＲＦ機能、チェーン、および／もしくはＲｘアンテナの数をＮRXからＫへ減らすことが可能である（この場合、Ｋ≧ＮRLM_minである）、またはＷＴＲＵは、自分の電力モードを高電力モードから低電力モードに変更することが可能である。態様においては、その電力モードは、低電力モードよりも多くの電力／エネルギーを消費することがある。
【０２６３】
図１６は、ＲＬＭ測定に基づいて減少するＲｘ  ＲＦチェーンの数の例を示すグラフ１６００である。図１６において示されている例においては、ＲＬＭ測定値がしきい値Ｑin_Ant_Kを超えた場合には、Ｒｘ  ＲＦチェーンの数は低減される。図１６において示されているように、アンテナの数を低減することによって、ＲＬＭ測定値は、Ｑin_Ant_Kレベルを超えるのをやめている。しかしながら、それは、同期を維持するための必要とされるＱoutしきい値を依然として上回ったままである。
【０２６４】
Ｑin_Ant_Kしきい値は、ＱinまたはＱoutからの相対オフセットとして定義されることが可能であり、この場合、ＱinおよびＱoutは、それぞれ同期しきい値および非同期しきい値である。例においては、Ｑin_Ant_Kは、Ｑin_Ant_K＝Ｑin＋ΔＱ、または代替としてＱin_Ant_K＝Ｑout−ΔＱとして定義されることが可能である。ＷＴＲＵは、相対オフセットΔＱが、トラフィックタイプ、信頼性、またはダウンリンク送信ランクなどの１つまたは複数の基準に基づいて定義されると予想することが可能である。たとえば、信頼性の高い送信を扱うＵＲＬＬＣ  ＷＴＲＵは、より長いバッテリー寿命を有すると予想されるｍＭＴＣ  ＷＴＲＵよりも大きいＱin_Ant_K値を選択することまたはそれを伴って構成されることが可能である。
【０２６５】
態様においては、測定ダウンリンク無線リンク品質が、時間の指定されたピリオド（Ｔout_Ant）にわたってしきい値（Ｑout_Ant_K）を下回った場合には、ＷＴＲＵは、アクティブなＲｘ  ＲＦ機能、チェーン、および／またはＲｘアンテナの数をＮRXのデフォルトの規模へ再び増やすことが可能である。
【０２６６】
図１７は、ＲＬＭ測定に基づいて増大するＲｘ  ＲＦチェーンの数を示すグラフ１７００である。図１７において示されている例においては、ＲＬＭ測定が下向きの変化を示しているので、アクティブなＲＦチェーンの数は、デフォルトの規模ＮRXへ戻される。図１７において示されているように、ＲＬＭ測定は向上している。態様においては、Ｔout_Antは、ＲＦコンポーネントのためのパワーアップ時間を調整するためにＴint_Antよりも短く選択されることが可能である。いくつかの態様においては、タイマーＴin_AntおよびＴout_Antは、ＲＬＭ測定のために使用されるＴ３１０タイマーの満了または始動とともにリセットされることが可能である。
【０２６７】
態様においては、ＷＴＲＵは、ＷＴＲＵによって使用されるＲｘ  ＲＦチェーンの数における変化をｇＮＢに示すことが可能である。その表示に続いて、ＷＴＲＵは、ＰＤＣＣＨアグリゲーションレベルにおける変化を予想することが可能である。ＰＤＣＣＨアグリゲーションにおける変化は、確定的または不確定である可能性がある。ＷＴＲＵは、ＰＤＣＣＨアグリゲーションレベルにおける変化がｎ＋ｋスロットにおいて有効であると予想することが可能であり、その場合、ｎおよびｋは、それぞれ現在のスロットおよびオフセットのインデックスである。ＰＤＣＣＨアグリゲーションにおいて確定的な変化がある態様においては、ＷＴＲＵは、１つまたは２つの特定のさらに大きなアグリゲーションレベルを使用してＰＤＣＣＨデコーディングを試みることが可能である。たとえば、ＷＴＲＵは、自分のＰＤＣＣＨデコーディングのために、最も高い利用可能なアグリゲーションレベルのうちの１つまたは２つを予想することのみが可能である。あるいは、ＰＤＣＣＨにおいて不確定な変化がある態様においては、ＷＴＲＵは、ＰＤＣＣＨブラインドデコーディングのために、より大きなアグリゲーションレベルを優先することのみが可能である。
【０２６８】
その他の態様においては、ＷＴＲＵは、Ｒｘ  ＲＦチェーンの数における変化の可能性をｇＮＢに示すことが可能である。その表示に続いて、ＷＴＲＵは、変化を続行するための表示を提供されることが可能である。ＷＴＲＵが変化または自分の提案された変化の確認を受信しない場合には、ＷＴＲＵは、自分の現在のＲｘ  ＲＦ構成を保持することが可能である。
【０２６９】
ＷＴＲＵが変化を続行することを可能にされるという条件で、それは、ＰＤＣＣＨアグリゲーションレベルなど、ＰＤＣＣＨデコーディングに関連したさらなる情報を受信していると想定することもある。たとえば、ＷＴＲＵは、アグリゲーションレベルにおける変化がないであろうという表示を提供されることが可能である。あるいは、ＷＴＲＵは、自分のＰＤＣＣＨデコーディングのためにさらに大きなアグリゲーションレベルを使用するための表示を提供されることが可能である。
【０２７０】
その他の態様においては、電力モードは、１つまたは複数の測定パラメータまたは要件のセットに関連付けられ得る。たとえば、電力モードは、特定の測定のための下記の測定パラメータのうちの少なくとも１つに関連付けられ得る。測定報告ピリオド（たとえば、周期的な測定のための）、タイマー、カウンタ、測定レポートをいつトリガーするかを決定するために使用されることが可能である測定しきい値、精度要件、精度要件が満たされることが可能である持続時間、および／または、たとえば測定値を決定するために平均化を行うための、時間のピリオドにわたって作成する測定サンプルの最小数などの測定サンプリング要件。
【０２７１】
第１の電力モードは、測定のための第１の測定パラメータまたは測定パラメータの第１のセットに関連付けられ得る。第２の電力モードは、測定のための第２の測定する測定パラメータまたは測定パラメータの第２のセットに関連付けられ得る。ＷＴＲＵは、第１の電力モードで動作するときに第１の測定パラメータまたは測定パラメータの第１のセットを使用することが可能である。ＷＴＲＵは、第２の電力モードで動作するときに測定パラメータまたは測定パラメータの第２のセットを使用することが可能である。第１の測定パラメータおよび第２の測定パラメータは、別々の値、ルール、または要件を有する同じパラメータであり得る。測定パラメータの第１および第２のセットは、パラメータタイプの同じセットを含むことが可能であり、この場合、第１のセットにおける少なくとも１つのパラメータタイプは、第２のセットにおける同じパラメータタイプとは異なる値、ルール、または要件を有することが可能である。
【０２７２】
例えば、スリープなし、完全なスリープ、通常もしくは普通のスリープ、ディープスリープ、またはパーシャルスリープなど、スリープまたはパワーセービングスモードの複数のレベル（たとえば、レベル１、レベル２、レベル３）があり得る。電力モードは、スリープのレベルに対応し得る。
【０２７３】
第２の電力モードに関する測定パラメータは、特定の測定のための第１の電力に関する測定パラメータよりも緩和されていることまたは厳しくないことが可能である。たとえば、測定に関して精度要件が満たされることが可能である持続時間は、第１の電力モードよりも第２の電力モードに関しての方が長くなることが可能である。
【０２７４】
電力モードに関する１つまたは複数の測定パラメータは、仕様によって設定されることが可能である。電力モードに関する１つまたは複数の測定パラメータは、構成されることが可能である。電力モードに関する１つまたは複数の測定パラメータは、電力モードの関数であり得る。ＷＴＲＵは、ＷＴＲＵが使用している可能性がある電力モードに基づいて測定のための測定パラメータを決定することが可能である。ＷＴＲＵは、決定された電力モードを使用して、またはそれに準拠して、測定を行うことおよび／または報告することが可能である。
【０２７５】
測定値は、ＣＱＩ、ＳＩＮＲ、Ｌ１−ＲＳＲＰ、ＲＳＲＰ、ＲＳＲＱ、またはパスロスのうちの少なくとも１つであり得る。測定値は、ＣＳＩ−ＲＳ、ＺＰ−ＣＳＩ−ＲＳ、ＮＺＰ  ＣＳＩ−ＲＳ、ＳＳＳ、またはＤＭ−ＲＳなど、参照信号または同期信号のものであり得る。測定値は、ＳＳ／ＰＢＣＨブロック測定値であり得る。
【０２７６】
電力モードは、１つまたは複数のタイマー、カウンタ、測定パラメータ、ならびに／または、同期および／もしくは非同期の決定に関連し得るしきい値に関連付けられ得る。ＷＴＲＵは、１つまたは複数のタイマー、カウンタ、測定パラメータ、ならびに／または、同期および／もしくは非同期の決定に関連し得るしきい値を使用して、ＷＴＲＵが使用している可能性がある電力モードに基づいて同期および／または非同期の決定を行うことが可能である。
【０２７７】
その他の態様においては、電力制御のための電力モードの使用に加えて、またはその代替として、電力効率のよいトラッキングが使用されることが可能である。いくつかの態様においては、ＷＴＲＵは、ＤＲＸ  ＯＮ持続時間タイムインターバルとともに、ｇＮＢなどの基地局によって送信される再同期信号（ＲＳＳ）を処理することが可能である。ＲＳＳは、ＡＦＣ、時刻同期、ビーム管理、またはＣＳＩ測定のうちの少なくとも１つの目的のために使用されることが可能である。
【０２７８】
いくつかの態様においては、ＲＳＳは、識別された時間ウィンドウにおいてｇＮＢによって送信されてＷＴＲＵによって処理される。ＲＳＳ受信時間ウィンドウは、構成によって、または処理ルールの適用によってのいずれかで、ＷＴＲＵに関するＤＲＸオン持続時間にリンクされることが可能である。たとえば、ＲＳＳ受信時間ウィンドウは、ＤＲＸオン持続時間ウィンドウの第１のタイムスロットの始まりの前にＮ１  ＯＦＤＭシンボルを開始するように設定されることが可能であり、前にＮ２  ＯＦＤＭシンボルを終了するように設定される。あるいは、ＲＳＳ受信時間ウィンドウは、デバイスに関するＤＲＸオン持続時間のＮ１タイムスロットだけ前に開始し、Ｎ２タイムスロットだけ前に終了する。態様においては、Ｎ２は零に設定されることが可能である。あるいは、ＲＳＳ受信ウィンドウは、ＤＲＸ  ＯＮ持続時間の最初の１つまたは複数のタイムスロットに合わせて構成されること、またはそれらのタイムスロットに適用されることが可能である。ＲＳＳがＲＳＳ受信時間ウィンドウの全体を占めることは必要ではないことがある。ＲＳＳは、タイムインターバル［Ｎ１，Ｎ２］の全体にわたって存在していることが可能であり、またはそれは、このタイムインターバル中にのみ開始することが可能である。ＲＳＳは、構成または適用されたＲＳＳ受信時間ウィンドウによって提供されるよりも短い送信用時間を必要とすることが可能である。ＷＴＲＵによって使用するためのＲＳＳ受信時間ウィンドウの構成は、構成されたＤＲＸパラメータにリンクされることが可能である。ＲＳＳ受信時間ウィンドウは、ＤＲＸカウンタおよび／またはタイマーが構成されている場合には、より大きな最小サイズを有することが可能である。
【０２７９】
その他の態様においては、ＲＳＳは、周波数リソースの識別されたセットにおいてｇＮＢによって送信されてＷＴＲＵによって処理される。ＷＴＲＵによって使用するためのＲＳＳ受信バンド幅ウィンドウは、構成によって、またはＷＴＲＵにおける処理ルールの適用によってのいずれかで知られることが可能である。
【０２８０】
たとえば、ＲＳＳ受信バンド幅ウィンドウは、ＷＴＲＵが、入ってくるＰＤＣＣＨをＤＲＸオン持続時間ウィンドウ上で処理する現在のアクティブなＤＬ  ＢＷＰに対応するように設定されることが可能である。あるいは、それは、ＷＴＲＵのアクティブなＤＬ  ＢＷＰにリンクされている周波数ドメインリソースの識別されたサブセットに対応し得る。あるいは、ＲＳＳ受信バンド幅ウィンドウは、ＲＲＣを通じた構成によって決定される連続的なまたは非連続的な周波数リソースの決定されたサブセットに対応し得る。態様においては、ＷＴＲＵに関して複数のＲＳＳ受信バンド幅ウィンドウが構成されることが可能である。
【０２８１】
ＲＳＳが、上述されているように、識別された時間ウィンドウにおいてｇＮＢによって送信されてＷＴＲＵによって処理される場合には、ＷＴＲＵにおける粗い周波数／タイミングトラッキング機能が、最小のウェイクアップオーバーヘッドを被りつつ実装され得る。従来のＮＲテクノロジーとは異なり、ＷＴＲＵは、たとえ次のＤＲＸオン持続時間ピリオドが何十ミリ秒または何百ミリ秒も離れている可能性があっても、ＡＦＣの目的のために自分のＲＦおよびＢＢレシーバーチェーンのかなりの部分をウェイクアップして電源投入する必要はない。ＤＲＸオン持続時間ウィンドウの始まりの直前にまたは始まりと同時に一対のＯＦＤＭシンボルまたはタイムスロットを開始するようにスケジュールされているＲＳＳを提供することによって、ＷＴＲＵは、必要とされる場合にのみ、自分のＲＦおよびＢＢ部分の電源をオンにすることが可能である。同様に、送信されたＲＳＳを、アクティブなＤＬ  ＢＷＰにリンクされている周波数リソースにおいて処理することによって、ＷＴＲＵは、アクティブなＤＬ  ＢＷＰと通常は一致しない１つまたは複数のＳＳＢを受信して処理するための周波数再調整を回避することが可能である。ＷＴＲＵ受信バンド幅コスト電力を再調整することは、ＢＷＰ切り替えのためのさらに長いレシーバーオン時間という点で不利益を招く。さらにＲＳＳは、ビーム管理の目的のために採用されることも可能である。
【０２８２】
その他の態様においては、再同期信号は、ＲＳＳ受信時間および周波数ウィンドウにおいて、識別されたＲＥのセットにおいてＷＴＲＵによって処理されることが可能である。態様においては、ＲＳＳは、ＣＳＩ−ＲＳリソースセットとして構成されているＲＥの１つまたはセットとして送信されることが可能である。たとえば、ＲＳＳは、ＣＳＩ−ＲＳリソースセットとして構成されることが可能である。ＲＳＳは、ＣＳｉ＿ＲＳリソースセットとして構成されることが可能であり、この場合、１つまたは複数のタイムスロットの構成可能な送信インターバルにわたる４つごとのＯＦＤＭシンボルが、３つのＲＳＳサブキャリアを搬送するあらゆるＲＳＳ搬送ＯＦＤＭシンボルとともに使用されることが可能である。ＣＳＩ−ＲＳリソースセットとして構成されている場合には、構成されているＣＳＩ−ＲＳリソースのタイプ（零電力または非零電力）に応じて、ＤＣＩにおける動的シグナリングが、ＲＳＳリソースの周辺のその他のデバイスへのＰＤＳＣＨ送信のレートを一致させるために使用されることが可能である。同様に、ＣＳＩ−ＲＳのために使用されている既存の構成メッセージが、ＲＳＳ構成を示すために再利用されることが可能である。
【０２８３】
その他の態様においては、複数のＲＢを、かつ複数のＯＦＤＭシンボルのうちの１つまたは複数を、必ずしも連続的ではなく占めている連続した周波数バンド幅にわたってＲＳＳが送信されることが可能である。たとえば、ＰＳＳと同様のＯＦＤＭを介して、ただし別個のｍシーケンスジェネレータを使用して、１２個のＲＢを占めている長さ１２７のｍシーケンスとしてＲＳＳが送信されることが可能である。これらのＲＳＳ搬送シンボルが繰り返されることが可能であり、またはシンボルのセットが使用されることが可能である。そのような態様においては、既存の実装は、ＲＳＳ機能を実現するためにデバイスにおいて大幅に再利用されることが可能である。さらに、ＲＥレベルで定義されているＣＳＩ−ＲＥリソースセットの形態でＲＳＳを使用することによって、既存のＲ１５ＮＲシグナリングが、ＲＳＳの周辺のその他のデバイスのＰＤＳＣＨのレートを一致させるために使用されることがあり、これは、デコーディングの劣化およびスケジューリングの制限を回避することがある。
【０２８４】
その他の態様においては、ｇＮＢによって構成された、またはＷＴＲＵによって決定された識別子を使用してＲＳＳシーケンスが生成されることが可能である。たとえば、ＷＴＲＵによって使用されているＣ−ＲＮＴＩにリンクされた、またはそれと同一の識別子が、ＲＳＳエンコーディングシーケンスを決定するために使用されることが可能である。これは、ＲＳＳシーケンス要素の生成、またはＲＳＳシーケンスを第２のシーケンスでスクランブルすることなどのオペレーションを含み得る。シンボルまたはタイムスロット番号などの受信時刻パラメータが、ＲＳＳシーケンスを導出するために使用されることが可能である。明示的に選び出された値が、ＲＳＳシーケンスを決定するために使用されることが可能である。そのような態様においては、干渉がランダム化されることが可能であり、ＲＳＳの受信品質が改善されることが可能である。
【０２８５】
構成されたＲＳＳ発生の存在下で動作するときのＷＴＲＵレシーバー処理のいくつかの態様においては、ＷＴＲＵは、ＤＲＸ  ＯＮ持続時間を決定すること、ＲＳＳの受信のための処理インターバルを決定すること、識別された時間および周波数リソースのセットにおけるＲＳＳの受信のために自分のレシーバーを構成すること、ＲＳＳの有無を決定すること、オシレータおよび／またはタイミング補正値を決定すること、ならびに次いでその補正値を適用してＰＤＣＣＨ受信へ進むことが可能である。これらのステップのいずれかは、いくつかのさらなる既知の中間ステップ、たとえば、受信されたＣＯＲＥＳＥＴのＰＤＣＣＨ候補を処理している間に発生するチャネル推定を意味することが可能である。
【０２８６】
いくつかの態様においては、ＷＴＲＵによるＲＳＳの使用は、条件が満たされているときに適用可能であると決定されることが可能である。たとえば、アクティブ時間にある間にまたはＤＲＸ  ＯＮ持続時間中にデータまたは制御または適切なＲＳまたはＳＳＢがＷＴＲＵによって受信された最後のとき以降にタイマーまたはカウンタ値が満了した場合には、ＤＲＸ  ＯＮ持続時間にわたってＲＳＳが存在していてＷＴＲＵレシーバー処理の一部である可能性がある。タイマーの持続時間は、事前に定義されること、または上位レイヤーによって構成されることが可能である。この方法においては、ＷＴＲＵが粗いＡＦＣのためにウェイクアップしないことによってもたらされる時間の最大量および最大オシレータドリフトは、何らかの許容可能な値を超えないように制御されることが可能である。ＷＴＲＵのＤＲＸ  ＯＮ持続時間またはアクティブ時間について知っているｇＮＢは、最後のデータ／制御受信以降のカウンタまたはタイマーが所与の値を超えた場合には、ＲＳＳをＷＴＲＵへ送信することが可能である。それは、所与の値を下回った場合には、ＲＳＳを送信しないことが可能である。これは、ネットワークの観点からオーバーヘッドを最小化することが可能である。
【０２８７】
別の例においては、ＷＴＲＵは、信号レベル受信しきい値に基づいて、ＤＲＸ  ＯＮ持続時間にリンクされているＲＳＳに対する必要性またはそのＲＳＳの存在を決定することが可能である。たとえば、ＷＴＲＵが経験したＤＬパスロスが、しきい値（これは、オフセット値を含み得る）を超えている場合には、ＲＳＳが存在していてＷＴＲＵレシーバー処理の一部である可能性がある。ｅＮＢは、信号しきい値を構成することが可能であり、その信号しきい値を上回ると、ＲＳＳが送信されることは不可能であり、その信号しきい値を下回ると、ＲＳＳが、決定されたＤＲＸ  ＯＮ持続時間にリンクされる。
【０２８８】
別の例においては、ＲＳＳは、それがアクティブ時間にないか、またはインアクティビティータイマー、ＵＬもしくはＤＬ再送信タイマー、およびＤＬもしくはＵＬ  ＨＡＲＱ  ＲＴＴタイマーのうちの少なくとも１つなど、１つもしくは複数のＤＲＸタイマーが稼働していないという条件でのみ存在していることが可能である。別の例においては、ＲＳＳは、アクティブなＢＷＰが、構成されたＢＷＰのサブセットの１つである場合にのみ存在しているように構成されることが可能である。
【０２８９】
図１８は、ＤＲＸ  ＯＮ持続時間タイムインターバルとともにＲＳＳを処理することの例の信号図１８００である。図１８において示されている例においては、ＷＴＲＵは、ＤＲＸサイクル１８０８のＤＲＸ  ＯＮ持続時間１８０６にリンクされている識別された時間ウィンドウまたは周波数リソースのセットのうちの１つにおいてＲＳＳ１８０２を受信することが可能である。ＲＳＳは、ＯＮ持続時間１８０６の始まりの直前に、ＡＦＣ、時刻同期、ビーム管理、および／またはＣＳＩ測定のために使用されることが可能である。ＷＴＲＵは、ＯＮ持続時間１８０６中にＰＤＣＣＨモニタリングオケージョン１８０４をモニタすることが可能である。ＷＴＲＵは、ＤＲＸサイクル１８２４のＯＮ持続時間１８２０の直前のＲＳＳ受信ウィンドウ１８２２中にＲＳＳ１８１２を受信することも可能である。ＲＳＳ非周期的ＮＺＰ−ＣＳＩ−ＲＳリソースセット１８２６も、ＲＳＳ受信ウィンドウ１８２２に関して詳細に示されている。デバイスは、ＰＤＣＣＨモニタリングオケージョン１８１４中にスケジュールされることが可能であり、タイマーが始動または再始動されることが可能である。タイマーは、満了することが可能であり（１８１６）、デバイスは、タイマーの満了に応答して、ＰＤＣＣＨオケージョンをモニタするのを停止することが可能である。
【０２９０】
特徴および要素が特定の組合せで上述されているが、それぞれの特徴または要素は、単独で、またはその他の特徴および要素との任意の組合せで使用されることが可能であるということを当技術分野における標準的な技術者なら理解するであろう。加えて、本明細書において説明される方法は、コンピュータまたはプロセッサーによって実行するためにコンピュータ可読メディア内に組み込まれているコンピュータプログラム、ソフトウェア、またはファームウェアで実装され得る。コンピュータ可読メディアの例は、電子信号（有線接続またはワイヤレス接続を介して送信される）およびコンピュータ可読ストレージメディアを含む。コンピュータ可読ストレージメディアの例は、読み取り専用メモリー（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気メディア、光磁気メディア、ならびにＣＤ−ＲＯＭディスク、およびデジタル多用途ディスク（ＤＶＤ）などの光メディアを含むが、それらには限定されない。ＷＴＲＵ、ＵＥ、端末、基地局、ＲＮＣ、または任意のホストコンピュータにおいて使用するための無線周波数トランシーバーを実装するために、ソフトウェアに関連付けられているプロセッサーが使用されることが可能である。
【図１Ａ】
2022501874.tif 000005
【図１Ｂ】
2022501874.tif 000006
【図１Ｃ】
2022501874.tif 000007
【図１Ｄ】
2022501874.tif 000008
【図２】
2022501874.tif 000009
【図３】
2022501874.tif 000010
【図４】
2022501874.tif 000011
【図５】
2022501874.tif 000012
【図６】
2022501874.tif 000013
【図７】
2022501874.tif 000014
【図８】
2022501874.tif 000015
【図９】
2022501874.tif 000016
【図１０】
2022501874.tif 000017
【図１１】
2022501874.tif 000018
【図１２】
2022501874.tif 000019
【図１３】
2022501874.tif 000020
【図１４】
2022501874.tif 000021
【図１５】
2022501874.tif 000022
【図１６】
2022501874.tif 000023
【図１７】
2022501874.tif 000024
【図１８】
2022501874.tif 000025
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
ワイヤレス送信／受信ユニット（ＷＴＲＵ）において実装される方法であって、
複数のエントリを含む時間ドメインリソース割り当て（ＴＤＲＡ）リストコンフィギュレーションを受信するステップであって、前記複数のエントリの各々は、スロットオフセット値を含むリソース割り当て示す情報を含む、ステップと、
最小スロットオフセット値を示すレイヤー１（Ｌ１）シグナリングを受信するステップと、
スロットにおける物理ダウンリンク制御チャネル（ＰＤＣＣＨ）送信において受信される第１のダウンリンク制御情報（ＤＣＩ）をデコードするステップと、
前記デコードされた第１のＤＣＩから、前記ＴＤＲＡリストにおける前記複数のエントリのうちの１つを識別するインデックスを取得するステップと、
前記ＴＤＲＡリストから、前記インデックスによって識別される特定スロットオフセット値を取り出すステップと、
前記最小スロットオフセット値と前記特定スロットオフセット値を比較するステップと、
前記特定スロットオフセット値が前記最小スロットオフセット値未満であるという条件で、前記インデックスによって識別される前記エントリが無効であると決定するステップと
備えることを特徴とする方法。
【請求項２】
前記インデックスによって識別される前記エントリが、決定された無効であるという条件で、前記第１のＤＣＩが前記特定スロットオフセット値によってデコードされた前記スロットからオフセットされる前記スロットにおいてＰＤＳＣＨ送信を受信しないステップをさらに備えることを特徴とする請求項１に記載の方法。
【請求項３】
非周期的チャネル状態情報参照信号（ＣＳＩ−ＲＳ）報告に対する最小非周期的ＣＳＩ−ＲＳオフセットが、バンド幅部分（ＢＷＰ）に対する前記Ｌ１シグナリングにおいて受信された前記最小スロットオフセット値に等しいと決定するステップをさらに備えることを特徴とする請求項１に記載の方法。
【請求項４】
第２のＤＣＩをデコードし、前記デコードされた第２のＤＣＩからＣＳＩ−ＲＳ報告トリガーを取得するステップであって、前記ＣＳＩ−ＲＳ報告トリガーは、前記周期的ＣＳＩ−ＲＳ報告に対する特定トリガーオフセットによって構成されるリソースセットを識別する、ステップと、
前記最小非周期的ＣＳＩ−ＲＳオフセットと前記特定トリガーオフセットを比較するステップと、
前記特定トリガーオフセットが前記最小非周期的ＣＳＩ−ＲＳオフセット未満であるという条件で、前記ＣＳＩ−ＲＳ報告トリガーに応答して、前記識別されたリソースセットに関連付けられたＣＳＩを報告しないステップと
をさらに備えることを特徴とする請求項３に記載の方法。
【請求項５】
前記ＷＴＲＵは、１つまたは複数のエントリを含むＣＳＩ−ＲＳ報告トリガー状態リストによって構成され、前記１つまたは複数のエントリの各々は、１つまたは複数のリソースセットを含み、前記１つまたは複数のリソースセットの各々は、時間−周波数リソースのセットの識別と前記リソースセットに対するトリガーオフセットとを含むことを特徴とする請求項４に記載の方法。
【請求項６】
前記Ｌ１シグナリングは、前記最小スロットオフセット値に対応する、前記ＷＴＲＵが動作することである電力モードを示すことを特徴とする請求項５に記載の方法。
【請求項７】
前記電力モードは、パワーセービングスモードであることを特徴とする請求項６に記載の方法。
【請求項８】
通常電力モードを示すＬ１シグナリングを受信するステップと、
前記通常電力モードをアクティブ化するステップと、
前記通常電力モードがアクティブ化されるという条件で、前記ＴＤＲＡリストおよび前記ＣＳＩ報告トリガー状態リストにおけるすべてのエントリが有効であると決定するステップと
をさらに備えることを特徴とする請求項１に記載の方法。
【請求項９】
トランシーバーと、
プロセッサーと
を備えたワイヤレス送信／受信ユニット（ＷＴＲＵ）であって、
前記トランシーバーおよび前記プロセッサーは、複数のエントリを含む時間ドメインリソース割り当て（ＴＤＲＡ）リストコンフィギュレーションを受信し、前記複数のエントリの各々は、スロットオフセット値を含むリソース割り当てを示す情報を含むように構成され、
前記トランシーバーおよび前記プロセッサーは、最小スロットオフセット値を示すレイヤー１（Ｌ１）シグナリングを受信するようにさらに構成され、
前記トランシーバーおよび前記プロセッサーは、スロットにおける物理ダウンリンク制御チャネル（ＰＤＣＣＨ）送信において受信される第１のダウンリンク制御情報（ＤＣＩ）をデコードするようにさらに構成され、
前記トランシーバーおよび前記プロセッサーは、前記デコードされた第１のＤＣＩから、前記ＴＤＲＡリストにおける前記複数のエントリのうちの１つを識別するインデックスを取得するようにさらに構成され、
前記トランシーバーおよび前記プロセッサーは、前記ＴＤＲＡリストから、前記インデックスによって識別される特定スロットオフセット値を取り出すようにさらに構成され、
前記トランシーバーおよび前記プロセッサーは、前記最小スロットオフセット値と前記特定スロットオフセット値を比較するようにさらに構成され、
前記トランシーバーおよび前記プロセッサーは、前記特定スロットオフセット値が前記最小スロットオフセット値未満であるという条件で、前記インデックスによって識別される前記エントリが無効であると決定するようにさらに構成される
ことを特徴とするＷＴＲＵ。
【請求項１０】
前記トランシーバーおよび前記プロセッサーは、前記インデックスによって識別される前記エントリが、決定された無効であるという条件で、前記第１のＤＣＩが前記特定スロットオフセット値によってデコードされた前記スロットからオフセットされる前記スロットにおいてＰＤＳＣＨ送信を受信しないようにさらに構成されることを特徴とする請求項９に記載のＷＴＲＵ。
【請求項１１】
前記トランシーバーおよび前記プロセッサーは、非周期的チャネル状態情報参照信号（ＣＳＩ−ＲＳ）報告に対する最小非周期的ＣＳＩ−ＲＳオフセットが、バンド幅部分（ＢＷＰ）に対する前記Ｌ１シグナリングにおいて受信された前記最小スロットオフセット値に等しいと決定するようにさらに構成されることを特徴とする請求項９に記載のＷＴＲＵ。
【請求項１２】
前記トランシーバーおよび前記プロセッサーは、第２のＤＣＩをデコードし、前記デコードされた第２のＤＣＩからＣＳＩ−ＲＳ報告トリガーを取得するようにさらに構成され、前記ＣＳＩ報告トリガーは、前記周期的ＣＳＩ−ＲＳ報告に対する特定トリガーオフセットによって構成されるリソースセットを識別し、
前記トランシーバーおよび前記プロセッサーは、前記最小非周期的ＣＳＩ−ＲＳオフセットと前記特定トリガーオフセットを比較するようにさらに構成され、
前記トランシーバーおよび前記プロセッサーは、前記特定トリガーオフセットが前記最小非周期的ＣＳＩ−ＲＳオフセット未満であるという条件で、前記ＣＳＩ−ＲＳ報告トリガーに応答して、前記識別されたリソースセットに関連付けられたＣＳＩを報告しないようにさらに構成される
ことを特徴とする請求項１１に記載のＷＴＲＵ。
【請求項１３】
前記ＷＴＲＵは、１つまたは複数のエントリを含むＣＳＩ−ＲＳ報告トリガー状態リストによって構成され、前記１つまたは複数のエントリの各々は、１つまたは複数のリソースセットを含み、前記１つまたは複数のリソースセットの各々は、時間−周波数リソースのセットの識別と前記リソースセットに対するトリガーオフセットとを含むことを特徴とする請求項１２に記載のＷＴＲＵ。
【請求項１４】
前記Ｌ１シグナリングは、前記最小スロットオフセット値に対応する、前記ＷＴＲＵが動作することである電力モードを示すことを特徴とする請求項１３に記載のＷＴＲＵ。
【請求項１５】
前記電力モードは、パワーセービングスモードであることを特徴とする請求項１４に記載のＷＴＲＵ。
【請求項１６】
前記トランシーバーおよび前記プロセッサーは、通常電力モードを示すＬ１シグナリングを受信するようにさらに構成され、
前記トランシーバーおよび前記プロセッサーは、前記通常電力モードをアクティブ化するようにさらに構成され、
前記トランシーバーおよび前記プロセッサーは、前記通常電力モードがアクティブ化されるという条件で、前記ＴＤＲＡリストおよび前記ＣＳＩ報告トリガー状態リストにおけるすべてのエントリが有効であると決定するようにさらに構成される
ことを特徴とする請求項９に記載のＷＴＲＵ。
【請求項１７】
前記特定スロットオフセット値が前記最小スロットオフセット値以上であるという条件で、前記第１のＤＣＩが前記特定スロットオフセット値によってデコードされた前記スロットからオフセットされるスロットにおいて物理ダウンリンク共有チャネル（ＰＤＳＣＨ）送信を受信するステップをさらに備えることを特徴とする請求項１に記載の方法。
【請求項１８】
前記特定トリガーオフセットが前記最小非周期的ＣＳＩ−ＲＳオフセット以上であるという条件で、前記ＣＳＩ−ＲＳ報告トリガーに応答して、前記識別されたリソースセットに関連付けられたＣＳＩを報告するステップをさらに備えることを特徴とする請求項４に記載の方法。
【請求項１９】
前記トランシーバーおよび前記プロセッサーは、前記特定スロットオフセット値が前記最小スロットオフセット値以上であるという条件で、前記第１のＤＣＩが前記特定スロットオフセット値によってデコードされた前記スロットからオフセットされるスロットにおいて物理ダウンリンク共有チャネル（ＰＤＳＣＨ）送信を受信するようにさらに構成されることを特徴とする請求項９に記載のＷＴＲＵ。
【請求項２０】
前記トランシーバーおよび前記プロセッサーは、前記特定トリガーオフセットが前記最小非周期的ＣＳＩ−ＲＳオフセット以上であるという条件で、前記ＣＳＩ−ＲＳ報告トリガーに応答して、前記識別されたリソースセットに関連付けられたＣＳＩを報告するようにさらに構成されることを特徴とする請求項１２に記載のＷＴＲＵ。
【国際調査報告】
2022501874.tif 000026
2022501874.tif 000027
2022501874.tif 000028